(57)【要約】  本願は、通信方法及び通信機器を開示する。この方法は、主に、第１のビームを介して第１の参照信号を受信するときに、端末装置が、第１の参照信号及び第１の閾値に基づいて第１のビームの利用可能性を決定するステップと、次に第１のビームの利用可能性をネットワーク装置に直接フィードバックするステップとを含む。端末装置が第１のビームの識別子及び第１の参照信号の受信電力をネットワーク装置にフィードバックする場合のエアインターフェイスのオーバーヘッドと比較して、この方法ではエアインターフェイスのオーバーヘッドを削減することができる。
2021530161.tif 000002
【特許請求の範囲】
【請求項１】
通信方法であって、当該通信方法は、
端末装置が、ネットワーク装置の第１のビームから第１の参照信号を受信するステップと、
前記端末装置が、第１の閾値及び前記第１の参照信号に基づいて前記第１のビームの利用可能性を決定するステップと、
前記端末装置が、第１のフィードバック情報を前記ネットワーク装置に送信するステップと、を含み、
前記第１のフィードバック情報には、少なくとも第１の指標情報が含まれ、該第１の指標情報は、前記第１のビームの前記利用可能性を示すために使用される、
通信方法。
【請求項２】
当該方法は、前記端末装置が、前記ネットワーク装置から第１の構成情報を受信するステップをさらに含み、該第１の構成情報には、前記第１の閾値が含まれる、請求項１に記載の方法。
【請求項３】
前記第１のフィードバック情報には、第２の指標情報がさらに含まれ、該第２の指標情報は、前記第１の閾値を示すために使用される、請求項１に記載の方法。
【請求項４】
１つ又は複数の第１の閾値が存在しており、
第１の閾値が１つある場合に、１つの第１の指標情報があり、該第１の指標情報は、前記第１の閾値の決定基準に従って、前記第１のビームの前記利用可能性を示すために使用される、又は
第１の閾値が複数ある場合に、複数の第１の指標情報があり、それぞれの第１の指標情報が、対応する第１の閾値の決定基準に従って、前記第１のビームの前記利用可能性を示すために使用される。請求項１乃至３のいずれか一項に記載の方法。
【請求項５】
前記第１のフィードバック情報のシグナリングフォーマットが、メディアアクセス制御プロトコルデータユニットであり、該メディアアクセス制御プロトコルデータユニットは、制御要素を含み、該制御要素によって、前記第１の指標情報が搬送される、請求項１乃至４のいずれか一項に記載の方法。
【請求項６】
前記第１のフィードバック情報のシグナリングフォーマットが、アップリンク制御情報であり、該アップリンク制御情報によって、前記第１の指標情報が搬送される、請求項１乃至４のいずれか一項に記載の方法。
【請求項７】
前記端末装置が、第１の閾値及び前記第１の参照信号に基づいて前記第１のビームの利用可能性を決定するステップは、
前記端末装置が、前記第１の参照信号に関連する品質パラメータを決定するステップと、
該品質パラメータが前記第１の閾値以上である場合に、前記第１のビームが利用可能であると判定するステップ、又は
前記品質パラメータが前記第１の閾値よりも小さい場合に、前記第１のビームが利用不可であると判定するステップ、とを含む、請求項１乃至６のいずれか一項に記載の方法。
【請求項８】
前記品質パラメータには、参照信号受信電力、参照信号受信品質、参照信号受信強度インジケータ、信号対干渉プラス雑音比、信号品質インジケータ、ランクインジケータ、及びプリコーディングマトリックスインジケータのうちの１つ又は複数が含まれる、請求項７に記載の方法。
【請求項９】
当該方法は、前記端末装置が、前記ネットワーク装置から第２の構成情報を受信するステップをさらに含み、
前記第２の構成情報は、利用可能なビームセットを示すために使用される、請求項１乃至８のいずれか一項に記載の方法。
【請求項１０】
通信方法であって、当該通信方法は、
ネットワーク装置が、第１のビームを介して第１の参照信号を端末装置に送信するステップと、
前記ネットワーク装置が、前記端末装置から第１のフィードバック情報を受信するステップと、を含み、
該第１のフィードバック情報は、前記第１の参照信号及び第１の閾値に基づいて決定され、前記第１のフィードバック情報には、少なくとも第１の指標情報が含まれ、該第１の指標情報は、前記第１のビームの利用可能性を示すために使用される、
通信方法。
【請求項１１】
当該方法は、前記ネットワーク装置が、第１の構成情報を前記端末装置に送信するステップをさらに含み、前記第１の構成情報には、前記第１の閾値が含まれる、請求項１０に記載の方法。
【請求項１２】
前記第１のフィードバック情報には、第２の指標情報がさらに含まれ、該第２の指標情報は、前記第１の閾値を示すために使用される、請求項１０に記載の方法。
【請求項１３】
１つ又は複数の第１の閾値が存在しており、
第１の閾値が１つある場合に、１つの第１の指標情報があり、該第１の指標情報は、前記第１の閾値の決定基準に従って、前記第１のビームの前記利用可能性を示すために使用される、又は
第１の閾値が複数ある場合に、複数の第１の指標情報があり、それぞれの第１の指標情報が、対応する第１の閾値の決定基準に従って、前記第１のビームの前記利用可能性を示すために使用される。請求項１０乃至１２のいずれか一項に記載の方法。
【請求項１４】
前記第１のフィードバック情報のシグナリングフォーマットが、メディアアクセス制御プロトコルデータユニットであり、該メディアアクセス制御プロトコルデータユニットは、制御要素を含み、該制御要素によって、前記第１の指標情報が搬送される、請求項１０乃至１３のいずれか一項に記載の方法。
【請求項１５】
前記第１のフィードバック情報のシグナリングフォーマットが、アップリンク制御情報であり、該アップリンク制御情報によって、前記第１の指標情報が搬送される、請求項１０乃至１３のいずれか一項に記載の方法。
【請求項１６】
当該方法は、
前記ネットワーク装置が、前記第１のフィードバック情報に基づいて利用可能なビームセットを生成するステップと、
前記ネットワーク装置が、第２の構成情報を前記端末装置に送信するステップと、をさらに含み、
前記第２の構成情報は、前記利用可能なビームセットを示すために使用される。請求項１０乃至１５のいずれか一項に記載の方法。
【請求項１７】
プロセッサ及びメモリを含む通信機器であって、
前記メモリは、コンピュータ実行可能命令を格納するように構成され、
前記プロセッサは、前記メモリに格納された前記コンピュータ実行可能命令を実行するように構成され、それによって、当該通信機器は、請求項１乃至１６のいずれか一項に記載の方法における前記ネットワーク装置又は前記端末装置の機能を実施する、
通信機器。
【請求項１８】
コンピュータ可読記憶媒体であって、当該記憶媒体はコンピュータ命令を記憶し、該コンピュータ命令がコンピュータによって実行されるときに、該コンピュータは、請求項１乃至１６のいずれか一項に記載の方法を実行することができる、コンピュータ可読記憶媒体。
【請求項１９】
コンピュータプログラム製品であって、当該コンピュータプログラム製品は、コンピュータ命令を含み、該コンピュータ命令がコンピュータによって実行されるときに、該コンピュータは、請求項１乃至１６のいずれか一項に記載の方法を実行することができる、コンピュータプログラム製品。
【発明の詳細な説明】
【技術分野】
【０００１】
本願は、２０１８年６月２９日に中国特許庁に提出された、“COMMUNICATION METHOD AND COMMUNICATIONS APPARATUS（通信方法及び通信機器）”という表題の中国特許出願第２０１８１０７１３３１８．２号について優先権を主張するものであり、この文献はその全体が参照により本明細書に組み込まれる。
【０００２】
本願は、無通信技術の分野に関し、特に、通信方法及び通信機器に関する。
【０００３】
第４世代の移動通信システムと比較して、第５世代の移動通信システムは、より高い搬送周波数を使用する。搬送周波数が高いほど、無線信号のフェージングが深刻であることを示す。従って、ビームフォーミング（beamforming，BF）技術が第５世代移動通信システムで提案される。ＢＦ技術により、指向性の良いビームを得ることができ、送信方向の無線信号のパワーを上げて、無線信号のフェージングに抵抗することができる。
【０００４】
第３世代パートナーシッププロジェクト（3rd generation partnership project,
3GPP）リリース１５（R15）では、ビーム品質を測定するための方法が提供される。具体的には、基地局は、ビームリソース構成情報を端末装置に送信し、そこでビームリソース構成情報は、時間周波数ドメインリソースの位置及び基地局によって異なるビームで送信される参照信号の周期性等の情報を端末装置に通知するために使用される。基地局は、ビームリソース構成情報に基づいて、異なるビームで参照信号を送信する。端末装置は、対応するビームで参照信号を受信し、異なるビームで受信した参照信号に基づいてビーム品質測定レポートを基地局にフィードバックすることができ、それによって、基地局は、異なるビームを使用して通信の品質を学習する。従来技術では、端末装置が、どの様にビーム品質測定レポートを基地局にフィードバックするかについての関連する解決策はない。
【発明の概要】
【０００５】
本願は、端末装置がビーム品質測定レポートをフィードバックする解決策を提供するための、通信方法及び通信機器を提供する。
【０００６】
第１の態様によれば、本願は、通信方法を提供する。この方法は、具体的には以下のとおりである。端末装置は、ネットワーク装置の第１のビームから第１の参照信号を受信する。端末装置は、第１の閾値及び第１の参照信号に基づいて、第１のビームの利用可能性を決定する。端末装置は、第１のフィードバック情報をネットワーク装置に送信し、第１のフィードバック情報には、少なくとも第１の指標情報が含まれ、第１の指標情報は、第１のビームの利用可能性を示すために使用される。
【０００７】
端末装置が第１のビームを介して第１の参照信号を受信するときに、端末装置が第１のビームの識別子及び第１の参照信号の受信電力をネットワーク装置にフィードバックする場合のエアインターフェイスオーバーヘッド及び物理アップリンクリソースの利用率と比較して、この方法では、エアインターフェイスのオーバーヘッドを削減することができ、物理アップリンクリソースの利用率を向上させることができる。
【０００８】
第２の態様によれば、本願は、通信方法を提供する。この方法は、具体的には次のとおりである。端末装置は、ネットワーク装置の第１のビームから第１の参照信号を受信する。端末装置は、第１の閾値及び第１の参照信号に基づいて、第１のビームの利用可能性を決定する。端末装置は、第１の指標情報をネットワーク装置に送信し、そこで第１の指標情報は、第１のビームの利用可能性を示すために使用される。本願のこの実施形態では、端末装置が、第１のビームの識別子及び第１の参照信号の受信電力をフィードバックする場合のエアインターフェイスオーバーヘッド及び物理アップリンクリソースの利用率と比較して、端末装置によってビームの利用可能性を直接フィードバックする方法では、エアインターフェイスのオーバーヘッドを削減することができ、物理アップリンクリソースの利用率を向上させることができる。
【０００９】
可能な実施態様において、第１の態様及び第２の態様の第１の閾値は、端末装置によって決定してもよく、ネットワーク装置によって決定してもよく、又はプロトコルにおいて事前に指定してもよく、次に、端末装置及びネットワーク装置に設定される。この例では、第１の閾値がネットワーク装置によって決定される場合に、端末装置は、ネットワーク装置から第１の構成情報を受信することができ、第１の構成情報には、第１の閾値が含まれる。第１の閾値が端末装置によって決定される場合に、端末装置は、第２の指標情報をネットワーク装置に送信することができ、第２の指標情報によって、第１の閾値が搬送され、第２の指標情報は、第１のフィードバック情報で搬送されることに限定されない。
【００１０】
可能な実施態様において、１つ又は複数の第１の閾値が存在する。第１の閾値が１つある場合に、１つの第１の指標情報があり、第１の指標情報は、第１の閾値の決定基準に従って、第１のビームの利用可能性を示すために使用される。あるいはまた、第１の閾値が複数ある場合に、複数の第１の指標情報があり、それぞれの第１の指標情報が、対応する第１の閾値の決定基準に従って、第１のビームの利用可能性を示すために使用される。
【００１１】
可能な実施態様において、第１のフィードバック情報のシグナリングフォーマットが、メディアアクセス制御プロトコルデータユニットであり、メディアアクセス制御プロトコルデータユニットは、制御要素を含み、制御要素によって、第１の指標情報が搬送される。あるいはまた、第１のフィードバック情報のシグナリングフォーマットが、アップリンク制御情報であり、アップリンク制御情報によって、第１の指標情報が搬送される。
【００１２】
可能な実施態様において、端末装置は、以下の方法で第１のビームの利用可能性を決定することができる。端末装置は、第１の参照信号に関連する品質パラメータを決定する。品質パラメータが第１の閾値以上である場合に、端末装置は、第１のビームが利用可能であると判定する。あるいはまた、品質パラメータが第１の閾値よりも小さい場合に、端末装置は、第１のビームが利用不可であると判定する。本願のこの実施形態は、以下の場合に限定されない。品質パラメータが第１の閾値よりも大きい場合に、端末装置は、第１のビームが利用可能であると判定する。品質パラメータが第１の閾値以下である場合に、端末装置は、第１のビームが利用不可であると判定する。品質パラメータには、参照信号受信電力、参照信号受信品質、参照信号受信強度インジケータ、信号対干渉プラス雑音比、信号品質インジケータ、ランクインジケータ、及びプリコーディングマトリックスのうちの１つ又は複数が含まれる。
【００１３】
可能な実施態様において、端末装置は、ネットワーク装置から第２の構成情報を受信することができ、第２の構成情報は、利用可能なビームセットを示すために使用され、利用可能なビームセットには、１つ又は複数の利用可能なビームが含まれ得る。これは、本願では限定されない。
【００１４】
第２の態様によれば、本願は、通信方法をさらに提供し、この方法は、具体的には以下のとおりである。ネットワーク装置は、第１の参照信号を生成する。ネットワーク装置は、第１のビームを介して第１の参照信号を端末装置に送信する。ネットワーク装置は、端末装置から第１のフィードバック情報を受信し、第１のフィードバック情報は、第１の参照信号及び第１の閾値に基づいて決定され、第１のフィードバック情報には、少なくとも第１の指標情報が含まれ、第１の指標情報は、第１のビームの利用可能性を示するために使用される。
【００１５】
第４の態様によれば、本願は、通信方法をさらに提供し、この方法は、具体的には以下のとおりである。ネットワーク装置は、第１の参照信号を生成する。ネットワーク装置は、第１のビームを介して第１の参照信号を端末装置に送信する。ネットワーク装置は、端末装置から第１の指標情報を受信し、第１の指標情報は、第１のビームの利用可能性を示すために使用され、第１のビームの利用可能性は、第１の閾値及び第１の参照信号に基づいて決定される。
【００１６】
可能な実施態様において、ネットワーク装置は、第１の構成情報を端末装置に送信し、第１の構成情報には、第１の閾値が含まれる。あるいはまた、第１のフィードバック情報には、第２の指標情報がさらに含まれ、第２の指標情報は、第１の閾値を示すために使用される。本願のこの実施形態では、１つ又は複数の第１の閾値が存在する。第１の閾値が１つある場合に、１つの第１の指標情報があり、第１の指標情報は、第１の閾値の決定基準に従って、第１のビームの利用可能性を示すために使用される。あるいはまた、第１の閾値が複数ある場合に、複数の第１の指標情報があり、それぞれの第１の指標情報が、対応する第１の閾値の決定基準に従って、第１のビームの利用可能性を示すために使用される。
【００１７】
本願の可能な実施態様において、第１のフィードバック情報のシグナリングフォーマットが、メディアアクセス制御プロトコルデータユニットであり、メディアアクセス制御プロトコルデータユニットは、制御要素を含み、制御要素によって、第１の指標情報が搬送される。あるいはまた、第１のフィードバック情報のシグナリングフォーマットが、アップリンク制御情報であり、アップリンク制御情報によって、第１の指標情報が搬送される。
【００１８】
本願の可能な実施態様において、ネットワーク装置は、第１のフィードバック情報に基づいて利用可能なビームセットを生成することができる。ネットワーク装置は、第２の構成情報を端末装置に送信し、そこで第２の構成情報は、利用可能なビームセットを示すために使用される。利用可能なビームセットには、１つ又は複数の利用可能なビームが含まれ得る。
【００１９】
第５の態様によれば、本願は、端末装置に適用され、且つ第１の態様及び第２の態様のステップを実行するように構成されたユニット又は手段（means）を含む通信機器を提供する。
【００２０】
例えば、本願の一例では、通信機器は、受信モジュール、処理モジュール、及び送信モジュールを含み得る。受信モジュールは、ネットワーク装置の第１のビームから第１の参照信号を受信するように構成され得る。処理モジュールは、第１の閾値及び第１の参照信号に基づいて、第１のビームの利用可能性を決定するように構成され得る。送信モジュールは、第１のフィードバック情報をネットワーク装置に送信するように構成され得、第１のフィードバック情報には、少なくとも第１の指標情報が含まれ、第１の指標情報は、第１のビームの利用可能性を示すために使用される。
【００２１】
別の例として、本願の別の例では、通信機器は、受信モジュール、処理モジュール、及び送信モジュールを含み得る。受信モジュールは、ネットワーク装置の第１のビームから第１の参照信号を受信するように構成される。処理モジュールは、第１の閾値及び第１の参照信号に基づいて、第１のビームの利用可能性を決定するように構成され得る。トランシーバモジュールは、第１の指標情報をネットワーク装置に送信するように構成され得る。
【００２２】
本願の可能な実施態様において、受信モジュールは、ネットワーク装置から第１の構成情報を受信するようにさらに構成され、第１の構成情報には、第１の閾値が含まれる。
【００２３】
本願の可能な実施態様において、第１のフィードバック情報には、第２の指標情報がさらに含まれ、第２の指標情報は、第１の閾値を示すために使用される。
【００２４】
本願の可能な実施態様において、１つ又は複数の第１の閾値が存在する。第１の閾値が１つある場合に、１つの第１の指標情報があり、第１の指標情報は、第１の閾値の決定基準に従って、第１のビームの利用可能性を示すために使用される。あるいはまた、第１の閾値が複数ある場合に、複数の第１の指標情報があり、それぞれの第１の指標情報が、対応する第１の閾値の決定基準に従って、第１のビームの利用可能性を示すために使用される。
【００２５】
本願の可能な実施態様において、第１のフィードバック情報のシグナリングフォーマットが、メディアアクセス制御プロトコルデータユニットであり、メディアアクセス制御プロトコルデータユニットは、制御要素を含み、制御要素によって、第１の指標情報が搬送される。
【００２６】
本願の可能な実施態様において、第１のフィードバック情報のシグナリングフォーマットが、アップリンク制御情報であり、アップリンク制御情報によって、第１の指標情報が搬送される。
【００２７】
本願の可能な実施態様において、処理モジュールは、第１の参照信号に関連する品質パラメータを決定し、そして品質パラメータが第１の閾値以上である場合に、第１のビームが利用可能であると判定するか、又は品質パラメータが第１の閾値よりも小さい場合に、第１のビームが利用不可であると判定するように特に構成される。
【００２８】
本願の可能な実施態様において、品質パラメータには、参照信号受信電力、参照信号受信品質、参照信号受信強度インジケータ、信号対干渉プラス雑音比、信号品質インジケータ、ランクインジケータ、及びプリコーディングマトリックスインジケータのうちの１つ又は複数が含まれる。
【００２９】
本願の可能な実施態様において、受信モジュールは、ネットワーク装置から第２の構成情報を受信するようにさらに構成され、第２の構成情報は、利用可能なビームセットを示すために使用される。
【００３０】
第６の態様によれば、本願は、ネットワーク装置に適用され、且つ第２の態様及び第３の態様のステップを実行するように構成されたユニット又は手段（means）を含む通信機器を提供する。
【００３１】
例えば、本願の一例では、通信機器は、処理モジュール、送信モジュール、及び受信モジュールを含み得る。処理モジュールは、第１の参照信号を生成するように構成され得る。送信モジュールは、第１のビームを介して第１の参照信号を端末装置に送信するように構成され得る。受信モジュールは、端末装置から第１のフィードバック情報を受信するように構成され、第１のフィードバック情報は、第１の参照信号及び第１の閾値に基づいて決定され、第１のフィードバック情報には、少なくとも第１の指標情報が含まれ、第１の指標情報は、第１のビームの利用可能性を示すために使用される。
【００３２】
例えば、本願の別の例では、通信機器は、具体的には以下のような、処理モジュール、送信モジュール、及び受信モジュールを含み得る。処理モジュールは、第１の参照信号を生成するように構成され得る。送信モジュールは、第１のビームを介して第１の参照信号を端末装置に送信するように構成され得る。受信モジュールは、端末装置から第１の指標情報を受信するように構成され得、第１の指標情報は、第１のビームの利用可能性を示すために使用される。
【００３３】
本願の可能な実施態様において、送信モジュールは、第１の構成情報を端末装置に送信するようにさらに構成され、第１の構成情報には、第１の閾値が含まれる。
【００３４】
本願の可能な実施態様において、第１のフィードバック情報には、第２の指標情報がさらに含まれ、第２の指標情報は、第１の閾値を示すために使用される。
【００３５】
本願の可能な実施態様において、１つ又は複数の第１の閾値が存在する。第１の閾値が１つある場合に、１つの第１の指標情報があり、第１の指標情報は、第１の閾値の決定基準に従って、第１のビームの利用可能性を示すために使用される。あるいはまた、第１の閾値が複数ある場合に、複数の第１の指標情報があり、それぞれの第１の指標情報が、対応する第１の閾値の決定基準に従って、第１のビームの利用可能性を示すために使用される。
【００３６】
本願の可能な実施態様において、第１のフィードバック情報のシグナリングフォーマットが、メディアアクセス制御プロトコルデータユニットであり、メディアアクセス制御プロトコルデータユニットは、制御要素を含み、制御要素によって、第１の指標情報が搬送される。
【００３７】
本願の可能な実施態様において、第１のフィードバック情報のシグナリングフォーマットが、アップリンク制御情報であり、アップリンク制御情報によって、第１の指標情報が搬送される。
【００３８】
本願の可能な実施態様において、処理モジュールは、第１のフィードバック情報に基づいて利用可能なビームセットを生成するようにさらに構成され得る。送信モジュールは、第２の構成情報を端末装置に送信するようにさらに構成され、第２の構成情報は、利用可能なビームセットを示すために使用される。
【００３９】
第７の態様によれば、本願は、端末装置に適用され、且つ少なくとも１つの処理要素及び少なくとも１つの記憶要素を含む通信機器を提供し、少なくとも１つの記憶要素は、プログラム及びデータを記憶するように構成され、少なくとも１つの処理要素は、本願の第１の態様又は第２の態様で提供される方法を実行するように構成される。
【００４０】
第８の態様によれば、本願は、ネットワーク装置に適用され、且つ少なくとも１つの処理要素及び少なくとも１つの記憶要素を含む通信機器を提供し、少なくとも１つの記憶要素は、プログラム及びデータを記憶するように構成され、少なくとも１つの処理要素は、本願の第３の態様又は第４の態様で提供される方法を実行するように構成される。
【００４１】
第９の態様によれば、本願は、端末装置に適用され、且つ第１の態様又は第２の態様の方法を実行するように構成された少なくとも１つの処理要素（又はチップ）を含む通信機器を提供する。
【００４２】
第１０の態様によれば、本願は、ネットワーク装置に適用され、且つ第２の態様又は第３の態様の方法を実行するように構成された少なくとも１つの処理要素（又はチップ）を含む通信機器を提供する。
【００４３】
前述した機器は、ネットワーク装置又は端末装置であり得るか、又はネットワーク装置又は端末装置内のチップ又は機能モジュールであり得る。
【００４４】
第１１の態様によれば、本願は、プログラムを提供し、プログラムは、プロセッサによって実行されるときに、前述した態様のいずれか１つの方法を実行するために使用される。
【００４５】
第１２の態様によれば、本願は、前述した態様のいずれか１つのプログラムを含むプログラム製品、例えばコンピュータ可読記憶媒体を提供する。
【００４６】
第１３の態様によれば、本願の一実施形態は、移動体通信システムを提供し、移動体通信システムは、端末装置及びネットワーク装置を含む。
【図面の簡単な説明】
【００４７】
【図１】本願の一実施形態による通信システムの概略図である。
【図２】本願の一実施形態による通信方法のフローチャートである。
【図３】本願の一実施形態による、ＭＡＣ  ＰＤＵの概略図である。
【図４】本願の一実施形態による通信方法のフローチャートである。
【図５】本願の一実施形態による通信方法のフローチャートである。
【図６】本願の一実施形態による、ＭＡＣ  ＣＥの概略図である。
【図７】本願の一実施形態による通信方法の別のフローチャートである。
【図８】本願の一実施形態による通信機器の概略構造図である。
【図９】本願の一実施形態による通信機器の別の概略構造図である。
【図１０】本願の一実施形態による基地局の概略構造図である。
【図１１】本願の一実施形態による端末装置の概略構造図である。
【発明を実施するための形態】
【００４８】
以下は、本願の実施形態における添付の図面を参照して、本願の実施形態における技術的解決策について説明する。
【００４９】
図１は、本願の一実施形態による通信システム１００を示している。通信システム１００は、ネットワーク装置１０１及び端末装置１０２を含み得る。
【００５０】
ネットワーク装置１０１は、無線アクセス関連サービスを端末装置１０２に提供して、無線物理層機能、リソーススケジューリング及び無線リソース管理機能、サービス品質（quality of service, QoS）管理機能、無線アクセス制御機能、及びモビリティ管理機能のうちの１つ又は複数を実施することができる。端末装置１０２は、エアインターフェイスを使用することによりネットワーク装置１０１にアクセスすることができる。本願のこの実施形態では、ネットワーク装置１０１は、ビームを介して端末装置１０２と通信することができる。
【００５１】
本願は、ビーム品質測定方法を提供する。具体的には、ネットワーク装置１０１は、第１のビームを介して第１の参照信号を端末装置１０２に送信することができ、端末装置１０２は、第１のビームで受信した第１の参照信号に基づいて、第１のビームのビーム品質測定レポートを生成し、第１のビームのビーム品質測定レポートをネットワーク装置１０１にフィードバックすることができる。
【００５２】
本願の例では、第１のビームに関するものであり、且つ端末装置１０２によってフィードバックされるビーム品質測定レポートのフォーマットは、｛第１のビームの識別子、第１の参照信号の受信電力｝であり得る。第１のビームに関するものであり、且つ端末装置１０２によってフィードバックされるビーム品質測定レポートは、第１のビームの識別子と、第１のビームで受信した第１の参照信号のパワーとの２つの部分のコンテンツを含むことがうかがえる。その結果、エアインターフェイスのオーバーヘッドは比較的高くなる。
【００５３】
例えば、第１のビームは合計６４個のビームを含み、各ビームの識別子は６ビット（ｌｏｇ２６４＝６）を占める。また、６４個のビームのうち、参照信号の受信電力が最大のビームは７ビットを占め、参照信号の受信電力を差分的に報告する必要がある残りの６３個のビームはそれぞれ４ビットを占める。具体的には、ビーム品質測定レポートをフィードバックする前述した指定フォーマットに基づき、６４個のビームが存在する場合に、１つのビームの品質測定レポートが１３ビットを占め、残りの６３個のビームの品質測定レポートがそれぞれ１０ビットを占める。端末装置が６４個のビームの品質測定レポートをフィードバックする場合に、合計１３＋１０×６３＝６４３ビットが占有される。その結果、エアインターフェイスのオーバーヘッドは比較的高くなる。
【００５４】
前述した説明に基づいて、本願は、通信方法を提供する。通信方法により、端末装置によるビーム品質測定レポートをフィードバックするオーバーヘッドを削減することができる。主な原理は以下のとおりである。端末装置は、第１のビームを介して第１の参照信号を受信すると、第１の参照信号及び第１の閾値に基づいて第１のビームの利用可能性を決定し、次に、第１のビームの利用可能性をネットワーク装置に直接フィードバックする。端末装置が第１のビームの識別子及び第１の参照信号の受信電力をネットワーク装置にフィードバックする場合のエアインターフェイスのオーバーヘッドと比較して、この方法では、エアインターフェイスのオーバーヘッドを削減することができる。
【００５５】
理解を容易にするために、本願に関連する概念の説明は、以下に示される例を使用することによって参照のために提供される：
【００５６】
１）ビーム（Beam）：ビームは通信リソースであり、ビームは、広幅ビーム、狭幅ビーム、又は別のタイプのビームであり得る。ビームを形成するための技術は、ビームフォーミング技術又は別の技術であり得る。ビームフォーミング技術は、具体的には、デジタルビームフォーミング技術、アナログビームフォーミング技術、ハイブリッドデジタル／アナログビームフォーミング技術等であり得る。異なるビームは異なる通信リソースと見なされる場合があり、同じ情報又は異なる情報が異なるビームによって送信される場合がある。オプションで、同じ又は同様の通信機能を有する複数のビームは、１つのビームと見なすことができ、ビームは、データチャネル、制御チャネル、サウンディング（sounding）信号等を送信するために使用される１つ又は複数のアンテナポートを含むことができる。例えば、送信ビームは、アンテナを使用して信号が送信された後に、空間内の異なる方向に形成される信号強度分布であり得、受信ビームは、アンテナから受信した無線信号の空間内の異なる方向における信号強度分布であり得る。ビームを形成する１つ又は複数のアンテナポートも１つのアンテナポートセットと見なすことができ、ビームは空間フィルタ（spatial filter）と呼ばれることもあり、送信ビームは空間送信フィルタと呼ばれることもあり、受信ビームは空間受信フィルタと呼ばれることもあることが理解され得る。
【００５７】
２）ビーム管理リソースは、ビーム管理に使用されるリソースであり、ビーム品質を計算及び測定するために使用されるリソースとして表すこともできる。ビーム品質には、レイヤ１受信参照信号電力（layer 1 reference signal received power, L1-RSRP）、レイヤ１受信参照信号品質（layer 1 reference signal received quality, L1-RSRQ）等が含まれる。具体的には、ビーム管理リソースには、同期信号（synchronization signal, SS）、同期信号ブロック（synchronization
signal block, SSB）、同期ブロードキャスト信号ブロック（SS/PBCH block）、ブロードキャストチャネル、ブロードキャストチャネル復調参照信号、追跡参照信号、ダウンリンクチャネル測定参照信号、ダウンリンク制御チャネル復調参照信号、ダウンリンク共有チャネル復調参照信号、アップリンクサウンディング参照信号、アップリンクランダムアクセス信号等が含まれ得る。
【００５８】
３）ビーム指標情報は、送信に使用されるビームを示すために使用され、ビームは、送信ビーム及び受信ビームのうちの少なくとも１つを含む。ビーム指標情報には、ビーム番号、ビーム管理リソース番号、アップリンク信号リソース番号、ダウンリンク信号リソース番号、ビームの絶対指数、ビームの相対指数、ビームの論理指数、ビームに対応するアンテナポートのインデックス、ビームに対応するアンテナポートグループのインデックス、ビームに対応するダウンリンク信号のインデックス、ビームに対応するダウンリンク同期信号ブロックの時間インデックス、ビームペアリンク（beam pair link, BPL）情報、ビームに対応する送信パラメータ（Tx
parameter）、ビームに対応する受信パラメータ（Rx parameter）、ビームに対応する送信重み、ビームに対応する重み行列、ビームに対応する重みベクトル、ビームに対応する受信重み、ビームに対応する送信重みのインデックス、ビームに対応する重み行列のインデックス、ビームに対応する重みベクトルのインデックス、ビームに対応する受信重みのインデックス、ビームに対応する受信コードブック、ビームに対応する送信コードブック、ビームに対応する受信コードブックのインデックス、及びビームに対応する送信コードブックのインデックスのうちの少なくとも１つが含まれ得る。ダウンリンク信号には、同期信号、ブロードキャストチャネル、ブロードキャスト信号復調信号、チャネル状態情報ダウンリンク信号（channel state information reference signal, CSI-RS）、セル固有の参照信号（cell specific reference signal, CS-RS）、ＵＥ固有の参照信号（user equipment specific reference signal, US-RS）、ダウンリンク制御チャネル復調参照信号、ダウンリンクデータチャネル復調参照信号、及びダウンリンク位相ノイズ追跡信号のいずれか１つが含まれる。アップリンク信号には、アップリンクランダムアクセスシーケンス、アップリンクサウンディング参照信号、アップリンク制御チャネル復調参照信号、アップリンクデータチャネル復調参照信号、及びアップリンク位相ノイズ追跡信号のいずれか１つが含まれる。オプションで、ネットワーク装置は、ＱＣＬ関係を有し、且つ周波数リソースグループに関連付けられたビーム内にあるＱＣＬ識別子をビームにさらに割り当てることができる。ビームは、空間透過フィルタと呼ばれることもあり、送信ビームは、空間送信フィルタと呼ばれることもあり、受信ビームは、空間受信フィルタと呼ばれることもある。ビーム指標情報は、送信構成番号（transmission configuration index, TCI）としてさらに表すことができる。ＴＣＩは、セル番号、帯域幅部品番号、参照信号識別子、同期信号ブロック識別子、及びＱＣＬタイプ等の複数のパラメータを含み得る。
【００５９】
４）ネットワーク装置は、ネットワーク内にあり、且つ端末装置をワイヤレスネットワークに接続する装置であり得る。ネットワーク装置は、無線アクセスネットワーク内のノードであり、基地局と呼ばれることもあり、又は無線アクセスネットワーク（radio access network, RAN）ノード（又は装置）と呼ばれることもある。現在、例えば、ネットワーク装置は、ｇＮＢ、送受信ポイント（transmission reception point, TRP）、進化型ノードＢ（evolved
Node B, eNB）、無線ネットワークコントローラ（radio network controller, RNC）、ノードＢ（NodeB, NB）、基地局コントローラ（base station controller, BSC）、ベーストランシーバ基地局（base
transceiver station, BTS）、ホーム基地局（例えば、ホーム進化型ノードＢ又はホームノードＢ、ＨＮＢ）、ベースバンドユニット（base band unit, BBU）、又はワイヤレスフィデリティ（wireless
fidelity, Wifi）アクセスポイント（access point, AP）である。さらに、ネットワーク構造において、ネットワーク装置は、集中型ユニット（centralized unit, CU）ノード及び分散型ユニット（distributed
unit, DU）ノードを含み得る。この構造では、ロングタームエボリューション（long term evolution, LTE）システムのｅＮＢのプロトコル層が分割され、プロトコル層の一部の機能がＣＵによって集中管理され、プロトコル層の残りの機能又は全ての機能はＤＵに分散され、ＤＵはＣＵによって集中管理される。
【００６０】
５）ユーザ機器（user equipment, UE）、移動局（mobile station,
MS）、移動端末（mobile terminal, MT）等とも呼ばれる端末装置は、音声及び／又はデータ接続をユーザに提供する装置、例えば、ワイヤレス接続機能を有するハンドヘルド装置又は車載装置である。現在、例えば、端末は、携帯電話（mobile phone）、タブレットコンピュータ、ノートブックコンピュータ、パームトップ、モバイルインターネット装置（mobile internet device, MID）、ウェアラブル装置、仮想現実（virtual
reality, VR）装置、拡張現実（augmented reality, AR）装置、産業用制御（industrial
control）のワイヤレス端末、自動運転（self driving）のワイヤレス端末、遠隔手術（remote medical surgery）のワイヤレス端末、スマートグリッド（smart grid）のワイヤレス端末、輸送安全（transportation safety）のワイヤレス端末、スマートシティ（smart city）のワイヤレス端末、スマートホーム（smart home）のワイヤレス端末等である。
【００６１】
６）通信システムは、符号分割多元接続（code division multiple access, CDMA）、時分割多元接続（time division multiple access, TDMA）、周波数分割多元接続（frequency
division multiple access, FDMA）、直交周波数分割多元接続（orthogonal
frequency-division multiple access, OFDMA）、シングル搬送周波数分割多元接続（single
carrier FDMA, SC-FDMA）、又は別のシステム等の様々な無線アクセス技術（radio access
technology, RAT）のシステムであり得る。「システム」及び「ネットワーク」という用語は、互いに交換可能にすることができる。ＣＤＭＡシステムは、ユニバーサル無線地上アクセス（universal terrestrial radio access, UTRA）及びＣＤＭＡ２０００等の無線技術を実施することができる。ＵＴＲＡは、広帯域ＣＤＭＡ（wideband CDMA, WCDMA）技術及びＣＤＭＡの他の変形技術を含み得る。ＣＤＭＡ２０００は、暫定規格（interim standard, IS）２０００（ＩＳ−２０００）、ＩＳ−９５、及びＩＳ−８５６をカバーし得る。ＴＤＭＡシステムは、移動体通信のためのグローバルシステム（global system for mobile communication, GSM）等の無線技術を実施することができる。ＯＦＤＭＡシステムは、進化型ユニバーサル無線地上アクセス（evolved UTRA, E-UTRA）、ウルトラモバイルブロードバンド（ultra
mobile broadband, UMB）、ＩＥＥＥ８０２．１１（Wi-Fi）、ＩＥＥＥ８０２．１６（WiMAX）、ＩＥＥＥ８０２．２０、及びフラッシュＯＦＤＭＡ等の無線技術を実施することができる。ＵＴＲＡはＵＭＴＳに対応し、E-ＵＴＲＡはＵＭＴＳの進化版に対応する。３ＧＰＰロングタームエボリューション（long term evolution, LTE）及びＬＴＥに基づいて進化した様々なバージョンは、Ｅ−ＵＴＲＡ  ＵＭＴＳを使用した改訂版である。さらに、通信システムは、将来志向の通信技術にさらに適用できる可能性がある。本願の実施形態で説明するシステムアーキテクチャ及びサービスシナリオは、本願の実施形態の技術的解決策をより明確に説明することを意図し、本願の実施形態で提供される技術的解決策に対する制限を構成しない。当業者は、ネットワークアーキテクチャの進化及び新しいサービスシナリオの出現により、本願の実施形態で提供される技術的解決策が、同様の技術的問題にも適用可能であることを知っている場合がある。
【００６２】
さらに、本願の説明において、「第１の」及び「第２の」等の用語は、単に区別及び説明のために使用され、相対的な重要性の指示又は含意、或いは順序の指示又は含意として理解することはできないことを理解されたい。
【００６３】
図２に示されるように、本願は、通信方法の手順を提供する。通信方法は、主に、ダウンリンク参照信号のダウンリンクビーム管理に使用される。図２に示される手順では、第１の参照信号は、具体的にはダウンリンク参照信号であり得、第１のビームは、具体的にはダウンリンクビームであり得る。ステップＳ２０１及びステップＳ２０５は、図１に示される通信システム１００内のネットワーク装置１０１によって実行され得るか、又はステップＳ２０１及びステップＳ２０５を実施する際にネットワーク装置をサポートするチップ又はチップシステム等の機器によって実行され得る。本願のこの実施形態では、ステップＳ２０１及びステップＳ２０５がネットワーク装置によって実行される例が説明のために使用される。ステップＳ２０２からステップＳ２０４は、図１に示される通信システム１００内の端末装置１０２によって実行され得るか、又はステップＳ２０２からステップＳ２０４を実施する際に端末装置をサポートするチップ又はチップシステム等の機器によって実行され得る。本願のこの実施形態では、ステップＳ２０２からステップＳ２０４が端末装置によって実行される例が説明のために使用される。
【００６４】
ステップＳ２０１：ネットワーク装置は、第１のビームを介して第１の参照信号を送信する。
【００６５】
本願のこの実施形態では、第１の参照信号は、チャネル状態情報参照信号（channel status information reference signal, CSI-RS）、同期信号、ブロードキャストチャネル、ブロードキャスト信号復調信号、セル固有の参照信号（cell specific reference signal, CS-RS）、ＵＥ固有の参照信号（user equipment specific reference signal, US-RS）、追跡参照信号（tracking reference signal, TRS）、ダウンリンク制御チャネル復調参照信号、ダウンリンクデータチャネル復調参照信号、及びダウンリンク位相ノイズ追跡信号のうちの任意の１つ又は複数であり得る。
【００６６】
ステップＳ２０２：端末装置は、第１のビームを介して第１の参照信号を受信する。
【００６７】
ステップＳ２０３：端末装置は、第１の閾値及び第１の参照信号に基づいて、第１のビームの利用可能性を決定する。
【００６８】
本願のこの実施形態では、第１の閾値は、端末装置及びネットワーク装置によって事前に合意され得、端末装置において設定され得る。あるいはまた、第１の閾値は、端末装置によって決定され、次にネットワーク装置に通知され得る。あるいはまた、第１の閾値はネットワーク装置によって決定され、次に端末装置に通知される。本願のこの実施形態では、端末装置は、端末装置の能力報告情報に第１の閾値を含めるか、アップリンク制御情報（uplink control information, UCI）に第１の閾値を含めるか、又はメディアアクセス制御制御要素（medium access control control element, MAC CE）に第１の閾値を含めることができる。次に、端末装置は、アップリンク制御チャネル又はアップリンクデータチャネルを介して第１の閾値を送信する。
【００６９】
本願のこの実施形態では、第１の閾値及び第１の参照信号に基づいて第１のビームの利用可能性を決定する方法は、以下の例示的な方法を含み得るが、これらに限定されない：
【００７０】
例１：端末装置は、第１の参照信号に関連する品質パラメータを決定する。品質パラメータが第１の閾値以上である場合に、端末装置は、第１のビームが利用可能であると判定する。あるいはまた、品質パラメータが第１の閾値よりも小さい場合に、端末装置は、第１のビームが利用不可であると判定する。
【００７１】
例２：端末装置は、第１の参照信号に関連する品質パラメータを決定する。品質パラメータが第１の閾値より大きい場合に、端末装置は、第１のビームが利用可能であると判定する。あるいはまた、品質パラメータが第１の閾値以下である場合に、端末装置は、第１のビームが利用不可であると判定する。
【００７２】
本願の例１及び例２において、第１の参照信号に関連する品質パラメータには、参照信号受信電力（reference signal received power, RSRP）、参照信号受信品質（reference signal received quality, RSRQ）、参照信号受信強度インジケータ（received signal strength indicator , RSSI）、信号対干渉プラス雑音比（signal to interference and noise ratio, SINR）、チャネル品質インジケータ（channel quality indicator, CQI）、ランクインジケータ（rank
indicator, RI）、プリコーディングマトリックスインジケータ（precoding matrix indicator, PMI）、及びブロックエラー率（block
error rate, BLER）のうちの１つ又は複数が含まれ得る。本願のこの実施形態では、前述した品質パラメータの１つ又は複数を使用することによってビーム利用可能性を計算することは、ネットワーク装置構成を使用することによって、又はプロトコル事前規定された方法で、端末装置及びネットワーク装置に構成され得る。
【００７３】
本願のこの実施形態では、参照信号受信電力、参照信号受信品質、参照信号受信強度インジケータ、信号対干渉プラス雑音比、チャネル品質インジケータ、ランクインジケータ、及びプリコーディングマトリックスインジケータ等のパラメータに関して、値が大きいほど、ビームの利用可能性及びチャネル品質が向上していることを示すことに留意されたい。ブロックエラー率に関して、値が大きいほど、ビームの利用可能性及びチャネル品質が低いことを示す。
【００７４】
オプションで、第１の閾値を、第１の参照信号に関連し、且つ測定によって得られる品質パラメータと比較する場合に、端末装置は、第１の参照信号の送信電力に基づいて、第１の閾値又は測定によって得られる品質パラメータをスケーリングすることができる。例えば、第１の閾値は、送信電力がＸｄＢｍであり、第１の参照信号の送信電力がＸ＋ｙｄＢｍであるという参照に基づいて設定される。第１の閾値を第１の参照信号に関連する品質パラメータと比較する場合に、端末装置は、測定によって得られた品質パラメータをｙに関連する値だけ減少させ、次に品質パラメータを第１の閾値と比較することができるか、又は第１の閾値をｙに関連する値だけ増やし、次に測定によって得られた品質パラメータを第１の閾値と比較することができる。
【００７５】
オプションで、第１の閾値は、ビーム障害判定閾値、候補ビーム閾値、リンク障害（非同期（out-of-sync））閾値、リンク同期（同期（in-sync））閾値、及び閾値を決定するセル再選択イベントの閾値のうちの少なくとも１つに関連し得る。
【００７６】
オプションで、異なるビーム管理リソースについて、第１の閾値は異なる場合がある。例えば、ビーム管理リソースがＣＳＩ−ＲＳである場合に、第１の閾値はａである。ビーム管理リソースがＳＳＢである場合に、第１の閾値はｂである。
【００７７】
本願の例１及び例２において、第１の参照信号に関連する品質パラメータが、参照信号受信電力、参照信号受信品質、又は参照信号受信強度インジケータである場合に、端末装置は、第１の参照信号を受信及び測定して、第１の参照信号の参照信号受信電力、第１の参照信号の参照信号受信品質、又は第１の参照信号の参照信号受信強度インジケータを取得することができる。本願の本実施形態では、端末装置が第１の参照信号を測定して第１の参照信号の参照信号受信電力を取得する場合に、第１の閾値は、参照信号受信電力を測定単位として使用することによって設定される。同様に、端末装置が第１の参照信号を測定して第１の参照信号の参照信号受信品質を取得する場合に、第１の閾値は、参照信号受信品質を測定単位として使用することによって設定される。端末装置が第１の参照信号を測定して第１の参照信号の参照信号受信強度インジケータを取得する場合に、第１の閾値は、参照信号受信強度インジケータを測定単位として使用することによって設定される。
【００７８】
オプションで、本願のこの実施形態では、第１の参照信号に関連する品質パラメータが参照信号受信電力及び参照信号受信品質である場合に、端末装置は、第１の参照信号を受信及び測定して、第１の参照信号の参照信号受信電力又は参照信号受信品質を取得することができ、次に、第１の参照信号の参照信号受信電力又は参照信号受信品質を測定することができる。具体的には、第１の参照信号を測定して第１の参照信号の参照信号受信電力を取得する場合に、端末装置は、第１の参照信号の参照信号受信電力を測定して、第１の参照信号の参照信号受信電力インジケータを取得することができる。これに対応して、第１の閾値は、参照信号受信電力インジケータを測定単位として使用することによって設定される。第１の参照信号を測定して第１の参照信号の参照信号受信品質を取得する場合に、端末装置は、第１の参照信号の参照信号受信品質を測定して、第１の参照信号の参照信号受信品質インジケータを取得することができる。これに対応して、第１の閾値は、参照信号受信品質インジケータを測定単位として使用することによって設定される。
【００７９】
本願のこの実施形態では、第１の参照信号に関連する品質パラメータが信号対干渉プラス雑音比である場合に、端末装置は、第１の参照信号を受信及び測定して、第１の参照信号の強度及び干渉信号の強度を取得することができる。次に、端末装置は、第１の参照信号の強度及び干渉信号の強度に基づいて、信号対干渉プラス雑音比を取得する。これに対応して、第１の閾値は、信号対干渉プラス雑音比を測定単位として使用することによって設定される。
【００８０】
本願のこの実施形態では、第１の参照信号に関連する品質パラメータが、チャネル品質インジケータ（channel quality indicator, CQI）、ランクインジケータ（rank
indicator, RI）、プリコーディングマトリックスインジケータ（precoding matrix indicator, PMI）、及びブロックエラー率（block
error rate, BLER）である場合に、端末装置は、チャネル品質を測定して、チャネル品質インジケータ、ランクインジケータ、プリコーディングマトリックスインジケータ、又はブロックエラー率を取得することができる。例えば、端末装置がチャネル品質を測定してチャネル品質インジケータを取得する場合に、第１の閾値は、チャネル品質インジケータを測定単位として使用することによって設定される。同様に、端末装置がチャネル品質を測定してランクインジケータを取得する場合に、第１の閾値は、ランクインジケータを測定単位として使用することによって設定される。端末装置がチャネル品質を測定してプリコーディングマトリックスインジケータを取得する場合に、第１の閾値は、プリコーディングマトリックスインジケータを測定単位として使用することによって設定される。端末装置がチャネル品質を測定してブロックエラー率を取得する場合に、第１の閾値は、ブロックエラー率を測定単位として使用することによって設定される。
【００８１】
ステップＳ２０４：端末装置は、第１のフィードバック情報を送信し、第１のフィードバック情報には、第１の指標情報が含まれ得、第１の指標情報は、第１のビームの利用可能性を示すために使用される。
【００８２】
本願のこの実施形態では、端末装置は、第１のビームと一致する第２のビームを使用することによって、第１のフィードバック情報を送信することができる。第１のビームと第２のビームとの間のマッチング関係は、端末装置のために事前に構成されており、第２のビームは、第１のビームと同じ又は異なる。確かに、本願のこの実施形態では、第１のビームと第２のビームとの間の対応は限定されない。例えば、第２のビームは、代替的に、第１のビームとは無関係であり得る。あるいはまた、端末装置は、ＵＥの能力報告情報に第１のフィードバック情報を含めるか、アップリンク制御情報（uplink control information, UCI）に第１のフィードバックを含めるか、又はメディアアクセス制御制御要素（medium access control control element, MAC CE）に第１のフィードバック情報を含めることができる。次に、端末装置は、アップリンク制御チャネル又はアップリンクデータチャネルを介して第１のフィードバック情報を送信する。本願のこの実施形態では、第１のフィードバック情報を送信する方法は限定されない。
【００８３】
本願のこの実施形態では、第１の指標情報が第１の値である場合に、それは、第１のビームが利用可能であることを示し得る。第１の指標情報が第２の値である場合に、それは第１のビームが利用不可であることを示し得る。第１の値は第２の値とは異なる。第１の値及び第２の値はそれぞれ、１つのバイナリビットによって表され得るか、又は複数のバイナリビットによって表され得る。例えば、バイナリビット０は、第１のビームが利用不可であることを表すために使用され得、バイナリビット１は、第１のビームが利用可能であることを表すために使用され得る。あるいはまた、バイナリビット１は、第１のビームが利用不可であることを示すために使用され得、バイナリビット０は、第１のビームが利用可能であることを示すために使用され得る。
【００８４】
本願の例では、第１のフィードバック情報のシグナリングフォーマットは、メディアアクセス制御プロトコルデータユニット（medium access control protocol data unit, MAC PDU）であり得、ＭＡＣ  ＰＤＵは、制御要素（control element, CE））を含み得、ＣＥによって、第１の指標情報を搬送することができる。
【００８５】
例えば、本願の例では、ＭＡＣ  ＰＤＵは、１つ又は複数のメディアアクセス制御サブプロトコルデータユニット（MAC sub PDU）を含み得、各ＭＡＣサブＰＤＵ（MAC sub PDU）は、パケットヘッダー（subheader）及びＭＡＣ  ＣＥを含み、ここで、ＭＡＣ  ＣＥは、固定サイズ（fixed-sized）又は可変サイズ（variable-sized）であり得る。例えば、図３に示されるように、ＭＡＣ  ＣＥの例では、ＭＡＣ  ＣＥは、Ｎ個のＭＡＣサブＰＤＵ：ＭＡＣサブＰＤＵ１、ＭＡＣサブＰＤＵ２、・・・、及びＭＡＣサブＰＤＵｎを含み得る。ＭＡＣサブＰＤＵ１は、パケットヘッダー及びＭＡＣ  ＣＥ１を含み得、ここで、ＭＡＣ  ＣＥ１は、固定サイズであり得る。ＭＡＣサブＰＤＵ２は、パケットヘッダー及びＭＡＣ  ＣＥ２を含み得、ここで、ＭＡＣ  ＣＥ２は、可変サイズであり得る。ＭＡＣサブＰＤＵｎは、パケットヘッダー及びＭＡＣ  ＣＥｎを含み得、ここで、ＭＡＣ  ＣＥｎは可変サイズである。
【００８６】
本願の別の例では、第１のフィードバック情報のシグナリングフォーマットは、アップリンク制御情報（uplink control information, UCI）であり得、ＵＣＩによって、第１の指標情報が搬送され得る。例えば、本願のこの実施形態では、合計６４個のビームの利用可能性がフィードバックされ、各ビームの利用可能性は、１つのバイナリビットによって表される。この場合に、（各ビットが１つのビームの利用可能性を表す）６４ビットの固定サイズのＵＣＩが設定され得る。
【００８７】
ステップＳ２０５：ネットワーク装置は、第１のフィードバック情報を受信する。
【００８８】
前述した説明から、本願のこの実施形態では、第１のビームに関するものであり、且つ端末装置によってフィードバックされるビーム品質測定レポートには、第１の指標のみが含まれ、第１の指標は、第１のビームの利用可能性を示すために使用されることがうかがえる。第１のビームのビーム品質測定レポートが第１のビームの識別子及び第１の参照信号の受信電力を含む前述した解決策におけるエアインターフェイスのオーバーヘッド及びエアインターフェイスの利用率と比較して、この実施形態では、エアインターフェイスのオーバーヘッドを削減することができ、エアインターフェイスの利用率を向上させることができる。
【００８９】
オプションで、本願のこの実施形態では、図２に示される手順に関して、ステップＳ２０５の後に、この方法は、以下のステップをさらに含み得る。
【００９０】
ステップＳ２０６：ネットワーク装置は、第２の構成情報を送信し、ここで、第２の構成情報は、利用可能なビームセット又はビーム管理リソースセットを示すために使用される。
【００９１】
ステップＳ２０７：端末装置は、第２の構成情報を受信する。
【００９２】
本願のこの実施形態では、ネットワーク装置は、受信した第１のフィードバック情報を使用することによって、端末装置の利用可能なビームセット又はビーム管理リソースセットを生成し、次に第２の構成情報に基づいて、端末装置の利用可能なビームセット又はビーム管理リソースセットを端末装置に対して構成することができる。本願のこの実施形態では、利用可能なビームセット又はビーム管理リソースセットは、１つ又は複数の利用可能なビームを含み得る。例えば、本願の例では、端末装置が測定によって１つのビームの利用可能性を取得する度に、端末装置は、ビームの利用可能性をネットワーク装置にフィードバックすることができる。ネットワーク装置は、ビームの利用可能性を端末装置に対して構成することができる。それに対応して、利用可能なビームセットには、１つの利用可能なビームが含まれる。別の例として、本願の例では、測定によって複数のビームの利用可能性を取得した後に、端末装置は、複数のビームの利用可能性をネットワーク装置にフィードバックすることができる。ネットワーク装置は、複数のビームの利用可能性を端末装置に対して構成することができる。それに対応して、利用可能なビームセットは、複数の利用可能なビームを含み得る。
【００９３】
例えば、ネットワーク装置は４つの第１のフィードバック情報を受信し、４つの第１のフィードバック情報は、第１のビームが利用可能であり、第２のビームが利用不可能であり、第３のビームが利用可能であり、第４のビームが利用不可であることをそれぞれ示すために使用される。この場合に、端末装置の利用可能なビームセットは、｛第１のビーム、第３のビーム｝を含み得る。同様に、端末装置のビーム管理リソースセットはまた、｛第１のビーム、第３のビーム｝を含み得る。
【００９４】
本願のこの実施形態では、ネットワーク装置が利用可能なビームセットを端末装置に対して構成した後に、端末装置のサービングビームが障害にあった場合に、端末装置は、利用可能なビームセット内のビームを使用することによってビーム障害回復を実行することができる。例えば、前述した例が引き続き使用される。端末装置の利用可能なビームセットには、｛第１のビーム、第３のビーム｝が含まれる。端末装置の現在のサービングビームが障害にあった場合に、端末装置は、利用可能なビームセットから第１のビーム又は第３のビームを選択して、ビーム障害回復を実行することができる。端末装置が参照なしでビームを選択して障害回復を実行する場合の障害回復成功率と比較して、この場合に、障害回復成功率を向上させることができる。
【００９５】
本願のこの実施形態では、ネットワーク装置がビーム管理リソースセットを端末装置に対して構成した後に、端末装置は、ビーム管理リソースセットからビームを選択して、ビームを聞いて測定することができる。端末装置が全てのビーム（利用不可ビームを含み得る）を聞いて測定する場合の消費電力及び実装の複雑さと比較して、この場合に、端末装置側の消費電力及び実装の複雑さを減らすことができる。
【００９６】
本願のこの実施形態では、ネットワーク装置は、第２の構成情報に基づいて、利用可能なビームセット又はビーム管理リソースセットを端末装置に対して構成することができる。ネットワーク装置が参照なしで利用可能なビームセット又はビーム管理リソースセットを端末装置に対して構成する場合のアップリンクリソース利用率及び端末装置の信号検出負担と比較して、この場合に、アップリンクリソース利用率は改善され得、端末装置の信号検出負担が軽減される。
【００９７】
オプションで、本願のこの実施形態では、図２に示される手順に関して、この方法は、以下のステップをさらに含み得る。
【００９８】
ステップＳ２０８：ネットワーク装置は、第３の構成情報を別の端末装置に送信し、ここで、第３の構成情報は、端末装置の利用不可ビームセットを示すために使用される。
【００９９】
ステップＳ２０９：別の端末装置は、第３の構成情報を受信することができる。
【０１００】
例えば、前述した例が引き続き使用される。ネットワーク装置は、端末装置１によってフィードバックされた４つの第１のフィードバック情報を受信し、端末装置１の利用不可ビームセットを生成することができる。例えば、端末装置１は、４つの第１のフィードバック情報をネットワーク装置に送信する。４つの第１のフィードバック情報は、端末装置１に関して、第１のビームが利用可能であり、第２のビームが利用不可であり、第３のビームが利用可能であり、第４のビームが利用不可であることをそれぞれ示すために使用される。ネットワーク装置は、端末装置１の利用不可ビームセット｛第２のビーム、第４のビーム｝を生成することができる。この場合に、ネットワーク装置は、端末装置１の利用不可ビームセット｛第２のビーム、第４のビーム｝を端末装置２にフィードバックして、端末装置１の利用不可ビームセットを使用することにより通信を実行するように端末装置２に指示し、それによって端末装置１に干渉が生じないようにすることができる。
【０１０１】
ステップＳ２０１からステップＳ２０２のシーケンスは、本願の図２に示される手順に限定されないことに留意されたい。例えば、ネットワーク装置は、最初にステップＳ２０６を実行し、次にステップＳ２０８を実行することができ、又はネットワーク装置は、最初にステップＳ２０８を実行し、次にステップＳ２０６を実行することができる。これは、本願では限定されない。
【０１０２】
図４に示されるように、本願は、通信方法の手順を提供する。通信方法は、主に、ダウンリンク参照信号のダウンリンクビーム管理に使用される。図４に示される手順では、第１の参照信号は、具体的にはダウンリンク参照信号であり得、第１のビームは、具体的にはダウンリンクビームであり得る。ステップＳ４０１及びステップＳ４０５は、図１に示される通信システム１００内のネットワーク装置１０１によって実行され得るか、又はステップＳ４０１及びステップＳ４０５を実施する際にネットワーク装置をサポートするチップ又はチップシステム等の機器によって実行され得る。本願のこの実施形態では、ステップＳ４０１及びステップＳ４０５がネットワーク装置によって実行される例が説明のために使用される。ステップＳ４０２からステップＳ４０４は、図１に示される通信システム１００内の端末装置１０２によって実行され得るか、又はステップＳ４０２からステップＳ４０４を実施する際に端末装置をサポートするチップ又はチップシステム等の機器によって実行され得る。本願のこの実施形態では、ステップＳ４０２からステップＳ４０４が端末装置によって実行される例が説明のために使用される。
【０１０３】
ステップＳ４０１：ネットワーク装置は、第１のビームを介して第１の参照信号を送信する。
【０１０４】
ステップＳ４０２：端末装置は、第１のビームを介して第１の参照信号を受信する。
【０１０５】
ステップＳ４０３：端末装置は、第１の閾値及び第１の参照信号に基づいて、第１のビームの利用可能性を決定する。
【０１０６】
ステップＳ４０４：端末装置は、第１の指標情報を送信し、ここで、第１の指標情報は、第１のビームの利用可能性を示すために使用される。
【０１０７】
ステップＳ４０５：ネットワーク装置は、第１の指標情報を受信する。
【０１０８】
図４に示される実施形態の特定の実施態様については、図２に示される実施形態の説明を参照されたい。詳細はここでは再び説明しない。
【０１０９】
同様に、オプションで、ステップＳ４０５の後に、この方法は、以下のステップをさらに含み得る。
【０１１０】
ステップＳ４０６：ネットワーク装置は、第２の構成情報を送信し、ここで、第２の構成情報は、利用可能なビームセットを示すために使用される。
【０１１１】
ステップＳ４０７：端末装置は、第２の構成情報を受信する。
【０１１２】
同様に、オプションで、本願のこの実施形態では、図２に示される手順は、以下のステップをさらに含み得る。
【０１１３】
ステップＳ４０８：ネットワーク装置は、第３の構成情報を送信し、ここで、第３の構成情報は、端末装置の利用不可ビームセットを示すために使用される。
【０１１４】
ステップＳ４０９：別の端末装置が、第３の構成情報を受信する。
【０１１５】
図４の特定の実施プロセスについては、図４の説明を参照されたい。詳細はここでは再び説明しない。同様に、本願のこの実施形態では、ステップＳ４０１からステップＳ４０９の実行シーケンスは限定されないことに留意されたい。例えば、ネットワーク装置は、最初にステップＳ４０６を実行し、次にステップＳ４０８を実行することができ、又はネットワーク装置は、最初にステップＳ４０８を実行し、次にステップＳ４０６を実行することができる。これは、本願では限定されない。
【０１１６】
前述した説明から、本願の実施形態では、図２及び図４の第１の閾値は、端末装置によって決定され得るか、又はネットワーク装置によって決定されてから端末装置に通知され得るか、又はプロトコルで事前規定されてからネットワーク装置及び端末装置に設定され得ることがうかがえる。
【０１１７】
本願の実施形態では、第１の閾値がネットワーク装置によって決定されてから端末装置に通知される場合に、図２及び図４に示される手順は、ネットワーク装置が、第１の構成情報を端末装置に送信するステップと、それに対応して、端末装置が、ネットワーク装置によって送信された第１の構成情報を受信するステップとをさらに含み得、ここで、第１の構成情報には、第１の閾値が含まれ得る。本願の実施形態では、前述したステップの特定の位置は限定されない。例えば、前述したステップは、ステップＳ２０１又はステップＳ４０１の前に実行してもよい。
【０１１８】
本願の実施形態では、第１の閾値が端末装置によって決定される場合に、端末装置は、ネットワーク装置に第１の閾値を通知する。本願の実施形態では、図２に示される手順について、ステップＳ２０４における第１のフィードバック情報には、第２の指標情報がさらに含まれ得、ここで第２の指標情報は、第１の閾値を示すために使用される。図４に示される手順について、図４に示される手順は、端末装置が、第２の指標情報をネットワーク装置に送信するステップと、それに対応して、ネットワーク装置が、第２の指標を受信するステップとをさらに含み得、ここで、第２の指標情報は、第１の閾値を示すために使用される。
【０１１９】
本願の実施形態では、第１の閾値の量は制限されない。１つ又は複数の第１の閾値が存在する場合がある。例えば、第１の閾値が１つである場合がある。それに対応して、図２又は図４には１つの第１の指標情報があり、第１の指標情報は、前述した第１の閾値の決定基準に従って第１のビームの利用可能性を示すために使用される。あるいはまた、第１の閾値が複数ある場合がある。それに対応して、図２又は図４には複数の第１の指標情報が存在し、それぞれの第１の指標情報は、対応する第１の閾値の決定基準に従って、第１のビームの利用可能性を示すために使用される。同様に、複数の第１の指標情報を受信した後に、ネットワーク装置は、対応する動作を実行することができる。例えば、複数の第１の指標情報が全て第１のビームが利用可能であることを示すときに、ネットワーク装置は動作Ａを実行する。複数の第１の指標情報のいくつかが第１のビームが利用可能であることを示すときに、ネットワーク装置は動作Ｂを実行する。複数の第１の指標情報が全て第１のビームが利用不可であることを示すときに、ネットワーク装置は動作Ｃを実行する。あるいはまた、第１の指標情報はＮ個の指標情報を含み得、シーケンス番号は１からＮである。この場合に、シーケンス番号が１である指標情報が第１のビームが利用可能であることを示すときに、ネットワーク装置は第１の動作を実行することができる。ネットワーク装置は、シーケンス番号が２である指標情報が第１のビームの利用可能性を示すときに、第２の動作を実行することができる。類推により、ネットワーク装置は、シーケンス番号がＮである指標情報が第１のビームの利用可能性を示すときに、第Ｎの動作を実行することができる。
【０１２０】
本願の実施形態では、２つの第１の閾値が存在する例が説明のために使用される。例えば、２つの第１の閾値、第１の閾値Ａ及び第１の閾値Ｂがある。第１のビームは第１の閾値Ａの決定に従って利用可能であり、第１のビームは第１の閾値Ｂの決定に従って利用不可である。それに対応して、端末装置は、第１の指標情報Ａ及び第１の指標情報Ｂを生成することができる。第１の指標情報Ａは、第１の閾値Ａの決定に従って第１のビームが利用可能であることを示すために使用され、第１の指標情報Ｂは、第１の閾値Ｂの決定に従って第１のビームが利用不可であることを示すために使用される。第１の指標情報Ａ及び第１の指標情報Ｂを受信した後に、ネットワーク装置は、対応する動作、例えば、前述した動作Ｂを実行することができる。
【０１２１】
図５に示されるように、本願は、通信方法の手順をさらに提供する。図５に示される手順において、図２又は図４に示される手順は、第１の参照信号がＣＳＩリソースセットである例を使用することにより詳細に説明される。この手順には、具体的に次の手順が含まれ得る。
【０１２２】
ステップＳ５０１：ネットワーク装置は、第１の構成情報を送信する。
【０１２３】
本願のこの実施形態では、ネットワーク装置は、１つ又は複数のタイプのシグナリングを介して、第１の構成情報の全て又は一部を送信することができる。例えば、ネットワーク装置は、ブロードキャストチャネル、システムメッセージ、システムメッセージ更新、ページングメッセージ、ダウンリンク制御チャネル、ダウンリンクデータチャネル、又はダウンリンク共有チャネル等のダウンリンクリソース又はチャネルを使用することによって、及び無線リソース制御（radio resource control, RRC）シグナリング、ＭＡＣ  ＣＥ、ＤＣＩ等を介して、第１の構成情報を端末装置に送信することができる。
【０１２４】
本願のこの実施形態では、第１の構成情報には、参照信号の構成情報、ビーム利用可能性閾値の構成情報、及びビーム利用可能性をフィードバックするための構成情報のコンテンツが含まれ得る。以下に、参照信号の構成情報、ビーム利用可能性閾値の構成情報、及びビーム利用可能性をフィードバックするための構成情報について詳細に説明する。
【０１２５】
参照信号の構成情報：
【０１２６】
例えば、参照信号がＣＳＩ−ＲＳである場合に、参照信号の構成情報は、ＣＳＩリソースセットの構成情報を含み得、ＣＳＩリソースセットは、１つ又は複数のＣＳＩ−ＲＳを含み得る。
【０１２７】
ＣＳＩリソースセットの構成情報には、各参照信号の識別子（例えば、ＣＳＩ−ＲＳリソースＩＤ又は同期チャネル番号インデックス（SSB index）、及び各ＣＳＩ−ＲＳリソースに関する関連情報（例えば、時間周波数リソースの位置、ポート数、周期性、オフセット等）が含まれ得る。
【０１２８】
本願のこの実施形態では、参照信号構成方法のコードは以下の通りであり得る。
--
ASN1START
-- TAG-NZP-CSI-RS-RESOURCESET-START
NZP-CSI-RS-ResourceSet ::=                   SEQUENCE
｛
nzp-CSI-ResourceSetId                               NZP-CSI-RS-ResourceSetId,
nzp-CSI-RS-Resources                                SEQUENCE
(SIZE (1..maxNrofNZP-CSI-RS-ResourcesPerSet)) OF NZP-CSI-RS-ResourceId,
repetition                                                      ENUMERATED
｛ on, off ｝                                                                                         OPTIONAL,
aperiodicTriggeringOffset                           INTEGER(0..4)                                                                                                                   OPTIONAL,        --
Need S
trs-Info                                                          ENUMERATED
｛true｝                                                                                                 OPTIONAL,        --
Need R
...
｝
-- TAG-NZP-CSI-RS-RESOURCESET-STOP
-- ASN1STOP
【０１２９】
本願のこの実施形態では、１つのリソースセットＩＤを各ＣＳＩリソースセットに割り当てることができる。各ＣＳＩリソースセットには、１つ又は複数のリソースが含まれ得る。各リソースには、独自の識別子も用意される。リソースセット内のリソースの最大量は、ＣＳＩ−ＲＳリソースセット内のゼロ以外の電力のＣＳＩ−ＲＳリソースの最大量（maxNrofNZP-CSI-RS-ResourcesPerSet）である。
【０１３０】
ビーム利用可能性閾値の構成情報：
【０１３１】
本願のこの実施形態では、１つ又は複数の閾値を端末装置に対して構成することができる。閾値は、ＲＳＲＰ、ＲＳＲＱ、ＲＳＳＩ、ＳＩＮＲ、及びＣＱＩの１つ又は複数を使用することにより測定することができる。前述した１つ又は複数の閾値において、少なくとも１つの閾値は、ビーム障害回復構成閾値に関連する。
【０１３２】
ビーム利用可能性をフィードバックするための構成情報：
本願のこの実施形態では、ビーム利用可能性をフィードバックするための構成情報には、ビーム利用可能性、報告リソース構成等をフィードバックするために報告されるコンテンツ、フォーマット等が含まれ得る。第３の部分のコンテンツは、ステップＳ５０５で詳細に説明する。
【０１３３】
ステップＳ５０２：端末装置は、第１の構成情報を受信する。
【０１３４】
ステップＳ５０３：ネットワーク装置は、参照信号に関するものであり、且つ第１の構成情報にある構成情報に基づいて、参照信号を送信する。
【０１３５】
ステップＳ５０４：端末装置は、参照信号に関するものであり、且つ第１の構成情報にある構成情報に基づいて、参照信号を受信し、参照信号を測定する。
【０１３６】
本願のこの実施形態では、ビーム品質は、参照信号を測定することによって決定することができる。ビーム品質は、ＢＬＥＲ、ＲＳＲＰ、ＲＳＲＱ、ＲＳＳＩ、ＳＩＮＲ、ＣＱＩ、ＰＭＩ等の１つ又は複数のパラメータを使用することによりフィードバックすることができる。
【０１３７】
オプションで、ネットワーク装置は、参照信号測定方法を決定することもできる。例えば、ネットワーク装置が端末装置にＲＳＲＰを報告するように要求する場合に、端末装置は、端末装置のＲＳＲＰのみを測定することができる。
【０１３８】
ステップＳ５０５：端末装置は、ビーム利用可能性メッセージをフィードバックする。
【０１３９】
本願のこの実施形態では、端末装置は、１つのバイナリビットを使用することによって、各ビームの利用可能性をフィードバックすることができる。例えば、ビーム品質がビーム利用可能性閾値を満たしている場合に、ビームの利用可能性は１としてマークされ得る。ビームの品質がビーム利用可能性閾値を満たしていない場合に、ビームの利用可能性は０としてマークされ得る。
【０１４０】
例えば、ＣＳＩリソースセット全体が８つのＣＳＩ−ＲＳセットを含み得る場合に、８つのＣＳＩ−ＲＳセットは、ＣＳＩ−ＲＳ識別子の降順で１、４、６、９、１３、１５、２４、及び６３である。ＵＥは、リソースを測定し、識別子が１、９、１３、及び６３であるリソースのビーム品質がビーム利用可能性閾値を満たしていると判定し、ＵＥは、８ビットビットマップ（bitmap）｛１００１１００１｝をフィードバックすることができる。ＵＥによってフィードバックされた情報は、リソース識別子の昇順での第１、第４、第５、及び第８のリソースが閾値を満たすことを示している。
【０１４１】
本願のこの実施形態では、端末装置によるビーム利用可能性をフィードバックするための信号フォーマットは、ＭＡＣ  ＣＥであり得るか、又はＤＣＩであり得る。
【０１４２】
例えば、ＵＥによるビーム利用可能性をフィードバックするためのシグナリングフォーマットが、ＭＡＣ  ＰＤＵである場合に、図３に示されるように、ＭＡＣ  ＰＤＵは、パケットヘッダー及びＭＣＥ−ＣＥを含み得、そして１つのパケットヘッダーは、例えば、ビーム利用可能性レポートと呼ばれることがある。リソースセットが６４個のＣＳＩ−ＲＳを含むとき、換言すれば、６４個のビームの利用可能性が一度にテストされるとき、ＭＡＣ−ＣＥが図６に例として示され得る。ＭＡＣ  ＣＥには８つのオクト（Ｏｃｔ）が含まれ得、１つのＯｃｔは、１バイトであり、８ビットを含む。図４では、１つの小さなボックスは、１ビットを表し、１つのビームの利用可能性を表す。図６に示されるＭＡＣ−ＣＥは、６４ビットの固定サイズのＭＡＣ  ＣＥであり得、Ｃの値は１又は０であり得、Ｃの下付き文字は、リソースセット内で昇順でソートされたリソース識別子を表す。
【０１４３】
本願のこの実施形態では、ＵＥによるビーム利用可能性をフィードバックするためのシグナリングフォーマットは、ＵＣＩであり得、ＵＣＩは、固定サイズ又は可変サイズであり得る。例として、６４ビットの固定サイズのＵＣＩを使用する。第１のビットは、リソースセット内で昇順でソートされた第１のリソース識別子を表す。識別子に対応するビーム品質が閾値を満たす場合に、識別子に対応するビットの値は１である。第２のビットは、リソースセット内で昇順でソートされた第２のリソース識別子を表す。識別子に対応するビーム品質が閾値を満たさない場合に、識別子に対応するビットの値は０である。第３のビットから第６４のビットは類推によって推定できる。
【０１４４】
本願のこの実施形態では、オプションで、端末装置のビーム報告を以下の方法と組み合わせることができる。例えば、ビーム品質の報告方法は、｛ビーム＃１の識別子、ビーム＃１のＲＳＲＰ｝である。本願のこの実施形態における６４ビットビットマップは、別のビームとビーム＃１との間の相関を示し得る。例えば、「１」はビーム＃１との相関が高いことを示し、「０」はビーム＃１との相関が低いことを示す。別の例として、本願のこの実施形態における６４ビットビットマップは、別のビームによってビーム＃１に引き起こされる干渉度を示し得る。例えば、「１」はビーム＃１における干渉が大きいことを示し、「０」はビーム＃１における干渉が小さいことを示す。他の例では、６４ビットビットマップは、別のビーム及びビーム＃１がマルチビーム伝送チャネルの形成に適しているかどうか、別のビーム及びビーム＃１が高ロバスト伝送の組合せの形成に適しているかどうか等も示し得る。
【０１４５】
前述した方法は、端末装置が既存の報告方法で複数のビームを報告する場合にさらに当然に拡張することができる。例えば、ＵＥは、｛ビーム＃１＋ビーム＃１のＬ１−ＲＳＲＰ｝、及び｛ビーム＃２＋ビーム＃２とビーム＃１との間の差動Ｌ１−ＲＳＲＰ｝を報告する。この実施形態における６４ビットビットマップは、当然、２つの６４ビットビットマップに拡張することができる。１つの６４ビットビットマップはビーム＃１に対応し、もう１つはビーム＃２に対応する。２つのビットマップは、グループ（グループＩＤあり）又は個別（グループＩＤなし）で報告することができる。
【０１４６】
オプションで、端末装置は、Ｍビットを使用することによって各ビームの利用可能性をフィードバックすることができる。５０１で構成されたＭ個のビーム利用可能性閾値がある場合に、各ビットは１つの閾値に対応し得る。例えば、２つの閾値がある場合に、ビーム毎に２ビットがフィードバックされ得、ここで、第１のビットは、ビーム品質が第１の閾値を満たすかどうかを示し、第２のビットは、ビーム品質が第２の閾値を満たすかどうかを示す。
【０１４７】
オプションで、端末装置は、Ｍビットを使用することによって各ビームの利用可能性をフィードバックすることができる。例えば、ビーム品質はＮ個の間隔（interval）のうちの１つに属し、ＵＥは、Ｍ＝｛切り上げｌｏｇ２（Ｎ）｝ビットを使用することにより、各ビーム品質が属する間隔をフィードバックすることができる。絶対的なビーム品質に基づいて間隔を分割することができる。例えば、ＲＳＲＰの範囲は間隔１で−１００ｄＢｍ〜−５０ｄＢｍの範囲であり、間隔２で−１５０ｄＢｍ〜−１００ｄＢｍの範囲である。あるいはまた、相対的なビーム品質に基づいて間隔を分割することができる。例えば、ビームと最強のビームとの間の差は、間隔１で０ｄＢ〜１０ｄＢの範囲であり、間隔２で１０ｄＢ〜２０ｄＢの範囲である。
【０１４８】
オプションで、ビットマップの長さは、リソースセットのサイズであり得るか、又はリソースセットで許容されるリソースの最大量、例えば６４であり得る。ビットマップの長さは、Ｍ＊リソースセットのサイズであり得るか、又はＭ＊リソースセットで許容されるリソースの最大量であり得る。ビットマップ内の全てのビットに対応するリソース識別子のシーケンスは、例えば昇順又は降順で構成可能である。
【０１４９】
本願のこの実施形態では、ビットマップを使用することによってビームの利用可能性をフィードバックすることに限定されない。あるいはまた、ビームの利用可能性は、明示的なリソース識別子番号、論理リソース識別子番号等を使用することによってフィードバックされ得る。
【０１５０】
ステップＳ５０６：ネットワーク装置は、ビーム利用可能性メッセージを受信する。
【０１５１】
本願のこの実施形態では、ビーム利用可能性メッセージを受信した後に、ネットワーク装置は、リソースをより適切に使用するために、構成を更新することができる。
【０１５２】
例えば、ネットワーク装置は、端末装置の利用可能なリソース（１としてフィードバックされるリソース等）の全て又は一部を新しいビーム管理リソースセットとして構成することができる。
【０１５３】
あるいはまた、ネットワーク装置は、利用不可リソース（０としてフィードバックされるリソース等）を新しいビーム管理リソースセットに構成しない場合がある。
【０１５４】
あるいはまた、ネットワーク装置は、利用可能なリソース（１としてフィードバックされるリソース等）の全て又は一部を、利用可能なビームの新しいリソースセットとして構成することができる。
【０１５５】
あるいはまた、ネットワーク装置は、利用不可リソース（０としてフィードバックされるリソース等）を、利用可能なビームの新しいリソースセットに構成しない場合がある。
【０１５６】
あるいはまた、ネットワーク装置は、利用可能なリソース（１としてフィードバックされるリソース等）の全て又は一部を、ビーム指標（ＴＣＩ等）のセットとして構成することができる。
【０１５７】
あるいはまた、ネットワーク装置は、利用不可リソース（０としてフィードバックされるリソース等）をビーム指標（ＴＣＩ等）のセットに構成しない場合がある。
【０１５８】
あるいはまた、ネットワークは、端末装置の利用不可リソース（０としてフィードバックされるリソース等）を使用して、別の端末装置にサービスを提供し得、それによって、前述した端末装置に干渉が生じない。
【０１５９】
本願のこの実施形態では、各ビームの利用可能性は、オーバーヘッドが少ない状態でフィードバックされ得、ネットワーク装置側に関するより多くの情報が提供される。これにより、ビーム関連のリソースをネットワーク装置側で適切に構成できる。
【０１６０】
本願は、通信方法の手順をさらに提供する。図７に示されるように、通信方法は、主に、アップリンク参照信号のアップリンクビーム管理に使用される。図７に示される手順では、第１の参照信号は、具体的にはアップリンク参照信号であり得、第１のビームは、具体的にはアップリンクビームであり得る。ステップＳ７０１、ステップＳ７０５、及びステップＳ７０７は、図１に示される通信システム１００内の端末装置１０２によって実行され得るか、又はステップＳ７０１、ステップＳ７０５、及びステップＳ７０７を実施する際に端末装置をサポートするチップ又はチップシステム等の機器によって実行され得る。本願のこの実施形態では、ステップＳ７０１、ステップＳ７０５、及びステップＳ７０７が端末装置によって実行される例が説明のために使用される。ステップＳ７０２、ステップＳ７０３、ステップＳ７０４、及びステップＳ７０６は、図１に示される通信システム１００内のネットワーク装置１０２によって実行され得るか、又はステップＳ７０２、ステップＳ７０３、ステップＳ７０４、及びステップＳ７０６を実施する際にネットワーク装置１０２をサポートするチップ又はチップシステム等の機器によって実行され得る。本願のこの実施形態では、ステップＳ７０２、ステップＳ７０３、ステップＳ７０４、及びステップＳ７０６がネットワーク装置によって実行される例が説明のために使用される。
【０１６１】
ステップＳ７０１：端末装置は、第１のビームを介して第１の参照信号を送信する。
【０１６２】
本願のこの実施形態では、第１の参照信号の説明については、図２に示される実施形態の詳細な説明を参照されたい。詳細はここでは再び説明しない。
【０１６３】
ステップＳ７０２：ネットワーク装置は、第１のビームを介して第１の参照信号を受信する。
【０１６４】
ステップＳ７０３：ネットワーク装置は、第１の閾値及び第１の参照信号に基づいて、第１のビームの利用可能性を決定する。
【０１６５】
ステップＳ７０４：ネットワーク装置は、第１のフィードバック情報を送信し、ここで第１のフィードバック情報には、第１の指標情報が含まれ得、第１の指標情報は、第１のビームの利用可能性を示すために使用される。
【０１６６】
ステップＳ７０５：端末装置は、第１のフィードバック情報を受信する。
【０１６７】
オプションで、ステップＳ７０４は、代替的に、ステップＳ７０６と交換され得、ステップＳ７０５は、代替的に、ステップＳ７０７と交換され得る。
【０１６８】
ステップＳ７０６：ネットワーク装置は、第１の指標情報を送信し、ここで、第１の指標情報は、第１のビームの利用可能性を示すために使用される。
【０１６９】
ステップＳ７０７：端末装置は、第１の指標情報を受信する。
【０１７０】
本願のこの実施形態では、ネットワーク装置が、ステップＳ７０３における第１の閾値及び第１の参照信号に基づいて第１のビームの利用可能性をどの様に決定するかについては、図２のステップＳ２０３の説明を参照されたい。ネットワーク装置がステップＳ７０４で第１のフィードバック情報をどの様に送信するかについては、図２のステップＳ２０４の説明を参照されたい。ネットワーク装置がステップＳ７０６で第１の指標情報をどの様に送信するかについては、図４のステップＳ４０４を参照されたい。詳細はここでは再び説明しない。
【０１７１】
本願のこの実施形態では、ネットワーク装置が第１のビームの識別子を端末装置に直接フィードバックするので、ネットワーク装置が第１のビームの識別子及び第１のビームの参照信号受信電力を端末装置にフィードバックする場合のエアインターフェイスオーバーヘッドと比較して、この実施形態では、エアインターフェイスのオーバーヘッドを削減すことができる。
【０１７２】
前述した概念に基づいて、図８に示されるように、本願は、通信機器８００をさらに提供し、通信機器８００は、トランシーバユニット８０１及び処理ユニット８０２を含み得る。
【０１７３】
本願の一例では、通信機器８００を端末装置に適用することができ、トランシーバユニット８０１は、図２に示される手順でＳ２０２及びＳ２０４に示されるステップを実行するように構成することができ、処理ユニット８０２は、図２に示される手順でＳ２０３に示されるステップを実行するように構成される。例えば、具体的には、トランシーバユニット８０１は、ネットワーク装置の第１のビームから第１の参照信号を受信するように構成され得る。処理ユニット８０２は、第１の閾値及び第１の参照信号に基づいて第１のビームの利用可能性を決定するように構成され得る。トランシーバユニット８０１は、第１のフィードバック情報をネットワーク装置に送信するようにさらに構成され得、第１のフィードバック情報には、少なくとも第１の指標情報が含まれ、第１の指標情報は、第１のビームの利用可能性を示すために使用される。
【０１７４】
本願の別の例では、通信機器８００を端末装置に適用することができ、トランシーバユニット８０１は、図４に示される手順でステップＳ４０２及びステップＳ４０４に示されるステップを実行するように構成することができ、処理ユニット８０２は、ステップＳ４０３に示されるステップを実行するように構成される。例えば、具体的には、トランシーバユニット８０１は、ネットワーク装置の第１のビームから第１の参照信号を受信するように構成され得る。処理ユニット８０２は、第１の閾値及び第１の参照信号に基づいて第１のビームの利用可能性を決定するように構成され得る。トランシーバユニット８０１は、第１の指標情報をネットワーク装置に送信するようにさらに構成される。
【０１７５】
本願の別の例では、通信機器８００をネットワーク装置に適用することができ、トランシーバユニット８０１は、図２に示される手順でＳ２０１及びＳ２０５に示されるステップを実行するように構成することができ、処理ユニット８０２は、第１の参照信号を生成するステップを実行するように構成される。例えば、具体的には、処理ユニット８０２は、第１の参照信号を生成するように構成され得る。トランシーバユニット８０１は、第１のビームを介して第１の参照信号を端末装置に送信し、端末装置から第１のフィードバック情報を受信するように構成することができ、第１のフィードバック情報は、第１の参照信号及び第１の閾値に基づいて決定され、第１のフィードバック情報には、少なくとも第１の指標情報が含まれ、第１の指標情報は、第１のビームの利用可能性を示すために使用される。
【０１７６】
本願の別の例では、通信機器８００をネットワーク装置に適用することができ、トランシーバユニット８０１は、図４に示される手順でステップＳ４０１及びステップＳ４０５に示されるステップを実行するように構成することができ、処理ユニット８０２は、第１の参照信号を生成するステップを実行するように構成される。例えば、具体的には、処理ユニット８０２は、第１の参照信号を生成することができる。トランシーバユニット８０２は、第１のビームを介して第１の参照信号を端末装置に送信し、端末装置から第１の指標情報を受信するように構成することができ、第１の指標情報は、第１のビームの利用可能性を示すために使用される。
【０１７７】
本願のこの実施形態では、通信機器８００の特定の説明については、図２又は図４に示される手順の説明を参照されたい。詳細はここでは再び説明しない。
【０１７８】
前述した概念に基づいて、図９に示されるように、本願の実施形態は、通信機器９００をさらに提供する。通信機器９００は、前述した方法のネットワーク装置に対応することができ、又は前述した方法の端末装置に対応することができる。これはここでは限定されない。
【０１７９】
通信機器９００は、プロセッサ９１０及びメモリ９２０を含み得る。さらに、機器は、受信機９４０及び送信機９５０をさらに含み得る。さらに、機器９００は、バスシステム９３０を含み得る。
【０１８０】
プロセッサ９１０、メモリ９２０、受信機９４０、及び送信機９５０は、バスシステム９３０を介して互いに接続される。メモリ９２０は、命令を格納するように構成される。プロセッサ９１０は、メモリ９２０に格納された命令を実行し、受信機９４０を制御して信号を受信し、且つ送信機９５０を制御して信号を送信するように構成され、それにより、前述した方法でネットワーク装置又は端末装置のステップを完了する。
【０１８１】
受信機９４０及び送信機９５０は、同じ物理的エンティティ又は異なる物理的エンティティであり得るか、又は同じ物理的エンティティであり得、そして集合的にトランシーバと呼ばれ得る。メモリ９２０は、プロセッサ９１０に統合してもよく、又はプロセッサ９１０とは別に配置してもよい。
【０１８２】
一実施形態では、受信機９４０及び送信機９５０の機能は、トランシーバ回路又は専用トランシーバチップを使用することによって実施されると考えられ得る。プロセッサ９１０は、専用の処理チップ、処理回路、プロセッサ、又はユニバーサルチップを使用することにより実装されると考えられ得る。
【０１８３】
別の実施態様では、本願のこの実施形態で提供されるネットワーク装置又は端末装置は、コンピュータを使用することによって実施されると考えられ得る。具体的には、プロセッサ９１０、受信機９４０、送信機９５０の機能を実施するためのプログラムコードがメモリに格納され、汎用プロセッサが、メモリに格納されるコードを実行することによってプロセッサ９１０、受信機９４０、送信機９５０の機能を実施する。
【０１８４】
機器に含まれ、本発明のこの実施形態で提供される技術的解決策に関連する概念、説明、詳細な説明、及び他のステップについては、前述した方法又は別の実施形態の内容に関する説明を参照されたい。詳細はここでは再び説明しない。
【０１８５】
本願の一例では、通信機器９００を端末装置に適用することができる。通信機器９００は、図２又は図４に示される手順において端末装置によって実行されるステップを実行するように構成され得る。例えば、受信機９４０は、ネットワーク装置の第１のビームから第１の参照信号を受信することができる。プロセッサ９１０は、第１の閾値及び第１の参照信号に基づいて第１のビームの利用可能性を決定するように構成される。送信機９５０は、第１のフィードバック情報をネットワーク装置に送信するように構成され、第１のフィードバック情報には、第１の指標情報が含まれ、第１の指標情報は、第１のビームの利用可能性を示すために使用される。
【０１８６】
本願の別の例では、通信機器９００をネットワーク装置に適用することができる。通信機器９００は、図２又は図４に示される手順においてネットワーク装置によって実行されるステップを実行するように構成され得る。例えば、送信機９５０は、第１のビームを介して第１の参照信号を端末装置に送信することができる。受信機９４０は、端末装置から第１のフィードバック情報を受信することができ、第１のフィードバック情報は、第１の参照信号及び第１の閾値に基づいて決定され、第１のフィードバック情報には、少なくとも第１の指標情報が含まれ、第１の指標情報は、第１のビームの利用可能性を示すために使用される。
【０１８７】
前述した概念に基づいて、図１０は、本願でさらに提供される基地局等のネットワーク装置の概略構造図である。
【０１８８】
基地局は、図１に示される通信システムのシナリオに適用され得、基地局は、図２、図４、図５、又は図７に示されるネットワーク装置であり得る。基地局は、図２、図４、図５、又は図７に示される手順においてネットワーク装置によって実行されるステップを実行するように構成され得る。具体的には、基地局１０００は、遠隔無線ユニット（remote radio unit, RRU）１００１及び１つ又は複数のベースバンドユニット（baseband unit, BBU）１００２（これは、デジタルユニット（digital
unit DU）とも呼ばれ得る）等の１つ又は複数の無線周波数ユニットを含み得る。ＲＲＵ１００１は、トランシーバユニット、受信機／送信機、トランシーバ回路、トランシーバ等であり得、且つ少なくとも１つのアンテナ１００１１及び無線周波数ユニット１００１２を含み得る。ＲＲＵ１００１部分は、無線周波数信号を送受信し、無線周波数信号とベースバンド信号との間の変換を実行するように構成され得、例えば、前述した実施形態における第１の参照信号、第１の指標情報、又は第１のフィードバック情報をユーザ機器に送信するように構成され得る。ＢＢＵ１００２部分は、ベースバンド処理を実行し、基地局を制御する等を行うように構成され得る。ＲＲＵ１００１及びＢＢＵ１００２は、物理的に一緒に配置され得るか、又は物理的に別々に配置され得る、すなわち、分散型基地局であり得る。
【０１８９】
ＢＢＵ１００２は、基地局の制御センターであり、処理ユニットと呼ばれることもあり、且つチャネル符号化、多重化、変調、及び拡散等のベースバンド処理機能を完了するように構成される。例えば、ＢＢＵ（処理ユニット）は、基地局を制御して、図２、図４、図５、又は図７に示される手順の方法を実行するように構成され得る。
【０１９０】
一例では、ＢＢＵ１００２は、１つ又は複数のボードを含み得、複数のボードは、単一のアクセス規格において無線アクセスネットワーク（ＮＲネットワーク等）を共同でサポートし得るか、又は無線アクセスネットワークを異なるアクセス規格で別々にサポートし得る。ＢＢＵ１００２は、メモリ１００２１及びプロセッサ１００２２をさらに含み得る。メモリ１００２１は、必要な命令及びデータを格納するように構成される。例えば、メモリ１００２１は、前述した実施形態において、「第１の参照信号を受信し、第１の参照信号及び第１の閾値に基づいて第１のビームの利用可能性を決定し、第１の指標情報を送信する」という命令を格納し、プロセッサ１００２２は、必要な動作を実行するために基地局を制御するように構成される。メモリ１００２１及びプロセッサ１００２２は、１つ又は複数のボードにサービスを提供するように構成される。具体的には、メモリ及びプロセッサを各ボード上に配置してもよく、又は複数のボードが同じメモリ及びプロセッサを共有してもよい。さらに、必要な回路を各ボード上にさらに配置することができる。
【０１９１】
前述した概念に基づいて、図１１は、端末装置の概略構造図である。端末装置は、図２、図４、又は図７に示される手順において端末装置によって実行されるステップに適用可能であり得る。説明を容易にするために、図１１は、端末装置の主要なコンポーネントのみを示している。図１１に示されるように、端末装置１１０は、プロセッサ、メモリ、及び制御回路を含み得、オプションで、アンテナ及び／又は入力／出力機器をさらに含み得る。プロセッサは、通信プロトコル及び通信データを処理し、ユーザ機器を制御し、ソフトウェアプログラムを実行し、及びソフトウェアプログラムのデータを処理するように構成され得る。メモリは、ソフトウェアプログラム及び／又はデータを格納することができる。制御回路は、ベースバンド信号と無線周波数信号との間の変換を実行し、無線周波数信号を処理するように構成され得る。アンテナと一緒の制御回路は、トランシーバと呼ばれることもあり、且つ電磁波の形式で無線周波数信号を送受信するように構成され得る。タッチスクリーン、ディスプレイ、又はキーボード等の入出力機器は、ユーザによって入力されたデータを受信し、データをユーザに出力するように構成され得る。
【０１９２】
本願のこの実施形態では、プロセッサは、ストレージユニット内のソフトウェアプログラムを読み取り、ソフトウェアプログラムの命令を解釈及び実行し、ソフトウェアプログラムのデータを処理することができる。データをワイヤレス方式で送信する必要がある場合に、プロセッサは送信すべきデータに対してベースバンド処理を実行し、次にベースバンド信号を無線周波数回路に出力する。ベースバンド信号に対して無線周波数処理を行った後に、無線周波数回路は、電磁波の形式のアンテナを使用することにより、無線周波数信号を外部に送信する。データをユーザ機器に送信すると、無線周波数回路は、アンテナを使用することにより無線周波数信号を受信し、無線周波数信号をベースバンド信号に変換してベースバンド信号をプロセッサに出力し、プロセッサは、ベースバンド信号をデータに変換し、データを処理する。
【０１９３】
当業者は、説明を容易にするために、図１１が、１つのメモリのみ及び１つのプロセッサのみを示していることを理解し得る。実際のユーザ機器では、複数のプロセッサ及び複数のメモリがあり得る。メモリは、記憶媒体、記憶装置等と呼ばれることもある。これは、本発明のこの実施形態に限定されない。
【０１９４】
オプションの実施態様において、プロセッサは、ベースバンドプロセッサ及び中央処理装置を含み得る。ベースバンドプロセッサは、通信プロトコル及び通信データを処理するように構成され得る。中央処理装置は、ユーザ機器全体を制御し、ソフトウェアプログラムを実行し、且つソフトウェアプログラムのデータを処理するように構成され得る。図１１のプロセッサは、ベースバンドプロセッサ及び中央処理装置の機能と統合される。当業者は、ベースバンドプロセッサ及び中央処理装置が独立したプロセッサであり得、バス等の技術を介して相互接続されることを理解し得る。当業者は、ユーザ機器が、異なるネットワーク規格に適応するために複数のベースバンドプロセッサを含み得、ユーザ機器が、ユーザ機器の処理能力を強化するための複数の中央処理装置を含み得、且つユーザ機器のコンポーネントが、様々なバスを介して接続され得ることを理解し得る。ベースバンドプロセッサは、ベースバンド処理回路又はベースバンド処理チップとして表現することもできる。中央処理装置は、中央処理回路又は中央処理チップとして表現することもできる。通信プロトコル及び通信データを処理する機能は、プロセッサに組み込んでもよく、又はソフトウェアプログラムの形態でストレージユニットに格納してもよく、そしてプロセッサは、ソフトウェアプログラムを実行してベースバンド処理機能を実施する。
【０１９５】
例えば、本願のこの実施形態では、受信機能及び送信機能を有するアンテナ及び制御回路を端末装置１１０のトランシーバユニット１１１として使用することができ、処理機能を有するプロセッサを端末装置１１０の処理ユニット１１２として見なすことができる。図１１に示されるように、端末装置１１０は、トランシーバユニット１１１及び処理ユニット１１２を含み得る。トランシーバユニットは、トランシーバ、受信機／送信機、トランシーバ機器等と呼ばれることもある。オプションで、トランシーバユニット１１１内にあり、且つ受信機能を実施するように構成されたコンポーネントは、受信ユニットと見なされ得、トランシーバユニット１１１内にあり、且つ送信機能を実施するように構成されたコンポーネントは、送信ユニットと見なされ得る。すなわち、トランシーバユニット１１１は、受信ユニット及び送信ユニットを含む。例えば、受信ユニットは、受信マシン、受信機、受信回路等と呼ばれることもあり、送信ユニットは、送信マシン、送信機、送信回路等と呼ばれることもある。
【０１９６】
前述した機器の実施形態におけるネットワーク装置及び端末装置は、それぞれ、方法の実施形態におけるネットワーク装置又は端末装置に完全に対応し、対応するモジュール又はユニットは、対応するステップを実行することを理解されたい。例えば、送信モジュール（送信機）は、方法の実施形態では送信ステップを実行し、受信モジュール（受信機）は、方法の実施形態では受信ステップを実行し、処理モジュール（プロセッサ）は、送信及び受信以外の他のステップを実行することができる。特定のモジュールの機能については、対応する方法の実施形態を参照されたい。送信モジュール及び受信モジュールはトランシーバモジュールを形成することができ、送信機及び受信機はトランシーバを形成して、受信機能及び送信機能を共同で実施することができる。１つ又は複数のプロセッサが存在する場合がある。
【０１９７】
本願の実施形態で提供される方法によれば、本発明の実施形態は、前述したネットワーク装置及び前述した端末装置を含む通信システムをさらに提供する。
【０１９８】
前述した実施形態に基づいて、本願の実施形態は、コンピュータ記憶媒体をさらに提供する。記憶媒体は、ソフトウェアプログラムを記憶し、ソフトウェアプログラムが１つ又は複数のプロセッサによって読み取られて実行されるときに、前述した実施形態のいずれか１つ又は複数で提供される方法を実施することができる。コンピュータ記憶媒体は、プログラムコードを記憶することができる任意の媒体、例えば、ＵＳＢフラッシュドライブ、リムーバブルハードディスク、読み取り専用メモリ、ランダムアクセスメモリ、磁気ディスク、又は光ディスクを含み得る。
【０１９９】
前述した実施形態に基づいて、本願の実施形態は、チップをさらに提供する。チップは、前述した実施形態のいずれか１つ又は複数の機能を実施する、例えば前述した方法で情報又はメッセージを取得又は処理するように構成されたプロセッサを含む。オプションで、チップはメモリをさらに含み、メモリは、プロセッサによって必要で実行されるプログラム命令及びデータを格納するように構成される。チップは、チップを含み得るか、又はチップ及び別の個別の装置を含み得る。
【０２００】
本発明の実施形態では、プロセッサは中央処理装置（Central Processing Unit、略して「ＣＰＵ」）であり得るか、又はプロセッサは、別の汎用プロセッサ、デジタル信号プロセッサ（ＤＳＰ）、特定用途向け集積回路（ＡＳＩＣ）、フィールドプログラマブルゲートアレイ（ＦＰＧＡ）又は別のプログラマブル論理装置、ディスクリートゲート又はトランジスタ論理装置、ディスクリートハードウェアコンポーネント等であり得ることを理解されたい。汎用プロセッサは、マイクロプロセッサであり得るか、又は任意の従来のプロセッサ等であり得る。
【０２０１】
メモリは、読み取り専用メモリ及びランダムアクセスメモリを含み得、命令及びデータをプロセッサに提供する。メモリの一部には、不揮発性ランダムアクセスメモリがさらに含まれ得る。
【０２０２】
バスシステムは、データバスに加えて、電力バス、制御バス、ステータス信号バス等をさらに含み得る。ただし、明確に説明するために、図の様々なタイプのバスをバスシステムとしてマークしている。実施プロセスでは、前述した方法のステップは、プロセッサ内のハードウェア統合論理回路を使用することによって、又はソフトウェアの形式の命令を使用することによって実施することができる。本発明の実施形態を参照して開示される方法のステップは、ハードウェアプロセッサによって直接実行及び完了され得るか、又はプロセッサ内にあるソフトウェアモジュール及びハードウェアの組合せを使用することによって実行及び完了され得る。ソフトウェアモジュールは、例えば、ランダムアクセスメモリ、フラッシュメモリ、読み取り専用メモリ、プログラム可能な読み取り専用メモリ、電気的に消去可能なプログラム可能なメモリ、又はレジスタ等、フィールド内の考慮された記憶媒体に配置することができる。記憶媒体はメモリ内に配置され、プロセッサは、メモリ内の情報を読み取り、メモリ内の情報及びプロセッサのハードウェアを使用することにより、前述した方法のステップを完了する。繰り返しを避けるために、詳細はここでは再び説明しない。本願において、「少なくとも１つ」は１つ又は複数を意味し、「複数」は２つ以上を意味する。「及び／又は」という用語は、関連するオブジェクト同士の間の関連する関係性を説明し、３つの関係を示し得る。例えば、Ａ及び／又はＢは、Ａのみが存在し、ＡとＢとの両方が存在し、Ｂのみが存在する場合を示し、ここでＡ及びＢは、単数形又は複数形の場合がある。文字「／」は通常、関連するオブジェクト同士の間の「又は」の関係を示す。「以下の少なくとも１つのアイテム（ピース）」又はその同様の表現は、単一のアイテム（ピース）又は複数のアイテム（ピース）の任意の組合せを含む、これらのアイテムの任意の組合せを意味する。例えば、ａ、ｂ、又はｃの少なくとも１つ（ワンピース）は、ａ、ｂ、ｃ、ａ−ｂ、ａ−ｃ、ｂ−ｃ、又はａ−ｂ−ｃを示し、ここで、ａ、ｂ、及びｃは単数形又は複数形の場合がある。
【０２０３】
簡便で簡潔な説明の目的で、前述したシステム、機器、及びユニットの詳細な動作プロセスについて、前述した方法の実施形態における対応するプロセスを参照することは、当業者によって明確に理解され得る。詳細はここでは説明しない。
【０２０４】
本願で提供されるいくつかの実施形態では、開示されるシステム、機器、及び方法は、他の方法で実施できることを理解すべきである。例えば、説明した機器の実施形態は単なる例である。例えば、ユニット分割は単なる論理関数除算（分割）であり、実際の実施態様では他の分割である場合がある。例えば、複数のユニット又はコンポーネントを組み合わせて、又は別のシステムに統合することができ、あるいはまた、いくつかの機能を無視するか、又は実行しない場合がある。さらに、表示又は説明する相互結合又は直接結合又は通信接続は、いくつかのインターフェースを介して実施され得る。機器又はユニット同士の間の間接的な結合又は通信接続は、電子的、機械的、又は他の形態で実施され得る。
【０２０５】
別個の部品として説明したユニットは、物理的に分離されていてもされなくてもよく、ユニットとして表示した部品は、物理ユニットであってもなくてもよく、１つの位置に配置してもよく、又は複数のネットワークユニットに分散してもよい。ユニットのいくつか又は全ては、実施形態の解決策の目的を達成するための実際の要件に基づいて選択され得る。
【０２０６】
さらに、本願の実施形態における機能ユニットは、１つの処理ユニットに統合され得るか、又はユニットのそれぞれが物理的に単独で存在し得るか、又は２つ以上のユニットが１つのユニットに統合され得る。
【０２０７】
前述した実施形態の全て又はいくつかは、ソフトウェア、ハードウェア、ファームウェア、又はそれらの任意の組合せを使用することによって実施することができる。ソフトウェアが実施形態を実施するために使用される場合に、実施形態は、コンピュータプログラム製品の形態で全部又は部分的に実施され得る。コンピュータプログラム製品は、１つ又は複数のコンピュータ命令（プログラム）を含む。コンピュータプログラム命令（プログラム）がコンピュータにロードされて実行されるときに、本願の実施形態による手順又は機能は、全て又は部分的に生成される。コンピュータは、汎用コンピュータ、専用コンピュータ、コンピュータネットワーク、又は別のプログラム可能な機器であり得る。コンピュータ命令は、コンピュータ可読記憶媒体に記憶され得るか、又はコンピュータ可読記憶媒体から別のコンピュータ可読記憶媒体に送信され得る。例えば、コンピュータ命令は、ウェブサイト、コンピュータ、サーバ、又はデータセンターから別のウェブサイト、コンピュータ、サーバ、又はデータセンターに、有線（例えば、同軸ケーブル、光ファイバ、又はデジタル加入者回線（ＤＳＬ））又は無線（例えば、赤外線、無線、及びマイクロ波等）方式）で送信され得る。コンピュータ可読記憶媒体は、コンピュータによってアクセス可能な任意の使用可能な媒体、或いは１つ又は複数の使用可能な媒体を統合するサーバ又はデータセンター等のデータ記憶装置であり得る。使用可能な媒体は、磁気媒体（例えば、フロッピーディスク、ハードディスク、又は磁気テープ）、光学媒体（例えば、ＤＶＤ）、半導体媒体（例えば、ソリッドステートドライブsolid state disk（ＳＳＤ））等）であり得る。
【図１】
2021530161.tif 000003
【図２】
2021530161.tif 000004
【図３】
2021530161.tif 000005
【図４】
2021530161.tif 000006
【図５】
2021530161.tif 000007
【図６】
2021530161.tif 000008
【図７】
2021530161.tif 000009
【図８】
2021530161.tif 000010
【図９】
2021530161.tif 000011
【図１０】
2021530161.tif 000012
【図１１】
2021530161.tif 000013
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
通信方法であって、当該通信方法は、
端末装置が、ネットワーク装置の第１のビームから第１の参照信号を受信するステップと、
前記端末装置が、第１の閾値及び前記第１の参照信号に基づいて前記第１のビームの利用可能性を決定するステップと、
前記端末装置が、第１のフィードバック情報を前記ネットワーク装置に送信するステップと、を含み、
前記第１のフィードバック情報には、少なくとも第１の指標情報が含まれ、該第１の指標情報は、前記第１のビームの前記利用可能性を示すために使用される、
通信方法。
【請求項２】
当該方法は、前記端末装置が、前記ネットワーク装置から第１の構成情報を受信するステップをさらに含み、該第１の構成情報には、前記第１の閾値が含まれる、請求項１に記載の方法。
【請求項３】
前記第１のフィードバック情報には、第２の指標情報がさらに含まれ、該第２の指標情報は、前記第１の閾値を示すために使用される、請求項１に記載の方法。
【請求項４】
１つ又は複数の第１の閾値が存在しており、
第１の閾値が１つある場合に、１つの第１の指標情報があり、該第１の指標情報は、前記第１の閾値の決定基準に従って、前記第１のビームの前記利用可能性を示すために使用される、又は
第１の閾値が複数ある場合に、複数の第１の指標情報があり、それぞれの第１の指標情報が、対応する第１の閾値の決定基準に従って、前記第１のビームの前記利用可能性を示すために使用される。請求項１乃至３のいずれか一項に記載の方法。
【請求項５】
前記第１のフィードバック情報のシグナリングフォーマットが、メディアアクセス制御プロトコルデータユニットであり、該メディアアクセス制御プロトコルデータユニットは、制御要素を含み、該制御要素によって、前記第１の指標情報が搬送される、請求項１乃至４のいずれか一項に記載の方法。
【請求項６】
前記端末装置が、第１の閾値及び前記第１の参照信号に基づいて前記第１のビームの利用可能性を決定するステップは、
前記端末装置が、前記第１の参照信号に関連する品質パラメータを決定するステップと、
該品質パラメータが前記第１の閾値以上である場合に、前記第１のビームが利用可能であると判定するステップ、又は
前記品質パラメータが前記第１の閾値よりも小さい場合に、前記第１のビームが利用不可であると判定するステップ、とを含む、請求項１に記載の方法。
【請求項７】
前記品質パラメータには、参照信号受信電力、参照信号受信品質、参照信号受信強度インジケータ、信号対干渉プラス雑音比、信号品質インジケータ、ランクインジケータ、又はプリコーディングマトリックスインジケータのうちの１つ又は複数が含まれる、請求項６に記載の方法。
【請求項８】
通信方法であって、当該通信方法は、
ネットワーク装置が、第１のビームを介して第１の参照信号を端末装置に送信するステップと、
前記ネットワーク装置が、前記端末装置から第１のフィードバック情報を受信するステップと、を含み、
該第１のフィードバック情報は、前記第１の参照信号及び第１の閾値に基づいて決定され、前記第１のフィードバック情報には、少なくとも第１の指標情報が含まれ、該第１の指標情報は、前記第１のビームの利用可能性を示すために使用される、
通信方法。
【請求項９】
当該方法は、前記ネットワーク装置が、第１の構成情報を前記端末装置に送信するステップをさらに含み、前記第１の構成情報には、前記第１の閾値が含まれる、請求項８に記載の方法。
【請求項１０】
前記第１のフィードバック情報のシグナリングフォーマットが、メディアアクセス制御プロトコルデータユニットであり、該メディアアクセス制御プロトコルデータユニットは、制御要素を含み、該制御要素によって、前記第１の指標情報が搬送される、請求項８に記載の方法。
【請求項１１】
当該方法は、
前記ネットワーク装置が、前記第１のフィードバック情報に基づいて利用可能なビームセットを生成するステップと、
前記ネットワーク装置が、第２の構成情報を前記端末装置に送信するステップと、をさらに含み、
前記第２の構成情報は、前記利用可能なビームセットを示すために使用される。請求項８に記載の方法。
【請求項１２】
通信機器であって、当該通信機器は、
ネットワーク装置の第１のビームから第１の参照信号を受信するように構成された受信機と、
第１の閾値及び前記第１の参照信号に基づいて前記第１のビームの利用可能性を決定するように構成されたプロセッサと、
第１のフィードバック情報を前記ネットワーク装置に送信するように構成された送信機と、を含み、
前記第１のフィードバック情報には、少なくとも第１の指標情報が含まれ、該第１の指標情報は、前記第１のビームの前記利用可能性を示すために使用される、
通信機器。
【請求項１３】
前記受信機は、前記ネットワーク装置から第１の構成情報を受信するようにさらに構成され、該第１の構成情報には、前記第１の閾値が含まれる、請求項１２に記載の通信機器。
【請求項１４】
前記第１のフィードバック情報のシグナリングフォーマットが、メディアアクセス制御プロトコルデータユニットであり、該メディアアクセス制御プロトコルデータユニットは、制御要素を含み、該制御要素によって、前記第１の指標情報が搬送される、請求項１２に記載の通信機器。
【請求項１５】
前記プロセッサは、前記第１の参照信号に関連する品質パラメータを決定し、そして
該品質パラメータが前記第１の閾値以上である場合に、前記第１のビームが利用可能であると判定する、又は
前記品質パラメータが前記第１の閾値よりも小さい場合に、前記第１のビームが利用不可であると判定する、ようにさらに構成される、請求項１２に記載の通信機器。
【請求項１６】
前記品質パラメータには、参照信号受信電力、参照信号受信品質、参照信号受信強度インジケータ、信号対干渉プラス雑音比、信号品質インジケータ、ランクインジケータ、及びプリコーディングマトリックスインジケータのうちの１つ又は複数が含まれる、請求項１５に記載の通信機器。
【請求項１７】
通信機器であって、当該通信機器は、
第１のビームを介して第１の参照信号を端末装置に送信するように構成された送信機と、
前記端末装置から第１のフィードバック情報を受信するように構成された受信機と、を含み、
前記第１のフィードバック情報は、前記第１の参照信号及び第１の閾値に基づいて決定され、前記第１のフィードバック情報には、少なくとも第１の指標情報が含まれ、該第１の指標情報は、前記第１のビームの利用可能性を示すために使用される、
通信機器。
【請求項１８】
前記送信機は、第１の構成情報を前記端末装置に送信するようにさらに構成され、前記第１の構成情報には、前記第１の閾値が含まれる、請求項１７に記載の通信機器。
【請求項１９】
前記第１のフィードバック情報のシグナリングフォーマットが、メディアアクセス制御プロトコルデータユニットであり、該メディアアクセス制御プロトコルデータユニットは、制御要素を含み、該制御要素によって、前記第１の指標情報が搬送される、請求項１７に記載の通信機器。
【請求項２０】
当該通信機器は、前記第１のフィードバック情報に基づいて利用可能なビームセットを生成するように構成されたプロセッサをさらに含み、
前記送信機は、第２の構成情報を前記端末装置に送信するようにさらに構成され、
前記第２の構成情報は、前記利用可能なビームセットを示すために使用される、請求項１７に記載の通信機器。
【請求項２１】
読み取り可能な記憶媒体及びコンピュータプログラムを含む記憶媒体であって、前記コンピュータプログラムは、請求項１乃至７又は請求項８乃至１１のいずれか一項に記載の方法を実施するように構成される、記憶媒体。
【請求項２２】
機器であって、当該機器は、
コンピュータプログラムを格納するメモリと、
前記コンピュータプログラムを実行して、当該機器に請求項１乃至７又は請求項８乃至１１のいずれか一項に記載の方法を実施させるように構成されたプロセッサと、を含む、
機器。
【請求項２３】
コンピュータプログラムであって、コンピュータによって実行されるときに、請求項１乃至７又は請求項８乃至１１のいずれか一項に記載の方法を実施するコンピュータプログラム。
【手続補正２】
【補正対象書類名】明細書
【補正対象項目名】全文
【補正方法】変更
【補正の内容】
【発明の詳細な説明】
【技術分野】
【０００１】
本願は、２０１８年６月２９日に中国特許庁に提出された、“COMMUNICATION METHOD AND COMMUNICATIONS
APPARATUS（通信方法及び通信機器）”という表題の中国特許出願第２０１８１０７１３３１８．２号について優先権を主張するものであり、この文献はその全体が参照により本明細書に組み込まれる。
【０００２】
本願は、無通信技術の分野に関し、特に、通信方法及び通信機器に関する。
【０００３】
第４世代の移動通信システムと比較して、第５世代の移動通信システムは、より高い搬送周波数を使用する。搬送周波数が高いほど、無線信号のフェージングが深刻であることを示す。従って、ビームフォーミング（beamforming，BF）技術が第５世代移動通信システムで提案される。ＢＦ技術により、指向性の良いビームを得ることができ、送信方向の無線信号のパワーを上げて、無線信号のフェージングに抵抗することができる。
【０００４】
第３世代パートナーシッププロジェクト（3rd generation partnership project,
3GPP）リリース１５（R15）では、ビーム品質を測定するための方法が提供される。具体的には、基地局は、ビームリソース構成情報を端末装置に送信し、そこでビームリソース構成情報は、時間周波数ドメインリソースの位置及び基地局によって異なるビームで送信される参照信号の周期性等の情報を端末装置に通知するために使用される。基地局は、ビームリソース構成情報に基づいて、異なるビームで参照信号を送信する。端末装置は、対応するビームで参照信号を受信し、異なるビームで受信した参照信号に基づいてビーム品質測定レポートを基地局にフィードバックすることができ、それによって、基地局は、異なるビームを使用して通信の品質を学習する。従来技術では、端末装置が、どの様にビーム品質測定レポートを基地局にフィードバックするかについての関連する解決策はない。
【発明の概要】
【０００５】
本願は、端末装置がビーム品質測定レポートをフィードバックする解決策を提供するための、通信方法及び通信機器を提供する。
【０００６】
第１の態様によれば、本願は、通信方法を提供する。この方法は、具体的には以下のとおりである。端末装置は、ネットワーク装置の第１のビームから第１の参照信号を受信する。端末装置は、第１の閾値及び第１の参照信号に基づいて、第１のビームの利用可能性を決定する。端末装置は、第１のフィードバック情報をネットワーク装置に送信し、第１のフィードバック情報には、少なくとも第１の指標情報が含まれ、第１の指標情報は、第１のビームの利用可能性を示すために使用される。
【０００７】
端末装置が第１のビームを介して第１の参照信号を受信するときに、端末装置が第１のビームの識別子及び第１の参照信号の受信電力をネットワーク装置にフィードバックする場合のエアインターフェイスオーバーヘッド及び物理アップリンクリソースの利用率と比較して、この方法では、エアインターフェイスのオーバーヘッドを削減することができ、物理アップリンクリソースの利用率を向上させることができる。
【０００８】
第２の態様によれば、本願は、通信方法を提供する。この方法は、具体的には次のとおりである。端末装置は、ネットワーク装置の第１のビームから第１の参照信号を受信する。端末装置は、第１の閾値及び第１の参照信号に基づいて、第１のビームの利用可能性を決定する。端末装置は、第１の指標情報をネットワーク装置に送信し、そこで第１の指標情報は、第１のビームの利用可能性を示すために使用される。本願のこの実施形態では、端末装置が、第１のビームの識別子及び第１の参照信号の受信電力をフィードバックする場合のエアインターフェイスオーバーヘッド及び物理アップリンクリソースの利用率と比較して、端末装置によってビームの利用可能性を直接フィードバックする方法では、エアインターフェイスのオーバーヘッドを削減することができ、物理アップリンクリソースの利用率を向上させることができる。
【０００９】
可能な実施態様において、第１の態様及び第２の態様の第１の閾値は、端末装置によって決定してもよく、ネットワーク装置によって決定してもよく、又はプロトコルにおいて事前に指定してもよく、次に、端末装置及びネットワーク装置に設定される。この例では、第１の閾値がネットワーク装置によって決定される場合に、端末装置は、ネットワーク装置から第１の構成情報を受信することができ、第１の構成情報には、第１の閾値が含まれる。第１の閾値が端末装置によって決定される場合に、端末装置は、第２の指標情報をネットワーク装置に送信することができ、第２の指標情報によって、第１の閾値が搬送され、第２の指標情報は、第１のフィードバック情報で搬送されることに限定されない。
【００１０】
可能な実施態様において、１つ又は複数の第１の閾値が存在する。第１の閾値が１つある場合に、１つの第１の指標情報があり、第１の指標情報は、第１の閾値の決定基準に従って、第１のビームの利用可能性を示すために使用される。あるいはまた、第１の閾値が複数ある場合に、複数の第１の指標情報があり、それぞれの第１の指標情報が、対応する第１の閾値の決定基準に従って、第１のビームの利用可能性を示すために使用される。
【００１１】
可能な実施態様において、第１のフィードバック情報のシグナリングフォーマットが、メディアアクセス制御プロトコルデータユニットであり、メディアアクセス制御プロトコルデータユニットは、制御要素を含み、制御要素によって、第１の指標情報が搬送される。あるいはまた、第１のフィードバック情報のシグナリングフォーマットが、アップリンク制御情報であり、アップリンク制御情報によって、第１の指標情報が搬送される。
【００１２】
可能な実施態様において、端末装置は、以下の方法で第１のビームの利用可能性を決定することができる。端末装置は、第１の参照信号に関連する品質パラメータを決定する。品質パラメータが第１の閾値以上である場合に、端末装置は、第１のビームが利用可能であると判定する。あるいはまた、品質パラメータが第１の閾値よりも小さい場合に、端末装置は、第１のビームが利用不可であると判定する。本願のこの実施形態は、以下の場合に限定されない。品質パラメータが第１の閾値よりも大きい場合に、端末装置は、第１のビームが利用可能であると判定する。品質パラメータが第１の閾値以下である場合に、端末装置は、第１のビームが利用不可であると判定する。品質パラメータには、参照信号受信電力、参照信号受信品質、参照信号受信強度インジケータ、信号対干渉プラス雑音比、信号品質インジケータ、ランクインジケータ、及びプリコーディングマトリックスのうちの１つ又は複数が含まれる。
【００１３】
可能な実施態様において、端末装置は、ネットワーク装置から第２の構成情報を受信することができ、第２の構成情報は、利用可能なビームセットを示すために使用され、利用可能なビームセットには、１つ又は複数の利用可能なビームが含まれ得る。これは、本願では限定されない。
【００１４】
第３の態様によれば、本願は、通信方法をさらに提供し、この方法は、具体的には以下のとおりである。ネットワーク装置は、第１の参照信号を生成する。ネットワーク装置は、第１のビームを介して第１の参照信号を端末装置に送信する。ネットワーク装置は、端末装置から第１のフィードバック情報を受信し、第１のフィードバック情報は、第１の参照信号及び第１の閾値に基づいて決定され、第１のフィードバック情報には、少なくとも第１の指標情報が含まれ、第１の指標情報は、第１のビームの利用可能性を示するために使用される。
【００１５】
第４の態様によれば、本願は、通信方法をさらに提供し、この方法は、具体的には以下のとおりである。ネットワーク装置は、第１の参照信号を生成する。ネットワーク装置は、第１のビームを介して第１の参照信号を端末装置に送信する。ネットワーク装置は、端末装置から第１の指標情報を受信し、第１の指標情報は、第１のビームの利用可能性を示すために使用され、第１のビームの利用可能性は、第１の閾値及び第１の参照信号に基づいて決定される。
【００１６】
可能な実施態様において、ネットワーク装置は、第１の構成情報を端末装置に送信し、第１の構成情報には、第１の閾値が含まれる。あるいはまた、第１のフィードバック情報には、第２の指標情報がさらに含まれ、第２の指標情報は、第１の閾値を示すために使用される。本願のこの実施形態では、１つ又は複数の第１の閾値が存在する。第１の閾値が１つある場合に、１つの第１の指標情報があり、第１の指標情報は、第１の閾値の決定基準に従って、第１のビームの利用可能性を示すために使用される。あるいはまた、第１の閾値が複数ある場合に、複数の第１の指標情報があり、それぞれの第１の指標情報が、対応する第１の閾値の決定基準に従って、第１のビームの利用可能性を示すために使用される。
【００１７】
本願の可能な実施態様において、第１のフィードバック情報のシグナリングフォーマットが、メディアアクセス制御プロトコルデータユニットであり、メディアアクセス制御プロトコルデータユニットは、制御要素を含み、制御要素によって、第１の指標情報が搬送される。あるいはまた、第１のフィードバック情報のシグナリングフォーマットが、アップリンク制御情報であり、アップリンク制御情報によって、第１の指標情報が搬送される。
【００１８】
本願の可能な実施態様において、ネットワーク装置は、第１のフィードバック情報に基づいて利用可能なビームセットを生成することができる。ネットワーク装置は、第２の構成情報を端末装置に送信し、そこで第２の構成情報は、利用可能なビームセットを示すために使用される。利用可能なビームセットには、１つ又は複数の利用可能なビームが含まれ得る。
【００１９】
第５の態様によれば、本願は、端末装置に適用され、且つ第１の態様及び第２の態様のステップを実行するように構成されたユニット又は手段（means）を含む通信機器を提供する。
【００２０】
例えば、本願の一例では、通信機器は、受信モジュール、処理モジュール、及び送信モジュールを含み得る。受信モジュールは、ネットワーク装置の第１のビームから第１の参照信号を受信するように構成され得る。処理モジュールは、第１の閾値及び第１の参照信号に基づいて、第１のビームの利用可能性を決定するように構成され得る。送信モジュールは、第１のフィードバック情報をネットワーク装置に送信するように構成され得、第１のフィードバック情報には、少なくとも第１の指標情報が含まれ、第１の指標情報は、第１のビームの利用可能性を示すために使用される。
【００２１】
別の例として、本願の別の例では、通信機器は、受信モジュール、処理モジュール、及び送信モジュールを含み得る。受信モジュールは、ネットワーク装置の第１のビームから第１の参照信号を受信するように構成される。処理モジュールは、第１の閾値及び第１の参照信号に基づいて、第１のビームの利用可能性を決定するように構成され得る。送信モジュールは、第１の指標情報をネットワーク装置に送信するように構成され得る。
【００２２】
本願の可能な実施態様において、受信モジュールは、ネットワーク装置から第１の構成情報を受信するようにさらに構成され、第１の構成情報には、第１の閾値が含まれる。
【００２３】
本願の可能な実施態様において、第１のフィードバック情報には、第２の指標情報がさらに含まれ、第２の指標情報は、第１の閾値を示すために使用される。
【００２４】
本願の可能な実施態様において、１つ又は複数の第１の閾値が存在する。第１の閾値が１つある場合に、１つの第１の指標情報があり、第１の指標情報は、第１の閾値の決定基準に従って、第１のビームの利用可能性を示すために使用される。あるいはまた、第１の閾値が複数ある場合に、複数の第１の指標情報があり、それぞれの第１の指標情報が、対応する第１の閾値の決定基準に従って、第１のビームの利用可能性を示すために使用される。
【００２５】
本願の可能な実施態様において、第１のフィードバック情報のシグナリングフォーマットが、メディアアクセス制御プロトコルデータユニットであり、メディアアクセス制御プロトコルデータユニットは、制御要素を含み、制御要素によって、第１の指標情報が搬送される。
【００２６】
本願の可能な実施態様において、第１のフィードバック情報のシグナリングフォーマットが、アップリンク制御情報であり、アップリンク制御情報によって、第１の指標情報が搬送される。
【００２７】
本願の可能な実施態様において、処理モジュールは、第１の参照信号に関連する品質パラメータを決定し、そして品質パラメータが第１の閾値以上である場合に、第１のビームが利用可能であると判定するか、又は品質パラメータが第１の閾値よりも小さい場合に、第１のビームが利用不可であると判定するように特に構成される。
【００２８】
本願の可能な実施態様において、品質パラメータには、参照信号受信電力、参照信号受信品質、参照信号受信強度インジケータ、信号対干渉プラス雑音比、信号品質インジケータ、ランクインジケータ、及びプリコーディングマトリックスインジケータのうちの１つ又は複数が含まれる。
【００２９】
本願の可能な実施態様において、受信モジュールは、ネットワーク装置から第２の構成情報を受信するようにさらに構成され、第２の構成情報は、利用可能なビームセットを示すために使用される。
【００３０】
第６の態様によれば、本願は、ネットワーク装置に適用され、且つ第２の態様及び第３の態様のステップを実行するように構成されたユニット又は手段（means）を含む通信機器を提供する。
【００３１】
例えば、本願の一例では、通信機器は、処理モジュール、送信モジュール、及び受信モジュールを含み得る。処理モジュールは、第１の参照信号を生成するように構成され得る。送信モジュールは、第１のビームを介して第１の参照信号を端末装置に送信するように構成され得る。受信モジュールは、端末装置から第１のフィードバック情報を受信するように構成され、第１のフィードバック情報は、第１の参照信号及び第１の閾値に基づいて決定され、第１のフィードバック情報には、少なくとも第１の指標情報が含まれ、第１の指標情報は、第１のビームの利用可能性を示すために使用される。
【００３２】
例えば、本願の別の例では、通信機器は、具体的には以下のような、処理モジュール、送信モジュール、及び受信モジュールを含み得る。処理モジュールは、第１の参照信号を生成するように構成され得る。送信モジュールは、第１のビームを介して第１の参照信号を端末装置に送信するように構成され得る。受信モジュールは、端末装置から第１の指標情報を受信するように構成され得、第１の指標情報は、第１のビームの利用可能性を示すために使用される。
【００３３】
本願の可能な実施態様において、送信モジュールは、第１の構成情報を端末装置に送信するようにさらに構成され、第１の構成情報には、第１の閾値が含まれる。
【００３４】
本願の可能な実施態様において、第１のフィードバック情報には、第２の指標情報がさらに含まれ、第２の指標情報は、第１の閾値を示すために使用される。
【００３５】
本願の可能な実施態様において、１つ又は複数の第１の閾値が存在する。第１の閾値が１つある場合に、１つの第１の指標情報があり、第１の指標情報は、第１の閾値の決定基準に従って、第１のビームの利用可能性を示すために使用される。あるいはまた、第１の閾値が複数ある場合に、複数の第１の指標情報があり、それぞれの第１の指標情報が、対応する第１の閾値の決定基準に従って、第１のビームの利用可能性を示すために使用される。
【００３６】
本願の可能な実施態様において、第１のフィードバック情報のシグナリングフォーマットが、メディアアクセス制御プロトコルデータユニットであり、メディアアクセス制御プロトコルデータユニットは、制御要素を含み、制御要素によって、第１の指標情報が搬送される。
【００３７】
本願の可能な実施態様において、第１のフィードバック情報のシグナリングフォーマットが、アップリンク制御情報であり、アップリンク制御情報によって、第１の指標情報が搬送される。
【００３８】
本願の可能な実施態様において、処理モジュールは、第１のフィードバック情報に基づいて利用可能なビームセットを生成するようにさらに構成され得る。送信モジュールは、第２の構成情報を端末装置に送信するようにさらに構成され、第２の構成情報は、利用可能なビームセットを示すために使用される。
【００３９】
第７の態様によれば、本願は、端末装置に適用され、且つ少なくとも１つの処理要素及び少なくとも１つの記憶要素を含む通信機器を提供し、少なくとも１つの記憶要素は、プログラム及びデータを記憶するように構成され、少なくとも１つの処理要素は、本願の第１の態様又は第２の態様で提供される方法を実行するように構成される。
【００４０】
第８の態様によれば、本願は、ネットワーク装置に適用され、且つ少なくとも１つの処理要素及び少なくとも１つの記憶要素を含む通信機器を提供し、少なくとも１つの記憶要素は、プログラム及びデータを記憶するように構成され、少なくとも１つの処理要素は、本願の第３の態様又は第４の態様で提供される方法を実行するように構成される。
【００４１】
第９の態様によれば、本願は、端末装置に適用され、且つ第１の態様又は第２の態様の方法を実行するように構成された少なくとも１つの処理要素（又はチップ）を含む通信機器を提供する。
【００４２】
第１０の態様によれば、本願は、ネットワーク装置に適用され、且つ第４の態様又は第３の態様の方法を実行するように構成された少なくとも１つの処理要素（又はチップ）を含む通信機器を提供する。
【００４３】
前述した機器は、ネットワーク装置又は端末装置であり得るか、又はネットワーク装置又は端末装置内のチップ又は機能モジュールであり得る。
【００４４】
第１１の態様によれば、本願は、プログラムを提供し、プログラムは、プロセッサによって実行されるときに、前述した態様のいずれか１つの方法を実行するために使用される。
【００４５】
第１２の態様によれば、本願は、前述した態様のいずれか１つのプログラムを含むプログラム製品、例えばコンピュータ可読記憶媒体を提供する。
【００４６】
第１３の態様によれば、本願の一実施形態は、移動体通信システムを提供し、移動体通信システムは、端末装置及びネットワーク装置を含む。
【図面の簡単な説明】
【００４７】
【図１】本願の一実施形態による通信システムの概略図である。
【図２】本願の一実施形態による通信方法のフローチャートである。
【図３】本願の一実施形態による、ＭＡＣ  ＰＤＵの概略図である。
【図４】本願の一実施形態による通信方法のフローチャートである。
【図５】本願の一実施形態による通信方法のフローチャートである。
【図６】本願の一実施形態による、ＭＡＣ  ＣＥの概略図である。
【図７】本願の一実施形態による通信方法の別のフローチャートである。
【図８】本願の一実施形態による通信機器の概略構造図である。
【図９】本願の一実施形態による通信機器の別の概略構造図である。
【図１０】本願の一実施形態による基地局の概略構造図である。
【図１１】本願の一実施形態による端末装置の概略構造図である。
【発明を実施するための形態】
【００４８】
以下は、本願の実施形態における添付の図面を参照して、本願の実施形態における技術的解決策について説明する。
【００４９】
図１は、本願の一実施形態による通信システム１００を示している。通信システム１００は、ネットワーク装置１０１及び端末装置１０２を含み得る。
【００５０】
ネットワーク装置１０１は、無線アクセス関連サービスを端末装置１０２に提供して、無線物理層機能、リソーススケジューリング及び無線リソース管理機能、サービス品質（quality of service, QoS）管理機能、無線アクセス制御機能、及びモビリティ管理機能のうちの１つ又は複数を実施することができる。端末装置１０２は、エアインターフェイスを使用することによりネットワーク装置１０１にアクセスすることができる。本願のこの実施形態では、ネットワーク装置１０１は、ビームを介して端末装置１０２と通信することができる。
【００５１】
本願は、ビーム品質測定方法を提供する。具体的には、ネットワーク装置１０１は、第１のビームを介して第１の参照信号を端末装置１０２に送信することができ、端末装置１０２は、第１のビームで受信した第１の参照信号に基づいて、第１のビームのビーム品質測定レポートを生成し、第１のビームのビーム品質測定レポートをネットワーク装置１０１にフィードバックすることができる。
【００５２】
本願の例では、第１のビームに関するものであり、且つ端末装置１０２によってフィードバックされるビーム品質測定レポートのフォーマットは、｛第１のビームの識別子、第１の参照信号の受信電力｝であり得る。第１のビームに関するものであり、且つ端末装置１０２によってフィードバックされるビーム品質測定レポートは、第１のビームの識別子と、第１のビームで受信した第１の参照信号のパワーとの２つの部分のコンテンツを含むことがうかがえる。その結果、エアインターフェイスのオーバーヘッドは比較的高くなる。
【００５３】
例えば、第１のビームは合計６４個のビームを含み、各ビームの識別子は６ビット（ｌｏｇ２６４＝６）を占める。また、６４個のビームのうち、参照信号の受信電力が最大のビームは７ビットを占め、参照信号の受信電力を差分的に報告する必要がある残りの６３個のビームはそれぞれ４ビットを占める。具体的には、ビーム品質測定レポートをフィードバックする前述した指定フォーマットに基づき、６４個のビームが存在する場合に、１つのビームの品質測定レポートが１３ビットを占め、残りの６３個のビームの品質測定レポートがそれぞれ１０ビットを占める。端末装置が６４個のビームの品質測定レポートをフィードバックする場合に、合計１３＋１０×６３＝６４３ビットが占有される。その結果、エアインターフェイスのオーバーヘッドは比較的高くなる。
【００５４】
前述した説明に基づいて、本願は、通信方法を提供する。通信方法により、端末装置によるビーム品質測定レポートをフィードバックするオーバーヘッドを削減することができる。主な原理は以下のとおりである。端末装置は、第１のビームを介して第１の参照信号を受信すると、第１の参照信号及び第１の閾値に基づいて第１のビームの利用可能性を決定し、次に、第１のビームの利用可能性をネットワーク装置に直接フィードバックする。端末装置が第１のビームの識別子及び第１の参照信号の受信電力をネットワーク装置にフィードバックする場合のエアインターフェイスのオーバーヘッドと比較して、この方法では、エアインターフェイスのオーバーヘッドを削減することができる。
【００５５】
理解を容易にするために、本願に関連する概念の説明は、以下に示される例を使用することによって参照のために提供される：
【００５６】
（１）ビーム（Beam）：ビームは通信リソースであり、ビームは、広幅ビーム、狭幅ビーム、又は別のタイプのビームであり得る。ビームを形成するための技術は、ビームフォーミング技術又は別の技術であり得る。ビームフォーミング技術は、具体的には、デジタルビームフォーミング技術、アナログビームフォーミング技術、ハイブリッドデジタル／アナログビームフォーミング技術等であり得る。異なるビームは異なる通信リソースと見なされる場合があり、同じ情報又は異なる情報が異なるビームによって送信される場合がある。オプションで、同じ又は同様の通信機能を有する複数のビームは、１つのビームと見なすことができ、ビームは、データチャネル、制御チャネル、サウンディング（sounding）信号等を送信するために使用される１つ又は複数のアンテナポートを含むことができる。例えば、送信ビームは、アンテナを使用して信号が送信された後に、空間内の異なる方向に形成される信号強度分布であり得、受信ビームは、アンテナから受信した無線信号の空間内の異なる方向における信号強度分布であり得る。ビームを形成する１つ又は複数のアンテナポートも１つのアンテナポートセットと見なすことができ、ビームは空間フィルタ（spatial filter）と呼ばれることもあり、送信ビームは空間送信フィルタと呼ばれることもあり、受信ビームは空間受信フィルタと呼ばれることもあることが理解され得る。
【００５７】
（２）ビーム管理リソースは、ビーム管理に使用されるリソースであり、ビーム品質を計算及び測定するために使用されるリソースとして表すこともできる。ビーム品質には、レイヤ１参照信号受信電力（layer 1 reference signal received power, L1-RSRP）、レイヤ１参照信号受信品質（layer 1 reference signal received quality,
L1-RSRQ）等が含まれる。具体的には、ビーム管理リソースには、同期信号（synchronization signal, SS）、同期信号ブロック（synchronization signal block, SSB）、同期信号／物理ブロードキャストチャネルブロック（SS/PBCH block）、ブロードキャストチャネル、ブロードキャストチャネル復調参照信号、追跡参照信号、ダウンリンクチャネル測定参照信号、ダウンリンク制御チャネル復調参照信号、ダウンリンク共有チャネル復調参照信号、アップリンクサウンディング参照信号、アップリンクランダムアクセス信号等が含まれ得る。
【００５８】
（３）ビーム指標情報は、送信に使用されるビームを示すために使用され、ビームは、送信ビーム及び受信ビームのうちの少なくとも１つを含む。ビーム指標情報には、ビーム番号、ビーム管理リソース番号、アップリンク信号リソース番号、ダウンリンク信号リソース番号、ビームの絶対指数、ビームの相対指数、ビームの論理指数、ビームに対応するアンテナポートのインデックス、ビームに対応するアンテナポートグループのインデックス、ビームに対応するダウンリンク信号のインデックス、ビームに対応するダウンリンク同期信号ブロックの時間インデックス、ビームペアリンク（beam pair link, BPL）情報、ビームに対応する送信パラメータ（Tx parameter）、ビームに対応する受信パラメータ（Rx parameter）、ビームに対応する送信重み、ビームに対応する重み行列、ビームに対応する重みベクトル、ビームに対応する受信重み、ビームに対応する送信重みのインデックス、ビームに対応する重み行列のインデックス、ビームに対応する重みベクトルのインデックス、ビームに対応する受信重みのインデックス、ビームに対応する受信コードブック、ビームに対応する送信コードブック、ビームに対応する受信コードブックのインデックス、及びビームに対応する送信コードブックのインデックスのうちの少なくとも１つが含まれ得る。ダウンリンク信号には、同期信号、ブロードキャストチャネル、ブロードキャスト信号復調信号、チャネル状態情報ダウンリンク信号（channel state information reference signal,
CSI-RS）、セル固有の参照信号（cell-specific
reference signal, CS-RS）、ＵＥ固有の参照信号（user equipment specific reference signal, US-RS）、ダウンリンク制御チャネル復調参照信号、ダウンリンクデータチャネル復調参照信号、及びダウンリンク位相ノイズ追跡信号のいずれか１つが含まれる。アップリンク信号には、アップリンクランダムアクセスシーケンス、アップリンクサウンディング参照信号、アップリンク制御チャネル復調参照信号、アップリンクデータチャネル復調参照信号、及びアップリンク位相ノイズ追跡信号のいずれか１つが含まれる。オプションで、ネットワーク装置は、ＱＣＬ関係を有し、且つ周波数リソースグループに関連付けられたビーム内にあるＱＣＬ識別子をビームにさらに割り当てることができる。ビームは、空間透過フィルタと呼ばれることもあり、送信ビームは、空間送信フィルタと呼ばれることもあり、受信ビームは、空間受信フィルタと呼ばれることもある。ビーム指標情報は、送信構成インデックス（transmission configuration index, TCI）としてさらに表すことができる。ＴＣＩは、セル番号、帯域幅部品番号、参照信号識別子、同期信号ブロック識別子、及びＱＣＬタイプ等の複数のパラメータを含み得る。
【００５９】
（４）ネットワーク装置は、ネットワーク内にあり、且つ端末装置をワイヤレスネットワークに接続する装置であり得る。ネットワーク装置は、無線アクセスネットワーク内のノードであり、基地局と呼ばれることもあり、又は無線アクセスネットワーク（radio access network, RAN）ノード（又は装置）と呼ばれることもある。現在、例えば、ネットワーク装置は、ｇＮＢ、送受信ポイント（transmission reception point, TRP）、進化型ノードＢ（evolved Node B, eNB）、無線ネットワークコントローラ（radio network controller, RNC）、ノードＢ（NodeB, NB）、基地局コントローラ（base station controller, BSC）、ベーストランシーバ基地局（base transceiver station, BTS）、ホーム基地局（例えば、ホーム進化型ノードＢ又はホームノードＢ、ＨＮＢ）、ベースバンドユニット（base band unit, BBU）、又はワイヤレスフィデリティ（wireless fidelity, Wifi）アクセスポイント（access point, AP）である。さらに、ネットワーク構造において、ネットワーク装置は、集中型ユニット（centralized unit, CU）ノード及び分散型ユニット（distributed unit, DU）ノードを含み得る。この構造では、ロングタームエボリューション（long term evolution, LTE）システムのｅＮＢのプロトコル層が分割され、プロトコル層の一部の機能がＣＵによって集中管理され、プロトコル層の残りの機能又は全ての機能はＤＵに分散され、ＤＵはＣＵによって集中管理される。
【００６０】
（５）ユーザ機器（user
equipment, UE）、移動局（mobile station,
MS）、移動端末（mobile
terminal, MT）等とも呼ばれる端末装置は、音声及び／又はデータ接続をユーザに提供する装置、例えば、ワイヤレス接続機能を有するハンドヘルド装置又は車載装置である。現在、例えば、端末装置は、携帯電話（mobile phone）、タブレットコンピュータ、ノートブックコンピュータ、パームトップ、モバイルインターネット装置（mobile internet device, MID）、ウェアラブル装置、仮想現実（virtual reality, VR）装置、拡張現実（augmented reality, AR）装置、産業用制御（industrial control）のワイヤレス端末、自動運転（self driving）のワイヤレス端末、遠隔手術（remote surgery）のワイヤレス端末、スマートグリッド（smart grid）のワイヤレス端末、輸送安全（transportation safety）のワイヤレス端末、スマートシティ（smart city）のワイヤレス端末、スマートホーム（smart home）のワイヤレス端末等である。
【００６１】
６）通信システムは、符号分割多元接続（code division multiple access, CDMA）、時分割多元接続（time division multiple access, TDMA）、周波数分割多元接続（frequency division multiple access, FDMA）、直交周波数分割多元接続（orthogonal frequency-division multiple access, OFDMA）、シングル搬送周波数分割多元接続（single carrier FDMA, SC-FDMA）、又は別のシステム等の様々な無線アクセス技術（radio access technology, RAT）のシステムであり得る。「システム」及び「ネットワーク」という用語は、互いに交換可能にすることができる。ＣＤＭＡシステムは、ユニバーサル地上無線アクセス（universal terrestrial radio access, UTRA）及びＣＤＭＡ２０００等の無線技術を実施することができる。ＵＴＲＡは、広帯域ＣＤＭＡ（wideband CDMA, WCDMA）技術及びＣＤＭＡの他の変形技術を含み得る。ＣＤＭＡ２０００は、暫定規格（interim standard, IS）２０００（ＩＳ−２０００）、ＩＳ−９５、及びＩＳ−８５６をカバーし得る。ＴＤＭＡシステムは、移動体通信のためのグローバルシステム（global system for mobile communications,
GSM）等の無線技術を実施することができる。ＯＦＤＭＡシステムは、進化型ユニバーサル無線地上アクセス（evolved UTRA, E-UTRA）、ウルトラモバイルブロードバンド（ultra mobile broadband, UMB）、ＩＥＥＥ８０２．１１（Wi-Fi）、ＩＥＥＥ８０２．１６（WiMAX）、ＩＥＥＥ８０２．２０、及びフラッシュＯＦＤＭＡ等の無線技術を実施することができる。ＵＴＲＡはＵＭＴＳ（universal mobile telecommunications system）に対応し、E-ＵＴＲＡはＵＭＴＳの進化版に対応する。３ＧＰＰロングタームエボリューション（long term evolution, LTE）及びＬＴＥに基づいて進化した様々なバージョンは、Ｅ−ＵＴＲＡ  ＵＭＴＳを使用した改訂版である。さらに、通信システムは、将来志向の通信技術にさらに適用できる可能性がある。本願の実施形態で説明するシステムアーキテクチャ及びサービスシナリオは、本願の実施形態の技術的解決策をより明確に説明することを意図し、本願の実施形態で提供される技術的解決策に対する制限を構成しない。当業者は、ネットワークアーキテクチャの進化及び新しいサービスシナリオの出現により、本願の実施形態で提供される技術的解決策が、同様の技術的問題にも適用可能であることを知っている場合がある。
【００６２】
さらに、本願の説明において、「第１の」及び「第２の」等の用語は、単に区別及び説明のために使用され、相対的な重要性の指示又は含意、或いは順序の指示又は含意として理解することはできないことを理解されたい。
【００６３】
図２に示されるように、本願は、通信方法の手順を提供する。通信方法は、主に、ダウンリンク参照信号のダウンリンクビーム管理に使用される。図２に示される手順では、第１の参照信号は、具体的にはダウンリンク参照信号であり得、第１のビームは、具体的にはダウンリンクビームであり得る。ステップＳ２０１及びステップＳ２０５は、図１に示される通信システム１００内のネットワーク装置１０１によって実行され得るか、又はステップＳ２０１及びステップＳ２０５を実施する際にネットワーク装置をサポートするチップ又はチップシステム等の機器によって実行され得る。本願のこの実施形態では、ステップＳ２０１及びステップＳ２０５がネットワーク装置によって実行される例が説明のために使用される。ステップＳ２０２からステップＳ２０４は、図１に示される通信システム１００内の端末装置１０２によって実行され得るか、又はステップＳ２０２からステップＳ２０４を実施する際に端末装置をサポートするチップ又はチップシステム等の機器によって実行され得る。本願のこの実施形態では、ステップＳ２０２からステップＳ２０４が端末装置によって実行される例が説明のために使用される。
【００６４】
ステップＳ２０１：ネットワーク装置は、第１のビームを介して第１の参照信号を送信する。
【００６５】
本願のこの実施形態では、第１の参照信号は、チャネル状態情報参照信号（channel state information reference signal, CSI-RS）、同期信号、ブロードキャストチャネル、ブロードキャスト信号復調信号、セル固有の参照信号（cell specific reference signal, CS-RS）、ＵＥ固有の参照信号（user equipment specific reference signal, US-RS）、追跡参照信号（tracking reference signal, TRS）、ダウンリンク制御チャネル復調参照信号、ダウンリンクデータチャネル復調参照信号、及びダウンリンク位相ノイズ追跡信号のうちの任意の１つ又は複数であり得る。
【００６６】
ステップＳ２０２：端末装置は、第１のビームを介して第１の参照信号を受信する。
【００６７】
ステップＳ２０３：端末装置は、第１の閾値及び第１の参照信号に基づいて、第１のビームの利用可能性を決定する。
【００６８】
本願のこの実施形態では、第１の閾値は、端末装置及びネットワーク装置によって事前に合意され得、端末装置において設定され得る。あるいはまた、第１の閾値は、端末装置によって決定され、次にネットワーク装置に通知され得る。あるいはまた、第１の閾値はネットワーク装置によって決定され、次に端末装置に通知される。本願のこの実施形態では、端末装置は、端末装置の能力報告情報に第１の閾値を含めるか、アップリンク制御情報（uplink control information, UCI）に第１の閾値を含めるか、又はメディアアクセス制御制御要素（media access control control element, MAC CE）に第１の閾値を含めることができる。次に、端末装置は、アップリンク制御チャネル又はアップリンクデータチャネルを介して第１の閾値を送信する。
【００６９】
本願のこの実施形態では、第１の閾値及び第１の参照信号に基づいて第１のビームの利用可能性を決定する方法は、以下の例示的な方法を含み得るが、これらに限定されない：
【００７０】
例１：端末装置は、第１の参照信号に関連する品質パラメータを決定する。品質パラメータが第１の閾値以上である場合に、端末装置は、第１のビームが利用可能であると判定する。あるいはまた、品質パラメータが第１の閾値よりも小さい場合に、端末装置は、第１のビームが利用不可であると判定する。
【００７１】
例２：端末装置は、第１の参照信号に関連する品質パラメータを決定する。品質パラメータが第１の閾値より大きい場合に、端末装置は、第１のビームが利用可能であると判定する。あるいはまた、品質パラメータが第１の閾値以下である場合に、端末装置は、第１のビームが利用不可であると判定する。
【００７２】
本願の例１及び例２において、第１の参照信号に関連する品質パラメータには、参照信号受信電力（reference signal received power, RSRP）、参照信号受信品質（reference signal received quality, RSRQ）、参照信号受信信号強度インジケータ（received signal strength indicator , RSSI）、信号対干渉プラス雑音比（signal to interference plus noise ratio, SINR）、チャネル品質インジケータ（channel quality indicator, CQI）、ランクインジケータ（rank indicator, RI）、プリコーディングマトリックスインジケータ（precoding matrix indicator, PMI）、及びブロックエラー率（block error rate, BLER）のうちの１つ又は複数が含まれ得る。本願のこの実施形態では、前述した品質パラメータの１つ又は複数を使用することによってビーム利用可能性を計算することは、ネットワーク装置構成を使用することによって、又はプロトコル事前規定された方法で、端末装置及びネットワーク装置に構成され得る。
【００７３】
本願のこの実施形態では、参照信号受信電力、参照信号受信品質、参照信号受信強度インジケータ、信号対干渉プラス雑音比、チャネル品質インジケータ、ランクインジケータ、及びプリコーディングマトリックスインジケータ等のパラメータに関して、値が大きいほど、ビームの利用可能性及びチャネル品質が向上していることを示すことに留意されたい。ブロックエラー率に関して、値が大きいほど、ビームの利用可能性及びチャネル品質が低いことを示す。
【００７４】
オプションで、第１の閾値を、第１の参照信号に関連し、且つ測定によって得られる品質パラメータと比較する場合に、端末装置は、第１の参照信号の送信電力に基づいて、第１の閾値又は測定によって得られる品質パラメータをスケーリングすることができる。例えば、第１の閾値は、送信電力がＸｄＢｍであり、第１の参照信号の送信電力がＸ＋ｙｄＢｍであるという参照に基づいて設定される。第１の閾値を第１の参照信号に関連する品質パラメータと比較する場合に、端末装置は、測定によって得られた品質パラメータをｙに関連する値だけ減少させ、次に品質パラメータを第１の閾値と比較することができるか、又は第１の閾値をｙに関連する値だけ増やし、次に測定によって得られた品質パラメータを第１の閾値と比較することができる。
【００７５】
オプションで、第１の閾値は、ビーム障害判定閾値、候補ビーム閾値、リンク障害（非同期（out-of-sync））閾値、リンク同期（同期（in-sync））閾値、及び閾値を決定するセル再選択イベントの閾値のうちの少なくとも１つに関連し得る。
【００７６】
オプションで、異なるビーム管理リソースについて、第１の閾値は異なる場合がある。例えば、ビーム管理リソースがＣＳＩ−ＲＳである場合に、第１の閾値はａである。ビーム管理リソースがＳＳＢである場合に、第１の閾値はｂである。
【００７７】
本願の例１及び例２において、第１の参照信号に関連する品質パラメータが、参照信号受信電力、参照信号受信品質、又は参照信号受信強度インジケータである場合に、端末装置は、第１の参照信号を受信及び測定して、第１の参照信号の参照信号受信電力、第１の参照信号の参照信号受信品質、又は第１の参照信号の参照信号受信強度インジケータを取得することができる。本願の本実施形態では、端末装置が第１の参照信号を測定して第１の参照信号の参照信号受信電力を取得する場合に、第１の閾値は、参照信号受信電力を測定単位として使用することによって設定される。同様に、端末装置が第１の参照信号を測定して第１の参照信号の参照信号受信品質を取得する場合に、第１の閾値は、参照信号受信品質を測定単位として使用することによって設定される。端末装置が第１の参照信号を測定して第１の参照信号の参照信号受信強度インジケータを取得する場合に、第１の閾値は、参照信号受信強度インジケータを測定単位として使用することによって設定される。
【００７８】
オプションで、本願のこの実施形態では、第１の参照信号に関連する品質パラメータが参照信号受信電力又は参照信号受信品質である場合に、端末装置は、第１の参照信号を受信及び測定して、第１の参照信号の参照信号受信電力又は参照信号受信品質を取得することができ、次に、第１の参照信号の参照信号受信電力又は参照信号受信品質を測定することができる。具体的には、第１の参照信号を測定して第１の参照信号の参照信号受信電力を取得する場合に、端末装置は、第１の参照信号の参照信号受信電力を測定して、第１の参照信号の参照信号受信電力インジケータを取得することができる。これに対応して、第１の閾値は、参照信号受信電力インジケータを測定単位として使用することによって設定される。第１の参照信号を測定して第１の参照信号の参照信号受信品質を取得する場合に、端末装置は、第１の参照信号の参照信号受信品質を測定して、第１の参照信号の参照信号受信品質インジケータを取得することができる。これに対応して、第１の閾値は、参照信号受信品質インジケータを測定単位として使用することによって設定される。
【００７９】
本願のこの実施形態では、第１の参照信号に関連する品質パラメータが信号対干渉プラス雑音比である場合に、端末装置は、第１の参照信号を受信及び測定して、第１の参照信号の強度及び干渉信号の強度を取得することができる。次に、端末装置は、第１の参照信号の強度及び干渉信号の強度に基づいて、信号対干渉プラス雑音比を取得する。これに対応して、第１の閾値は、信号対干渉プラス雑音比を測定単位として使用することによって設定される。
【００８０】
本願のこの実施形態では、第１の参照信号に関連する品質パラメータが、チャネル品質インジケータ（channel quality indicator, CQI）、ランクインジケータ（rank indicator, RI）、プリコーディングマトリックスインジケータ（precoding matrix indicator, PMI）、又はブロックエラー率（block error rate, BLER）である場合に、端末装置は、第１の参照信号を測定して、チャネル品質インジケータ、ランクインジケータ、プリコーディングマトリックスインジケータ、又はブロックエラー率を取得することができる。例えば、端末装置が第１の参照信号を測定してチャネル品質インジケータを取得する場合に、第１の閾値は、チャネル品質インジケータを測定単位として使用することによって設定される。同様に、端末装置が第１の参照信号を測定してランクインジケータを取得する場合に、第１の閾値は、ランクインジケータを測定単位として使用することによって設定される。端末装置が第１の参照信号を測定してプリコーディングマトリックスインジケータを取得する場合に、第１の閾値は、プリコーディングマトリックスインジケータを測定単位として使用することによって設定される。端末装置が第１の参照信号を測定してブロックエラー率を取得する場合に、第１の閾値は、ブロックエラー率を測定単位として使用することによって設定される。
【００８１】
ステップＳ２０４：端末装置は、第１のフィードバック情報を送信し、第１のフィードバック情報には、第１の指標情報が含まれ得、第１の指標情報は、第１のビームの利用可能性を示すために使用される。
【００８２】
本願のこの実施形態では、端末装置は、第１のビームと一致する第２のビームを使用することによって、第１のフィードバック情報を送信することができる。第１のビームと第２のビームとの間のマッチング関係は、端末装置のために事前に構成されており、第２のビームは、第１のビームと同じ又は異なる。確かに、本願のこの実施形態では、第１のビームと第２のビームとの間の対応は限定されない。例えば、第２のビームは、代替的に、第１のビームとは無関係であり得る。あるいはまた、端末装置は、端末装置の能力報告情報に第１のフィードバック情報を含めるか、アップリンク制御情報（uplink control information, UCI）に第１のフィードバック情報を含めるか、又はメディアアクセス制御制御要素（medium access control control element, MAC CE）に第１のフィードバック情報を含めることができる。次に、端末装置は、アップリンク制御チャネル又はアップリンクデータチャネルを介して第１のフィードバック情報を送信する。本願のこの実施形態では、第１のフィードバック情報を送信する方法は限定されない。
【００８３】
本願のこの実施形態では、第１の指標情報が第１の値である場合に、それは、第１のビームが利用可能であることを示し得る。第１の指標情報が第２の値である場合に、それは第１のビームが利用不可であることを示し得る。第１の値は第２の値とは異なる。第１の値及び第２の値はそれぞれ、１つのバイナリビットによって表され得るか、又は複数のバイナリビットによって表され得る。例えば、バイナリビット０は、第１のビームが利用不可であることを表すために使用され得、バイナリビット１は、第１のビームが利用可能であることを表すために使用され得る。あるいはまた、バイナリビット１は、第１のビームが利用不可であることを示すために使用され得、バイナリビット０は、第１のビームが利用可能であることを示すために使用され得る。
【００８４】
本願の例では、第１のフィードバック情報のシグナリングフォーマットは、メディアアクセス制御プロトコルデータユニット（media access control protocol data unit, MAC PDU）であり得、ＭＡＣ  ＰＤＵは、制御要素（control element, CE））を含み得、ＣＥによって、第１の指標情報を搬送することができる。
【００８５】
例えば、本願の例では、ＭＡＣ  ＰＤＵは、１つ又は複数のメディアアクセス制御サブプロトコルデータユニット（MAC sub PDU）を含み得、各ＭＡＣサブＰＤＵ（MAC sub PDU）は、パケットヘッダー（subheader）及びＭＡＣ  ＣＥを含み、ここで、ＭＡＣ  ＣＥは、固定サイズ（fixed-sized）又は可変サイズ（variable-sized）であり得る。例えば、図３に示されるように、ＭＡＣ  ＰＤＵの例では、ＭＡＣ  ＰＤＵは、Ｎ個のＭＡＣサブＰＤＵ：ＭＡＣサブＰＤＵ１、ＭＡＣサブＰＤＵ２、・・・、及びＭＡＣサブＰＤＵｎを含み得る。ＭＡＣサブＰＤＵ１は、パケットヘッダー及びＭＡＣ  ＣＥ１を含み得、ここで、ＭＡＣ  ＣＥ１は、固定サイズであり得る。ＭＡＣサブＰＤＵ２は、パケットヘッダー及びＭＡＣ  ＣＥ２を含み得、ここで、ＭＡＣ  ＣＥ２は、可変サイズであり得る。ＭＡＣサブＰＤＵｎは、パケットヘッダー及びＭＡＣ  ＣＥｎを含み得、ここで、ＭＡＣ  ＣＥｎは可変サイズである。
【００８６】
本願の別の例では、第１のフィードバック情報のシグナリングフォーマットは、アップリンク制御情報（uplink control information, UCI）であり得、ＵＣＩによって、第１の指標情報が搬送され得る。例えば、本願のこの実施形態では、合計６４個のビームの利用可能性がフィードバックされ、各ビームの利用可能性は、１つのバイナリビットによって表される。この場合に、（各ビットが１つのビームの利用可能性を表す）６４ビットの固定サイズのＵＣＩが設定され得る。
【００８７】
ステップＳ２０５：ネットワーク装置は、第１のフィードバック情報を受信する。
【００８８】
前述した説明から、本願のこの実施形態では、第１のビームに関するものであり、且つ端末装置によってフィードバックされるビーム品質測定レポートには、第１の指標情報のみが含まれ、第１の指標情報は、第１のビームの利用可能性を示すために使用されることがうかがえる。第１のビームのビーム品質測定レポートが第１のビームの識別子及び第１の参照信号の受信電力を含む前述した解決策におけるエアインターフェイスのオーバーヘッド及びエアインターフェイスの利用率と比較して、この実施形態では、エアインターフェイスのオーバーヘッドを削減することができ、エアインターフェイスの利用率を向上させることができる。
【００８９】
オプションで、本願のこの実施形態では、図２に示される手順に関して、ステップＳ２０５の後に、この方法は、以下のステップをさらに含み得る。
【００９０】
ステップＳ２０６：ネットワーク装置は、第２の構成情報を送信し、ここで、第２の構成情報は、利用可能なビームセット又はビーム管理リソースセットを示すために使用される。
【００９１】
ステップＳ２０７：端末装置は、第２の構成情報を受信する。
【００９２】
本願のこの実施形態では、ネットワーク装置は、受信した第１のフィードバック情報を使用することによって、端末装置の利用可能なビームセット又はビーム管理リソースセットを生成し、次に第２の構成情報に基づいて、端末装置の利用可能なビームセット又はビーム管理リソースセットを端末装置に対して構成することができる。本願のこの実施形態では、利用可能なビームセット又はビーム管理リソースセットは、１つ又は複数の利用可能なビームを含み得る。例えば、本願の例では、端末装置が測定によって１つのビームの利用可能性を取得する度に、端末装置は、ビームの利用可能性をネットワーク装置にフィードバックすることができる。ネットワーク装置は、ビームの利用可能性を端末装置に対して構成することができる。それに対応して、利用可能なビームセットには、１つの利用可能なビームが含まれる。別の例として、本願の例では、測定によって複数のビームの利用可能性を取得した後に、端末装置は、複数のビームの利用可能性をネットワーク装置にフィードバックすることができる。ネットワーク装置は、複数のビームの利用可能性を端末装置に対して構成することができる。それに対応して、利用可能なビームセットは、複数の利用可能なビームを含み得る。
【００９３】
例えば、ネットワーク装置は４つの第１のフィードバック情報を受信し、４つの第１のフィードバック情報は、第１のビームが利用可能であり、第２のビームが利用不可能であり、第３のビームが利用可能であり、第４のビームが利用不可であることをそれぞれ示すために使用される。この場合に、端末装置の利用可能なビームセットは、｛第１のビーム、第３のビーム｝を含み得る。同様に、端末装置のビーム管理リソースセットはまた、｛第１のビーム、第３のビーム｝を含み得る。
【００９４】
本願のこの実施形態では、ネットワーク装置が利用可能なビームセットを端末装置に対して構成した後に、端末装置のサービングビームが障害にあった場合に、端末装置は、利用可能なビームセット内のビームを使用することによってビーム障害回復を実行することができる。例えば、前述した例が引き続き使用される。端末装置の利用可能なビームセットには、｛第１のビーム、第３のビーム｝が含まれる。端末装置の現在のサービングビームが障害にあった場合に、端末装置は、利用可能なビームセットから第１のビーム又は第３のビームを選択して、ビーム障害回復を実行することができる。端末装置が参照なしでビームを選択してビーム障害回復を実行する場合の障害回復成功率と比較して、この場合に、障害回復成功率を向上させることができる。
【００９５】
本願のこの実施形態では、ネットワーク装置がビーム管理リソースセットを端末装置に対して構成した後に、端末装置は、ビーム管理リソースセットからビームを選択して、ビームを聞いて測定することができる。端末装置が全てのビーム（利用不可ビームを含み得る）を聞いて測定する場合の消費電力及び実装の複雑さと比較して、この場合に、端末装置側の消費電力及び実装の複雑さを減らすことができる。
【００９６】
本願のこの実施形態では、ネットワーク装置は、第２の構成情報に基づいて、利用可能なビームセット又はビーム管理リソースセットを端末装置に対して構成することができる。ネットワーク装置が参照なしで利用可能なビームセット又はビーム管理リソースセットを端末装置に対して構成する場合のアップリンクリソース利用率及び端末装置の信号検出負担と比較して、この場合に、アップリンクリソース利用率は改善され得、端末装置の信号検出負担が軽減される。
【００９７】
オプションで、本願のこの実施形態では、図２に示される手順に関して、この方法は、以下のステップをさらに含み得る。
【００９８】
ステップＳ２０８：ネットワーク装置は、第３の構成情報を別の端末装置に送信し、ここで、第３の構成情報は、端末装置の利用不可ビームセットを示すために使用される。
【００９９】
ステップＳ２０９：別の端末装置は、第３の構成情報を受信することができる。
【０１００】
例えば、前述した例が引き続き使用される。ネットワーク装置は、端末装置１によってフィードバックされた４つの第１のフィードバック情報を受信し、端末装置１の利用不可ビームセットを生成することができる。例えば、端末装置１は、４つの第１のフィードバック情報をネットワーク装置に送信する。４つの第１のフィードバック情報は、端末装置１に関して、第１のビームが利用可能であり、第２のビームが利用不可であり、第３のビームが利用可能であり、第４のビームが利用不可であることをそれぞれ示すために使用される。ネットワーク装置は、端末装置１の利用不可ビームセット｛第２のビーム、第４のビーム｝を生成することができる。この場合に、ネットワーク装置は、端末装置１の利用不可ビームセット｛第２のビーム、第４のビーム｝を端末装置２にフィードバックして、端末装置１の利用不可ビームセットを使用することにより通信を実行するように端末装置２に指示し、それによって端末装置１に干渉が生じないようにすることができる。
【０１０１】
ステップＳ２０１からステップＳ２０２のシーケンスは、本願の図２に示される手順に限定されないことに留意されたい。例えば、ネットワーク装置は、最初にステップＳ２０６を実行し、次にステップＳ２０８を実行することができ、又はネットワーク装置は、最初にステップＳ２０８を実行し、次にステップＳ２０６を実行することができる。これは、本願では限定されない。
【０１０２】
図４に示されるように、本願は、通信方法の手順を提供する。通信方法は、主に、ダウンリンク参照信号のダウンリンクビーム管理に使用される。図４に示される手順では、第１の参照信号は、具体的にはダウンリンク参照信号であり得、第１のビームは、具体的にはダウンリンクビームであり得る。ステップＳ４０１及びステップＳ４０５は、図１に示される通信システム１００内のネットワーク装置１０１によって実行され得るか、又はステップＳ４０１及びステップＳ４０５を実施する際にネットワーク装置をサポートするチップ又はチップシステム等の機器によって実行され得る。本願のこの実施形態では、ステップＳ４０１及びステップＳ４０５がネットワーク装置によって実行される例が説明のために使用される。ステップＳ４０２からステップＳ４０４は、図１に示される通信システム１００内の端末装置１０２によって実行され得るか、又はステップＳ４０２からステップＳ４０４を実施する際に端末装置をサポートするチップ又はチップシステム等の機器によって実行され得る。本願のこの実施形態では、ステップＳ４０２からステップＳ４０４が端末装置によって実行される例が説明のために使用される。
【０１０３】
ステップＳ４０１：ネットワーク装置は、第１のビームを介して第１の参照信号を送信する。
【０１０４】
ステップＳ４０２：端末装置は、第１のビームを介して第１の参照信号を受信する。
【０１０５】
ステップＳ４０３：端末装置は、第１の閾値及び第１の参照信号に基づいて、第１のビームの利用可能性を決定する。
【０１０６】
ステップＳ４０４：端末装置は、第１の指標情報を送信し、ここで、第１の指標情報は、第１のビームの利用可能性を示すために使用される。
【０１０７】
ステップＳ４０５：ネットワーク装置は、第１の指標情報を受信する。
【０１０８】
図４に示される実施形態の特定の実施態様については、図２に示される実施形態の説明を参照されたい。詳細はここでは再び説明しない。
【０１０９】
同様に、オプションで、ステップＳ４０５の後に、この方法は、以下のステップをさらに含み得る。
【０１１０】
ステップＳ４０６：ネットワーク装置は、第２の構成情報を送信し、ここで、第２の構成情報は、利用可能なビームセットを示すために使用される。
【０１１１】
ステップＳ４０７：端末装置は、第２の構成情報を受信する。
【０１１２】
同様に、オプションで、本願のこの実施形態では、図４に示される手順は、以下のステップをさらに含み得る。
【０１１３】
ステップＳ４０８：ネットワーク装置は、第３の構成情報を送信し、ここで、第３の構成情報は、端末装置の利用不可ビームセットを示すために使用される。
【０１１４】
ステップＳ４０９：別の端末装置が、第３の構成情報を受信する。
【０１１５】
図４の特定の実施プロセスについては、図４の説明を参照されたい。詳細はここでは再び説明しない。同様に、本願のこの実施形態では、ステップＳ４０１からステップＳ４０９の実行シーケンスは限定されないことに留意されたい。例えば、ネットワーク装置は、最初にステップＳ４０６を実行し、次にステップＳ４０８を実行することができ、又はネットワーク装置は、最初にステップＳ４０８を実行し、次にステップＳ４０６を実行することができる。これは、本願では限定されない。
【０１１６】
前述した説明から、本願の実施形態では、図２及び図４の第１の閾値は、端末装置によって決定され得るか、又はネットワーク装置によって決定されてから端末装置に通知され得るか、又はプロトコルで事前規定されてからネットワーク装置及び端末装置に設定され得ることがうかがえる。
【０１１７】
本願の実施形態では、第１の閾値がネットワーク装置によって決定されてから端末装置に通知される場合に、図２及び図４に示される手順は、ネットワーク装置が、第１の構成情報を端末装置に送信するステップと、それに対応して、端末装置が、ネットワーク装置によって送信された第１の構成情報を受信するステップとをさらに含み得、ここで、第１の構成情報には、第１の閾値が含まれ得る。本願の実施形態では、前述したステップの特定の位置は限定されない。例えば、前述したステップは、ステップＳ２０１又はステップＳ４０１の前に実行してもよい。
【０１１８】
本願の実施形態では、第１の閾値が端末装置によって決定される場合に、端末装置は、ネットワーク装置に第１の閾値を通知する。本願の実施形態では、図２に示される手順について、ステップＳ２０４における第１のフィードバック情報には、第２の指標情報がさらに含まれ得、ここで第２の指標情報は、第１の閾値を示すために使用される。図４に示される手順について、図４に示される手順は、端末装置が、第２の指標情報をネットワーク装置に送信するステップと、それに対応して、ネットワーク装置が、第２の指標情報を受信するステップとをさらに含み得、ここで、第２の指標情報は、第１の閾値を示すために使用される。
【０１１９】
本願の実施形態では、第１の閾値の量は制限されない。１つ又は複数の第１の閾値が存在する場合がある。例えば、第１の閾値が１つである場合がある。それに対応して、図２又は図４には１つの第１の指標情報があり、第１の指標情報は、前述した第１の閾値の決定基準に従って第１のビームの利用可能性を示すために使用される。あるいはまた、第１の閾値が複数ある場合がある。それに対応して、図２又は図４には複数の第１の指標情報が存在し、それぞれの第１の指標情報は、対応する第１の閾値の決定基準に従って、第１のビームの利用可能性を示すために使用される。同様に、複数の第１の指標情報を受信した後に、ネットワーク装置は、対応する動作を実行することができる。例えば、複数の第１の指標情報が全て第１のビームが利用可能であることを示すときに、ネットワーク装置は動作Ａを実行する。複数の第１の指標情報のいくつかが第１のビームが利用可能であることを示すときに、ネットワーク装置は動作Ｂを実行する。複数の第１の指標情報が全て第１のビームが利用不可であることを示すときに、ネットワーク装置は動作Ｃを実行する。あるいはまた、第１の指標情報はＮ個の指標情報を含み得、シーケンス番号は１からＮである。この場合に、シーケンス番号が１である指標情報が第１のビームが利用可能であることを示すときに、ネットワーク装置は第１の動作を実行することができる。ネットワーク装置は、シーケンス番号が２である指標情報が第１のビームの利用可能性を示すときに、第２の動作を実行することができる。類推により、ネットワーク装置は、シーケンス番号がＮである指標情報が第１のビームの利用可能性を示すときに、第Ｎの動作を実行することができる。
【０１２０】
本願の実施形態では、２つの第１の閾値が存在する例が説明のために使用される。例えば、２つの第１の閾値、第１の閾値Ａ及び第１の閾値Ｂがある。第１のビームは第１の閾値Ａの決定基準に従って利用可能であり、第１のビームは第１の閾値Ｂの決定基準に従って利用不可である。それに対応して、端末装置は、第１の指標情報Ａ及び第１の指標情報Ｂを生成することができる。第１の指標情報Ａは、第１の閾値Ａの決定基準に従って第１のビームが利用可能であることを示すために使用され、第１の指標情報Ｂは、第１の閾値Ｂの決定基準に従って第１のビームが利用不可であることを示すために使用される。第１の指標情報Ａ及び第１の指標情報Ｂを受信した後に、ネットワーク装置は、対応する動作、例えば、前述した動作Ｂを実行することができる。
【０１２１】
図５に示されるように、本願は、通信方法の手順をさらに提供する。図５に示される手順において、図２又は図４に示される手順は、第１の参照信号がＣＳＩリソースセットである例を使用することにより詳細に説明される。この手順には、具体的に次の手順が含まれ得る。
【０１２２】
ステップＳ５０１：ネットワーク装置は、第１の構成情報を送信する。
【０１２３】
本願のこの実施形態では、ネットワーク装置は、１つ又は複数のタイプのシグナリングを介して、第１の構成情報の全て又は一部を送信することができる。例えば、ネットワーク装置は、ブロードキャストチャネル、システムメッセージ、システムメッセージ更新、ページングメッセージ、ダウンリンク制御チャネル、ダウンリンクデータチャネル、又はダウンリンク共有チャネル等のダウンリンクリソース又はチャネルを使用することによって、及び無線リソース制御（radio resource control, RRC）シグナリング、ＭＡＣ  ＣＥ、ＤＣＩ等を介して、第１の構成情報を端末装置に送信することができる。
【０１２４】
本願のこの実施形態では、第１の構成情報には、参照信号の構成情報、ビーム利用可能性閾値の構成情報、及びビーム利用可能性をフィードバックするための構成情報のコンテンツが含まれ得る。以下に、参照信号の構成情報、ビーム利用可能性閾値の構成情報、及びビーム利用可能性をフィードバックするための構成情報について詳細に説明する。
【０１２５】
参照信号の構成情報：
【０１２６】
例えば、参照信号がＣＳＩ−ＲＳである場合に、参照信号の構成情報は、ＣＳＩリソースセットの構成情報を含み得、ＣＳＩリソースセットは、１つ又は複数のＣＳＩ−ＲＳを含み得る。
【０１２７】
ＣＳＩリソースセットの構成情報には、各参照信号の識別子（例えば、ＣＳＩ−ＲＳリソースＩＤ又は同期信号ブロックインデックス（SSB index）、及び各ＣＳＩ−ＲＳリソースに関する関連情報（例えば、時間周波数リソースの位置、ポート数、周期性、オフセット等）が含まれ得る。
【０１２８】
本願のこの実施形態では、参照信号構成方法のコードは以下の通りであり得る。
--
ASN1START
-- TAG-NZP-CSI-RS-RESOURCESET-START
NZP-CSI-RS-ResourceSet ::=                   SEQUENCE
｛
nzp-CSI-ResourceSetId                               NZP-CSI-RS-ResourceSetId,
nzp-CSI-RS-Resources                                SEQUENCE
(SIZE (1..maxNrofNZP-CSI-RS-ResourcesPerSet)) OF NZP-CSI-RS-ResourceId,
repetition                                                      ENUMERATED
｛ on, off ｝                                                                                         OPTIONAL,
aperiodicTriggeringOffset                           INTEGER(0..4)                                                                                                                   OPTIONAL,        --
Need S
trs-Info                                                          ENUMERATED
｛true｝                                                                                                 OPTIONAL,        --
Need R
...
｝
-- TAG-NZP-CSI-RS-RESOURCESET-STOP
-- ASN1STOP
【０１２９】
本願のこの実施形態では、１つのリソースセットＩＤを各ＣＳＩリソースセットに割り当てることができる。各ＣＳＩリソースセットには、１つ又は複数のリソースが含まれ得る。各リソースには、独自の識別子も用意される。リソースセット内のリソースの最大量は、ＣＳＩ−ＲＳリソースセット内のゼロ以外の電力のＣＳＩ−ＲＳリソースの最大量（maxNrofNZP-CSI-RS-ResourcesPerSet）である。
【０１３０】
ビーム利用可能性閾値の構成情報：
【０１３１】
本願のこの実施形態では、１つ又は複数の閾値を端末装置に対して構成することができる。閾値は、ＲＳＲＰ、ＲＳＲＱ、ＲＳＳＩ、ＳＩＮＲ、及びＣＱＩの１つ又は複数を使用することにより測定することができる。前述した１つ又は複数の閾値において、少なくとも１つの閾値は、ビーム障害回復構成閾値に関連する。
【０１３２】
ビーム利用可能性をフィードバックするための構成情報：
本願のこの実施形態では、ビーム利用可能性をフィードバックするための構成情報には、ビーム利用可能性、報告リソース構成等をフィードバックするために報告されるコンテンツ、フォーマット等が含まれ得る。第３の部分のコンテンツは、ステップＳ５０５で詳細に説明する。
【０１３３】
ステップＳ５０２：端末装置は、第１の構成情報を受信する。
【０１３４】
ステップＳ５０３：ネットワーク装置は、参照信号に関するものであり、且つ第１の構成情報にある構成情報に基づいて、参照信号を送信する。
【０１３５】
ステップＳ５０４：端末装置は、参照信号に関するものであり、且つ第１の構成情報にある構成情報に基づいて、参照信号を受信し、参照信号を測定する。
【０１３６】
本願のこの実施形態では、ビーム品質は、参照信号を測定することによって決定することができる。ビーム品質は、ＢＬＥＲ、ＲＳＲＰ、ＲＳＲＱ、ＲＳＳＩ、ＳＩＮＲ、ＣＱＩ、ＰＭＩ等の１つ又は複数のパラメータを使用することによりフィードバックすることができる。
【０１３７】
オプションで、ネットワーク装置は、参照信号測定方法を決定することもできる。例えば、ネットワーク装置が端末装置にＲＳＲＰを報告するように要求する場合に、端末装置は、端末装置のＲＳＲＰのみを測定することができる。
【０１３８】
ステップＳ５０５：端末装置は、ビーム利用可能性メッセージをフィードバックする。
【０１３９】
本願のこの実施形態では、端末装置は、１つのバイナリビットを使用することによって、各ビームの利用可能性をフィードバックすることができる。例えば、ビーム品質がビーム利用可能性閾値を満たしている場合に、ビームの利用可能性は１としてマークされ得る。ビームの品質がビーム利用可能性閾値を満たしていない場合に、ビームの利用可能性は０としてマークされ得る。
【０１４０】
例えば、ＣＳＩリソースセット全体が８つのＣＳＩ−ＲＳリソースを含み得る場合に、８つのＣＳＩ−ＲＳリソースは、ＣＳＩ−ＲＳ識別子の降順で１、４、６、９、１３、１５、２４、及び６３である。ＵＥは、リソースを測定し、識別子が１、９、１３、及び６３であるリソースのビーム品質がビーム利用可能性閾値を満たしていると判定し、ＵＥは、８ビットビットマップ（bitmap）｛１００１１００１｝をフィードバックすることができる。ＵＥによってフィードバックされた情報は、リソース識別子の昇順での第１、第４、第５、及び第８のリソースが閾値を満たすことを示している。
【０１４１】
本願のこの実施形態では、端末装置によるビーム利用可能性をフィードバックするための信号フォーマットは、ＭＡＣ  ＰＤＵであり得るか、又はＵＣＩであり得る。
【０１４２】
例えば、ＵＥによるビーム利用可能性をフィードバックするためのシグナリングフォーマットが、ＭＡＣ  ＰＤＵである場合に、図３に示されるように、ＭＡＣ  ＰＤＵは、パケットヘッダー及びＭＣＥ−ＣＥを含み得、そしてＭＡＣ  ＰＤＵ内にあり、且つ１つのパケットサブヘッダーによって示される１つのＭＡＣ  ＣＥは、ビームの利用可能性を報告する１つのＭＡＣ  ＣＥである。リソースセットが６４個のＣＳＩ−ＲＳを含むとき、換言すれば、６４個のビームの利用可能性が一度にテストされるとき、ＭＡＣ−ＣＥが図６に例として示され得る。ＭＡＣ  ＣＥには８つのオクト（Ｏｃｔ）が含まれ得、１つのＯｃｔは、１バイトであり、８ビットを含む。図６では、１つの小さなボックスは、１ビットを表し、１つのビームの利用可能性を表す。図６に示されるＭＡＣ−ＣＥは、６４ビットの固定サイズのＭＡＣ  ＣＥであり得、Ｃの値は１又は０であり得、Ｃの下付き文字は、リソースセット内で昇順でソートされたリソース識別子を表す。
【０１４３】
本願のこの実施形態では、ＵＥによるビーム利用可能性をフィードバックするためのシグナリングフォーマットは、ＵＣＩであり得、ＵＣＩは、固定サイズ又は可変サイズであり得る。例として、６４ビットの固定サイズのＵＣＩを使用する。識別子に対応するビーム品質が閾値を満たす場合に、識別子に対応するビットの値は１である。識別子に対応するビーム品質が閾値を満たさない場合に、識別子に対応するビットの値は０である。第１のビットは、リソースセット内で昇順でソートされた第１のリソース識別子を表す。第２のビットは、リソースセット内で昇順でソートされた第２のリソース識別子を表す。第３のビットから第６４のビットは類推によって推定できる。
【０１４４】
本願のこの実施形態では、オプションで、端末装置のビーム報告を以下の方法と組み合わせることができる。例えば、ビーム品質の報告方法は、｛ビーム＃１の識別子、ビーム＃１のＲＳＲＰ｝である。本願のこの実施形態における６４ビットビットマップは、別のビームとビーム＃１との間の相関を示し得る。例えば、「１」はビーム＃１との相関が高いことを示し、「０」はビーム＃１との相関が低いことを示す。別の例として、本願のこの実施形態における６４ビットビットマップは、別のビームによってビーム＃１に引き起こされる干渉度を示し得る。例えば、「１」はビーム＃１における干渉が大きいことを示し、「０」はビーム＃１における干渉が小さいことを示す。他の例では、６４ビットビットマップは、別のビーム及びビーム＃１がマルチビーム伝送チャネルの形成に適しているかどうか、別のビーム及びビーム＃１が高ロバスト伝送の組合せの形成に適しているかどうか等も示し得る。
【０１４５】
前述した方法は、端末装置が既存の報告方法で複数のビームを報告する場合にさらに当然に拡張することができる。例えば、ＵＥは、｛ビーム＃１＋ビーム＃１のＬ１−ＲＳＲＰ｝、及び｛ビーム＃２＋ビーム＃２とビーム＃１との間の差動Ｌ１−ＲＳＲＰ｝を報告する。この実施形態における６４ビットビットマップは、当然、２つの６４ビットビットマップに拡張することができる。１つの６４ビットビットマップはビーム＃１に対応し、もう１つはビーム＃２に対応する。２つのビットマップは、グループ（グループＩＤあり）又は個別（グループＩＤなし）で報告することができる。
【０１４６】
オプションで、端末装置は、Ｍビットを使用することによって各ビームの利用可能性をフィードバックすることができる。５０１で構成されたＭ個のビーム利用可能性閾値がある場合に、各ビットは１つの閾値に対応し得る。例えば、２つの閾値がある場合に、ビーム毎に２ビットがフィードバックされ得、ここで、第１のビットは、ビーム品質が第１の閾値を満たすかどうかを示し、第２のビットは、ビーム品質が第２の閾値を満たすかどうかを示す。
【０１４７】
オプションで、端末装置は、Ｍビットを使用することによって各ビームの利用可能性をフィードバックすることができる。例えば、ビーム品質はＮ個の間隔（interval）のうちの１つに属し、ＵＥは、Ｍ＝｛切り上げｌｏｇ２（Ｎ）｝ビットを使用することにより、各ビーム品質が属する間隔をフィードバックすることができる。絶対的なビーム品質に基づいて間隔を分割することができる。例えば、ＲＳＲＰの範囲は間隔１で−１００ｄＢｍ〜−５０ｄＢｍの範囲であり、間隔２で−１５０ｄＢｍ〜−１００ｄＢｍの範囲である。あるいはまた、相対的なビーム品質に基づいて間隔を分割することができる。例えば、ビームと最強のビームとの間の差は、間隔１で０ｄＢ〜１０ｄＢの範囲であり、間隔２で１０ｄＢ〜２０ｄＢの範囲である。
【０１４８】
オプションで、ビットマップの長さは、リソースセットのサイズであり得るか、又はリソースセットで許容されるリソースの最大量、例えば６４であり得る。ビットマップの長さは、Ｍ＊リソースセットのサイズであり得るか、又はＭ＊リソースセットで許容されるリソースの最大量であり得る。ビットマップ内の全てのビットに対応するリソース識別子のシーケンスは、例えば昇順又は降順で構成可能である。
【０１４９】
本願のこの実施形態では、ビットマップを使用することによってビームの利用可能性をフィードバックすることに限定されない。あるいはまた、ビームの利用可能性は、明示的なリソース識別子番号、論理リソース識別子番号等を使用することによってフィードバックされ得る。
【０１５０】
ステップＳ５０６：ネットワーク装置は、ビーム利用可能性メッセージを受信する。
【０１５１】
本願のこの実施形態では、ビーム利用可能性メッセージを受信した後に、ネットワーク装置は、リソースをより適切に使用するために、構成を更新することができる。
【０１５２】
例えば、ネットワーク装置は、端末装置の利用可能なリソース（１としてフィードバックされるリソース等）の全て又は一部を新しいビーム管理リソースセットとして構成することができる。
【０１５３】
あるいはまた、ネットワーク装置は、利用不可リソース（０としてフィードバックされるリソース等）を新しいビーム管理リソースセットに構成しない場合がある。
【０１５４】
あるいはまた、ネットワーク装置は、利用可能なリソース（１としてフィードバックされるリソース等）の全て又は一部を、利用可能なビームの新しいリソースセットとして構成することができる。
【０１５５】
あるいはまた、ネットワーク装置は、利用不可リソース（０としてフィードバックされるリソース等）を、利用可能なビームの新しいリソースセットに構成しない場合がある。
【０１５６】
あるいはまた、ネットワーク装置は、利用可能なリソース（１としてフィードバックされるリソース等）の全て又は一部を、ビーム指標（ＴＣＩ等）のセットとして構成することができる。
【０１５７】
あるいはまた、ネットワーク装置は、利用不可リソース（０としてフィードバックされるリソース等）をビーム指標（ＴＣＩ等）のセットに構成しない場合がある。
【０１５８】
あるいはまた、ネットワークは、端末装置の利用不可リソース（０としてフィードバックされるリソース等）を使用して、別の端末装置にサービスを提供し得、それによって、前述した端末装置に干渉が生じない。
【０１５９】
本願のこの実施形態では、各ビームの利用可能性は、オーバーヘッドが少ない状態でフィードバックされ得、ネットワーク装置側に関するより多くの情報が提供される。これにより、ビーム関連のリソースをネットワーク装置側で適切に構成できる。
【０１６０】
本願は、通信方法の手順をさらに提供する。図７に示されるように、通信方法は、主に、アップリンク参照信号のアップリンクビーム管理に使用される。図７に示される手順では、第１の参照信号は、具体的にはアップリンク参照信号であり得、第１のビームは、具体的にはアップリンクビームであり得る。ステップＳ７０１、ステップＳ７０５、及びステップＳ７０７は、図１に示される通信システム１００内の端末装置１０２によって実行され得るか、又はステップＳ７０１、ステップＳ７０５、及びステップＳ７０７を実施する際に端末装置をサポートするチップ又はチップシステム等の機器によって実行され得る。本願のこの実施形態では、ステップＳ７０１、ステップＳ７０５、及びステップＳ７０７が端末装置によって実行される例が説明のために使用される。ステップＳ７０２、ステップＳ７０３、ステップＳ７０４、及びステップＳ７０６は、図１に示される通信システム１００内のネットワーク装置１０１によって実行され得るか、又はステップＳ７０２、ステップＳ７０３、ステップＳ７０４、及びステップＳ７０６を実施する際にネットワーク装置１０２をサポートするチップ又はチップシステム等の機器によって実行され得る。本願のこの実施形態では、ステップＳ７０２、ステップＳ７０３、ステップＳ７０４、及びステップＳ７０６がネットワーク装置によって実行される例が説明のために使用される。
【０１６１】
ステップＳ７０１：端末装置は、第１のビームを介して第１の参照信号を送信する。
【０１６２】
本願のこの実施形態では、第１の参照信号の説明については、図２に示される実施形態の詳細な説明を参照されたい。詳細はここでは再び説明しない。
【０１６３】
ステップＳ７０２：ネットワーク装置は、第１のビームを介して第１の参照信号を受信する。
【０１６４】
ステップＳ７０３：ネットワーク装置は、第１の閾値及び第１の参照信号に基づいて、第１のビームの利用可能性を決定する。
【０１６５】
ステップＳ７０４：ネットワーク装置は、第１のフィードバック情報を送信し、ここで第１のフィードバック情報には、第１の指標情報が含まれ得、第１の指標情報は、第１のビームの利用可能性を示すために使用される。
【０１６６】
ステップＳ７０５：端末装置は、第１のフィードバック情報を受信する。
【０１６７】
オプションで、ステップＳ７０４は、代替的に、ステップＳ７０６と交換され得、ステップＳ７０５は、代替的に、ステップＳ７０７と交換され得る。
【０１６８】
ステップＳ７０６：ネットワーク装置は、第１の指標情報を送信し、ここで、第１の指標情報は、第１のビームの利用可能性を示すために使用される。
【０１６９】
ステップＳ７０７：端末装置は、第１の指標情報を受信する。
【０１７０】
本願のこの実施形態では、ネットワーク装置が、ステップＳ７０３における第１の閾値及び第１の参照信号に基づいて第１のビームの利用可能性をどの様に決定するかについては、図２のステップＳ２０３の説明を参照されたい。ネットワーク装置がステップＳ７０４で第１のフィードバック情報をどの様に送信するかについては、図２のステップＳ２０４の説明を参照されたい。ネットワーク装置がステップＳ７０６で第１の指標情報をどの様に送信するかについては、図４のステップＳ４０４を参照されたい。詳細はここでは再び説明しない。
【０１７１】
本願のこの実施形態では、ネットワーク装置が第１のビームの識別子を端末装置に直接フィードバックするので、ネットワーク装置が第１のビームの識別子及び第１のビームの参照信号受信電力を端末装置にフィードバックする場合のエアインターフェイスオーバーヘッドと比較して、この実施形態では、エアインターフェイスのオーバーヘッドを削減すことができる。
【０１７２】
前述した概念に基づいて、図８に示されるように、本願は、通信機器８００をさらに提供し、通信機器８００は、トランシーバユニット８０１及び処理ユニット８０２を含み得る。
【０１７３】
本願の一例では、通信機器８００を端末装置に適用することができ、トランシーバユニット８０１は、図２に示される手順でＳ２０２及びＳ２０４を実行するように構成することができ、処理ユニット８０２は、図２に示される手順でＳ２０３に示されるステップを実行するように構成される。例えば、具体的には、トランシーバユニット８０１は、ネットワーク装置の第１のビームから第１の参照信号を受信するように構成され得る。処理ユニット８０２は、第１の閾値及び第１の参照信号に基づいて第１のビームの利用可能性を決定するように構成され得る。トランシーバユニット８０１は、第１のフィードバック情報をネットワーク装置に送信するようにさらに構成され得、第１のフィードバック情報には、少なくとも第１の指標情報が含まれ、第１の指標情報は、第１のビームの利用可能性を示すために使用される。
【０１７４】
本願の別の例では、通信機器８００を端末装置に適用することができ、トランシーバユニット８０１は、図４に示される手順でステップＳ４０２及びステップＳ４０４を実行するように構成することができ、処理ユニット８０２は、ステップＳ４０３に示されるステップを実行するように構成される。例えば、具体的には、トランシーバユニット８０１は、ネットワーク装置の第１のビームから第１の参照信号を受信するように構成され得る。処理ユニット８０２は、第１の閾値及び第１の参照信号に基づいて第１のビームの利用可能性を決定するように構成され得る。トランシーバユニット８０１は、第１の指標情報をネットワーク装置に送信するようにさらに構成される。
【０１７５】
本願の別の例では、通信機器８００をネットワーク装置に適用することができ、トランシーバユニット８０１は、図２に示される手順でＳ２０１及びＳ２０５を実行するように構成することができ、処理ユニット８０２は、第１の参照信号を生成するステップを実行するように構成される。例えば、具体的には、処理ユニット８０２は、第１の参照信号を生成するように構成され得る。トランシーバユニット８０１は、第１のビームを介して第１の参照信号を端末装置に送信し、端末装置から第１のフィードバック情報を受信するように構成することができ、第１のフィードバック情報は、第１の参照信号及び第１の閾値に基づいて決定され、第１のフィードバック情報には、少なくとも第１の指標情報が含まれ、第１の指標情報は、第１のビームの利用可能性を示すために使用される。
【０１７６】
本願の別の例では、通信機器８００をネットワーク装置に適用することができ、トランシーバユニット８０１は、図４に示される手順でステップＳ４０１及びステップＳ４０５を実行するように構成することができ、処理ユニット８０２は、第１の参照信号を生成するステップを実行するように構成される。例えば、具体的には、処理ユニット８０２は、第１の参照信号を生成することができる。トランシーバユニット８０１は、第１のビームを介して第１の参照信号を端末装置に送信し、端末装置から第１の指標情報を受信するように構成することができ、第１の指標情報は、第１のビームの利用可能性を示すために使用される。
【０１７７】
本願のこの実施形態では、通信機器８００の特定の説明については、図２又は図４に示される手順の説明を参照されたい。詳細はここでは再び説明しない。
【０１７８】
前述した概念に基づいて、図９に示されるように、本願の実施形態は、通信機器９００をさらに提供する。通信機器９００は、前述した方法のネットワーク装置に対応することができ、又は前述した方法の端末装置に対応することができる。これはここでは限定されない。
【０１７９】
通信機器９００は、プロセッサ９１０及びメモリ９２０を含み得る。さらに、機器９００は、受信機９４０及び送信機９５０をさらに含み得る。さらに、機器９００は、バスシステム９３０を含み得る。
【０１８０】
プロセッサ９１０、メモリ９２０、受信機９４０、及び送信機９５０は、バスシステム９３０を介して互いに接続される。メモリ９２０は、命令を格納するように構成される。プロセッサ９１０は、メモリ９２０に格納された命令を実行し、受信機９４０を制御して信号を受信し、且つ送信機９５０を制御して信号を送信するように構成され、それにより、前述した方法でネットワーク装置又は端末装置のステップを完了する。
【０１８１】
受信機９４０及び送信機９５０は、同じ物理的エンティティ又は異なる物理的エンティティであり得、そして集合的にトランシーバと呼ばれ得る。メモリ９２０は、プロセッサ９１０に統合してもよく、又はプロセッサ９１０とは別に配置してもよい。
【０１８２】
一実施形態では、受信機９４０及び送信機９５０の機能は、トランシーバ回路又は専用トランシーバチップを使用することによって実施されると考えられ得る。プロセッサ９１０は、専用の処理チップ、処理回路、プロセッサ、又はユニバーサルチップを使用することにより実装されると考えられ得る。
【０１８３】
別の実施態様では、本願のこの実施形態で提供されるネットワーク装置又は端末装置は、コンピュータを使用することによって実施されると考えられ得る。具体的には、プロセッサ９１０、受信機９４０、送信機９５０の機能を実施するためのプログラムコードがメモリに格納され、汎用プロセッサが、メモリに格納されるコードを実行することによってプロセッサ９１０、受信機９４０、送信機９５０の機能を実施する。
【０１８４】
機器に含まれ、本発明のこの実施形態で提供される技術的解決策に関連する概念、説明、詳細な説明、及び他のステップについては、前述した方法又は別の実施形態の内容に関する説明を参照されたい。詳細はここでは再び説明しない。
【０１８５】
本願の一例では、通信機器９００を端末装置に適用することができる。通信機器９００は、図２又は図４に示される手順において端末装置によって実行されるステップを実行するように構成され得る。例えば、受信機９４０は、ネットワーク装置の第１のビームから第１の参照信号を受信することができる。プロセッサ９１０は、第１の閾値及び第１の参照信号に基づいて第１のビームの利用可能性を決定するように構成される。送信機９５０は、第１のフィードバック情報をネットワーク装置に送信するように構成され、第１のフィードバック情報には、第１の指標情報が含まれ、第１の指標情報は、第１のビームの利用可能性を示すために使用される。
【０１８６】
本願の別の例では、通信機器９００をネットワーク装置に適用することができる。通信機器９００は、図２又は図４に示される手順においてネットワーク装置によって実行されるステップを実行するように構成され得る。例えば、送信機９５０は、第１のビームを介して第１の参照信号を端末装置に送信することができる。受信機９４０は、端末装置から第１のフィードバック情報を受信することができ、第１のフィードバック情報は、第１の参照信号及び第１の閾値に基づいて決定され、第１のフィードバック情報には、少なくとも第１の指標情報が含まれ、第１の指標情報は、第１のビームの利用可能性を示すために使用される。
【０１８７】
前述した概念に基づいて、図１０は、本願でさらに提供される基地局等のネットワーク装置の概略構造図である。
【０１８８】
基地局は、図１に示される通信システムのシナリオに適用され得、基地局は、図２、図４、図５、又は図７に示されるネットワーク装置であり得る。基地局は、図２、図４、図５、又は図７に示される手順においてネットワーク装置によって実行されるステップを実行するように構成され得る。具体的には、基地局１０００は、遠隔無線ユニット（remote radio unit, RRU）１００１及び１つ又は複数のベースバンドユニット（baseband unit, BBU）１００２（これは、デジタルユニット（digital unit DU）とも呼ばれ得る）等の１つ又は複数の無線周波数ユニットを含み得る。ＲＲＵ１００１は、トランシーバユニット、受信機／送信機、トランシーバ回路、トランシーバ等であり得、且つ少なくとも１つのアンテナ１００１１及び無線周波数ユニット１００１２を含み得る。ＲＲＵ１００１部分は、無線周波数信号を送受信し、無線周波数信号とベースバンド信号との間の変換を実行するように構成され得、例えば、前述した実施形態における第１の参照信号、第１の指標情報、又は第１のフィードバック情報をユーザ機器に送信するように構成され得る。ＢＢＵ１００２部分は、ベースバンド処理を実行し、基地局を制御する等を行うように構成され得る。ＲＲＵ１００１及びＢＢＵ１００２は、物理的に一緒に配置され得るか、又は物理的に別々に配置され得る、すなわち、分散型基地局であり得る。
【０１８９】
ＢＢＵ１００２は、基地局の制御センターであり、処理ユニットと呼ばれることもあり、且つチャネル符号化、多重化、変調、及び拡散等のベースバンド処理機能を完了するように構成される。例えば、ＢＢＵ（処理ユニット）は、基地局を制御して、図２、図４、図５、又は図７に示される手順の方法を実行するように構成され得る。
【０１９０】
一例では、ＢＢＵ１００２は、１つ又は複数のボードを含み得、複数のボードは、単一のアクセス規格において無線アクセスネットワーク（ＮＲネットワーク等）を共同でサポートし得るか、又は無線アクセスネットワークを異なるアクセス規格で別々にサポートし得る。ＢＢＵ１００２は、メモリ１００２１及びプロセッサ１００２２をさらに含み得る。メモリ１００２１は、必要な命令及びデータを格納するように構成される。例えば、メモリ１００２１は、前述した実施形態において、「第１の参照信号を受信し、第１の参照信号及び第１の閾値に基づいて第１のビームの利用可能性を決定し、第１の指標情報を送信する」という命令を格納し、プロセッサ１００２２は、必要な動作を実行するために基地局を制御するように構成される。メモリ１００２１及びプロセッサ１００２２は、１つ又は複数のボードにサービスを提供するように構成される。具体的には、メモリ及びプロセッサを各ボード上に配置してもよく、又は複数のボードが同じメモリ及びプロセッサを共有してもよい。さらに、必要な回路を各ボード上にさらに配置することができる。
【０１９１】
前述した概念に基づいて、図１１は、端末装置の概略構造図である。端末装置は、図２、図４、又は図７に示される手順において端末装置によって実行されるステップに適用可能であり得る。説明を容易にするために、図１１は、端末装置の主要なコンポーネントのみを示している。図１１に示されるように、端末装置１１０は、プロセッサ、メモリ、及び制御回路を含み得、オプションで、アンテナ及び／又は入力／出力機器をさらに含み得る。プロセッサは、通信プロトコル及び通信データを処理し、ユーザ機器を制御し、ソフトウェアプログラムを実行し、及びソフトウェアプログラムのデータを処理するように構成され得る。メモリは、ソフトウェアプログラム及び／又はデータを格納することができる。制御回路は、ベースバンド信号と無線周波数信号との間の変換を実行し、無線周波数信号を処理するように構成され得る。アンテナと一緒の制御回路は、トランシーバと呼ばれることもあり、且つ電磁波の形式で無線周波数信号を送受信するように構成され得る。タッチスクリーン、ディスプレイ、又はキーボード等の入出力機器は、ユーザによって入力されたデータを受信し、データをユーザに出力するように構成され得る。
【０１９２】
本願のこの実施形態では、プロセッサは、メモリ内のソフトウェアプログラムを読み取り、ソフトウェアプログラムの命令を解釈及び実行し、ソフトウェアプログラムのデータを処理することができる。データをワイヤレス方式で送信する必要がある場合に、プロセッサは送信すべきデータに対してベースバンド処理を実行し、次にベースバンド信号を無線周波数回路に出力する。ベースバンド信号に対して無線周波数処理を行った後に、無線周波数回路は、電磁波の形式のアンテナを使用することにより、無線周波数信号を外部に送信する。データをユーザ機器に送信すると、無線周波数回路は、アンテナを使用することにより無線周波数信号を受信し、無線周波数信号をベースバンド信号に変換してベースバンド信号をプロセッサに出力し、プロセッサは、ベースバンド信号をデータに変換し、データを処理する。
【０１９３】
当業者は、説明を容易にするために、図１１が、１つのメモリのみ及び１つのプロセッサのみを示していることを理解し得る。実際のユーザ機器では、複数のプロセッサ及び複数のメモリがあり得る。メモリは、記憶媒体、記憶装置等と呼ばれることもある。これは、本発明のこの実施形態に限定されない。
【０１９４】
オプションの実施態様において、プロセッサは、ベースバンドプロセッサ及び中央処理装置を含み得る。ベースバンドプロセッサは、通信プロトコル及び通信データを処理するように構成され得る。中央処理装置は、ユーザ機器全体を制御し、ソフトウェアプログラムを実行し、且つソフトウェアプログラムのデータを処理するように構成され得る。図１１のプロセッサは、ベースバンドプロセッサ及び中央処理装置の機能と統合される。当業者は、ベースバンドプロセッサ及び中央処理装置が独立したプロセッサであり得、バス等の技術を介して相互接続されることを理解し得る。当業者は、ユーザ機器が、異なるネットワーク規格に適応するために複数のベースバンドプロセッサを含み得、ユーザ機器が、ユーザ機器の処理能力を強化するための複数の中央処理装置を含み得、且つユーザ機器のコンポーネントが、様々なバスを介して接続され得ることを理解し得る。ベースバンドプロセッサは、ベースバンド処理回路又はベースバンド処理チップとして表現することもできる。中央処理装置は、中央処理回路又は中央処理チップとして表現することもできる。通信プロトコル及び通信データを処理する機能は、プロセッサに組み込んでもよく、又はソフトウェアプログラムの形態でメモリに格納してもよく、そしてプロセッサは、ソフトウェアプログラムを実行してベースバンド処理機能を実施する。
【０１９５】
例えば、本願のこの実施形態では、受信機能及び送信機能を有するアンテナ及び制御回路を端末装置１１０のトランシーバユニット１１１として使用することができ、処理機能を有するプロセッサを端末装置１１０の処理ユニット１１２として見なすことができる。図１１に示されるように、端末装置１１０は、トランシーバユニット１１１及び処理ユニット１１２を含み得る。トランシーバユニットは、トランシーバ、受信機／送信機、トランシーバ機器等と呼ばれることもある。オプションで、トランシーバユニット１１１内にあり、且つ受信機能を実施するように構成されたコンポーネントは、受信ユニットと見なされ得、トランシーバユニット１１１内にあり、且つ送信機能を実施するように構成されたコンポーネントは、送信ユニットと見なされ得る。すなわち、トランシーバユニット１１１は、受信ユニット及び送信ユニットを含む。例えば、受信ユニットは、受信マシン、受信機、受信回路等と呼ばれることもあり、送信ユニットは、送信マシン、送信機、送信回路等と呼ばれることもある。
【０１９６】
前述した機器の実施形態におけるネットワーク装置及び端末装置は、それぞれ、方法の実施形態におけるネットワーク装置及び端末装置に完全に対応し、対応するモジュール又はユニットは、対応するステップを実行することを理解されたい。例えば、送信モジュール（送信機）は、方法の実施形態では送信ステップを実行し、受信モジュール（受信機）は、方法の実施形態では受信ステップを実行し、処理モジュール（プロセッサ）は、送信及び受信以外の他のステップを実行することができる。特定のモジュールの機能については、対応する方法の実施形態を参照されたい。送信モジュール及び受信モジュールはトランシーバモジュールを形成することができ、送信機及び受信機はトランシーバを形成して、受信機能及び送信機能を共同で実施することができる。１つ又は複数のプロセッサが存在する場合がある。
【０１９７】
本願の実施形態で提供される方法によれば、本発明の実施形態は、前述したネットワーク装置及び前述した端末装置を含む通信システムをさらに提供する。
【０１９８】
前述した実施形態に基づいて、本願の実施形態は、コンピュータ記憶媒体をさらに提供する。記憶媒体は、ソフトウェアプログラムを記憶し、ソフトウェアプログラムが１つ又は複数のプロセッサによって読み取られて実行されるときに、前述した実施形態のいずれか１つ又は複数で提供される方法を実施することができる。コンピュータ記憶媒体は、プログラムコードを記憶することができる任意の媒体、例えば、ＵＳＢフラッシュドライブ、リムーバブルハードディスク、読み取り専用メモリ、ランダムアクセスメモリ、磁気ディスク、又は光ディスクを含み得る。
【０１９９】
前述した実施形態に基づいて、本願の実施形態は、チップをさらに提供する。チップは、前述した実施形態のいずれか１つ又は複数の機能を実施する、例えば前述した方法で情報又はメッセージを取得又は処理するように構成されたプロセッサを含む。オプションで、チップはメモリをさらに含み、メモリは、プロセッサによって必要で実行されるプログラム命令及びデータを格納するように構成される。チップは、チップを含み得るか、又はチップ及び別の個別の装置を含み得る。
【０２００】
本発明の実施形態では、プロセッサは中央処理装置（Central Processing Unit、略して「ＣＰＵ」）であり得るか、又はプロセッサは、別の汎用プロセッサ、デジタル信号プロセッサ（ＤＳＰ）、特定用途向け集積回路（ＡＳＩＣ）、フィールドプログラマブルゲートアレイ（ＦＰＧＡ）又は別のプログラマブル論理装置、ディスクリートゲート又はトランジスタ論理装置、ディスクリートハードウェアコンポーネント等であり得ることを理解されたい。汎用プロセッサは、マイクロプロセッサであり得るか、又は任意の従来のプロセッサ等であり得る。
【０２０１】
メモリは、読み取り専用メモリ及びランダムアクセスメモリを含み得、命令及びデータをプロセッサに提供する。メモリの一部には、不揮発性ランダムアクセスメモリがさらに含まれ得る。
【０２０２】
バスシステムは、データバスに加えて、電力バス、制御バス、ステータス信号バス等をさらに含み得る。ただし、明確に説明するために、図の様々なタイプのバスをバスシステムとしてマークしている。実施プロセスでは、前述した方法のステップは、プロセッサ内のハードウェア統合論理回路を使用することによって、又はソフトウェアの形式の命令を使用することによって実施することができる。本発明の実施形態を参照して開示される方法のステップは、ハードウェアプロセッサによって直接実行及び完了され得るか、又はプロセッサ内にあるソフトウェアモジュール及びハードウェアの組合せを使用することによって実行及び完了され得る。ソフトウェアモジュールは、例えば、ランダムアクセスメモリ、フラッシュメモリ、読み取り専用メモリ、プログラム可能な読み取り専用メモリ、電気的に消去可能なプログラム可能なメモリ、又はレジスタ等、フィールド内の考慮された記憶媒体に配置することができる。記憶媒体はメモリ内に配置され、プロセッサは、メモリ内の情報を読み取り、メモリ内の情報及びプロセッサのハードウェアを使用することにより、前述した方法のステップを完了する。繰り返しを避けるために、詳細はここでは再び説明しない。本願において、「少なくとも１つ」は１つ又は複数を意味し、「複数」は２つ以上を意味する。「及び／又は」という用語は、関連するオブジェクト同士の間の関連する関係性を説明し、３つの関係を示し得る。例えば、Ａ及び／又はＢは、Ａのみが存在し、ＡとＢとの両方が存在し、Ｂのみが存在する場合を示し、ここでＡ及びＢは、単数形又は複数形の場合がある。文字「／」は通常、関連するオブジェクト同士の間の「又は」の関係を示す。「以下の少なくとも１つのアイテム（ピース）」又はその同様の表現は、単一のアイテム（ピース）又は複数のアイテム（ピース）の任意の組合せを含む、これらのアイテムの任意の組合せを意味する。例えば、ａ、ｂ、又はｃの少なくとも１つ（ワンピース）は、ａ、ｂ、ｃ、ａ−ｂ、ａ−ｃ、ｂ−ｃ、又はａ−ｂ−ｃを示し、ここで、ａ、ｂ、及びｃは単数形又は複数形の場合がある。
【０２０３】
簡便で簡潔な説明の目的で、前述したシステム、機器、及びユニットの詳細な動作プロセスについて、前述した方法の実施形態における対応するプロセスを参照することは、当業者によって明確に理解され得る。詳細はここでは説明しない。
【０２０４】
本願で提供されるいくつかの実施形態では、開示されるシステム、機器、及び方法は、他の方法で実施できることを理解すべきである。例えば、説明した機器の実施形態は単なる例である。例えば、ユニット分割は単なる論理関数除算（分割）であり、実際の実施態様では他の分割である場合がある。例えば、複数のユニット又はコンポーネントを組み合わせて、又は別のシステムに統合することができ、あるいはまた、いくつかの機能を無視するか、又は実行しない場合がある。さらに、表示又は説明する相互結合又は直接結合又は通信接続は、いくつかのインターフェースを介して実施され得る。機器又はユニット同士の間の間接的な結合又は通信接続は、電子的、機械的、又は他の形態で実施され得る。
【０２０５】
別個の部品として説明したユニットは、物理的に分離されていてもされなくてもよく、ユニットとして表示した部品は、物理ユニットであってもなくてもよく、１つの位置に配置してもよく、又は複数のネットワークユニットに分散してもよい。ユニットのいくつか又は全ては、実施形態の解決策の目的を達成するための実際の要件に基づいて選択され得る。
【０２０６】
さらに、本願の実施形態における機能ユニットは、１つの処理ユニットに統合され得るか、又はユニットのそれぞれが物理的に単独で存在し得るか、又は２つ以上のユニットが１つのユニットに統合され得る。
【０２０７】
前述した実施形態の全て又はいくつかは、ソフトウェア、ハードウェア、ファームウェア、又はそれらの任意の組合せを使用することによって実施することができる。ソフトウェアが実施形態を実施するために使用される場合に、実施形態は、コンピュータプログラム製品の形態で全部又は部分的に実施され得る。コンピュータプログラム製品は、１つ又は複数のコンピュータ命令（プログラム）を含む。コンピュータプログラム又は命令がコンピュータにロードされて実行されるときに、本願の実施形態による手順又は機能は、全て又は部分的に生成される。コンピュータは、汎用コンピュータ、専用コンピュータ、コンピュータネットワーク、又は別のプログラム可能な機器であり得る。コンピュータ命令は、コンピュータ可読記憶媒体に記憶され得るか、又はコンピュータ可読記憶媒体から別のコンピュータ可読記憶媒体に送信され得る。例えば、コンピュータ命令は、ウェブサイト、コンピュータ、サーバ、又はデータセンターから別のウェブサイト、コンピュータ、サーバ、又はデータセンターに、有線（例えば、同軸ケーブル、光ファイバ、又はデジタル加入者回線（ＤＳＬ））又は無線（例えば、赤外線、無線、及びマイクロ波等）方式）で送信され得る。コンピュータ可読記憶媒体は、コンピュータによってアクセス可能な任意の使用可能な媒体、或いは１つ又は複数の使用可能な媒体を統合するサーバ又はデータセンター等のデータ記憶装置であり得る。使用可能な媒体は、磁気媒体（例えば、フロッピーディスク、ハードディスク、又は磁気テープ）、光学媒体（例えば、ＤＶＤ）、半導体媒体（例えば、ソリッドステートドライブ（ＳＳＤ））等）であり得る。
【国際調査報告】
2021530161.tif 000014
2021530161.tif 000015
2021530161.tif 000016
2021530161.tif 000017